(57)【特許請求の範囲】
【請求項１】
シールド付きの羽目板、収納庫あるいは家具において、外側にシールド材を設けて、そのシールド材の内側に換気用の通気スペースを設け、予め周囲に配置する他部材の通気スペースと連通あるいは閉止状態で接続される全ての個所を想定して、それら全ての個所は、連通あるいは閉止状態のどちらで接続されるかに関わらず、連通状態で接続された場合に目的とするシールドに必要な接合面の面圧で接続可能で、周囲に配置する他部材の通気スペースと連通あるいは閉止状態のどちらで接続するか任意に選択して接続可能な接続手段を設けるとともに、周囲に配置する他部材の通気スペースと接続して換気用の空気流路を構成するときに空気流路を変える複数の接続パターンを有する冗長性を持たせたことを特徴とするシールド付きの羽目板、収納庫あるいは家具。
【請求項２】
前記請求項１において、通気スペースを用いた換気は、給気と排気の熱交換をするようにしたことを特徴とする、シールド付きの羽目板、収納庫あるいは家具。
【請求項３】
前記請求項２の熱交換は、通気スペースの中に吸気用（あるいは排気用）の管を配設して、配設した管の外部の通気スペースを排気用（あるいは吸気用）として利用することを特徴とした、シールド付きの羽目板、収納庫あるいは家具。
【請求項４】
前記請求項１〜３の１項において、シールド付きの羽目板、収納庫あるいは家具の外側に、通気スペースを用いた換気用の吸気口あるいは／および排気口を設けたことを特徴とするシールド付きの羽目板、収納庫あるいは家具。
【請求項５】
前記請求項４において、すくなくとも、吸気口あるいは排気口の片方に延長ダクトが接続可能な接続口を設けることを特徴とした、シールド付きの羽目板、収納庫あるいは家具。 
【請求項６】
前記請求項１〜５の１項において、シールド付きの羽目板、収納庫あるいは家具に、躯体部材を設けたことを特徴とするシールド付きの羽目板、収納庫あるいは家具。
【請求項７】
前記請求項１〜６の１項に記載した、シールド付きの羽目板、収納庫あるいは家具を適用したことを特徴とする部屋及び建築構造物。
【請求項８】
前記請求項７の一部を構成する開閉部の全部あるいは一部は、スライドベースを利用して開閉するようにしたことを特徴とする部屋及び建築構造物。
【請求項９】
前記請求項７の一部を構成する透明窓の全部あるいは一部は、透明窓の側面に反射部材を設けたことを特徴とする部屋及び建築構造物。
【請求項１０】
前記請求項７〜９の１項において、部屋の外側にヒートポンプエアコン室外機を設置して外気との熱交換を行い、部屋の中にはヒートポンプエアコンの室内機を収納部に収納して、部屋の中の空気との熱交換は、収納部と収納部からの伝熱部材から行うようにすることを特徴とした部屋及び建築構造物。
【請求項１１】
前記請求項１〜１０の１項において、給気と排気の熱交換をする換気手段を設けることを特徴としたシールド付きの羽目板、収納庫あるいは家具、若しくは部屋及び建築構造物。
【請求項１２】
前記請求項１〜１１の１項において、通常の換気を行う通常動力源による駆動手段の他に、非常用動力源による駆動手段あるいは／および人力駆動の可能な駆動手段を設けることを特徴としたシールド付きの羽目板、収納庫あるいは家具、若しくは部屋及び建築構造物。
【請求項１３】
前記請求項１〜１２の１項において、外側あるいは／および内側にセンサを設置して、内側あるいは／および外側に、センサの検出結果を知らせる手段を設けることを特徴とした、シールド付きの羽目板、収納庫あるいは家具、若しくは部屋及び建築構造物。
【発明の詳細な説明】
【技術分野】
【０００１】
本発明は、音、熱、放射線、異物などの内外からの影響を隔離でき、部屋構成時の最適な換気が容易に構成可能で、簡単に組立・分解・再利用もでき、合理的な新築・リフォームも可能になる、シールド付きの羽目板、収納庫あるいは家具と、それを適用した部屋及び建築構造物に関するものである。
【背景技術】
【０００２】
従来の音、熱、放射線、異物などの内外からの影響を隔離する、シールド付きの羽目板、収納庫あるいは家具としては、冷熱の影響を隔離する断熱住宅を建築して、冷蔵庫などの収納庫、机や書棚などの家具を、後から搬入設置するのが一般的である。
【０００３】
外側にシールド材（吸音材）を設けて、そのシールド材の内側に換気用の通気スペースを設けた羽目板としては、特許文献１に、遮音性と放熱性と通気性とを有するパネル材及びそれを用いた発熱機器の収納室が示されている。建築用材料として用いられるパネル材に、遮音性と放熱性（熱拡散性）の他に通気性も持たせたものである。
【０００４】
また、特許文献２には、外側にシールド材（断熱材）を設けて、その断熱材の内側に通気スペースを設けて、周囲に配置する他部材の通気スペースと連通状態で接続可能な羽目板として、断熱パネルに通気層を構成する突起を設けた通気層付き断熱複合パネルと外断熱工法が示されている。突起の形状で、パネル相互間の通気層の通気と排水の連続性を保持して、防水性能の向上を図った通気層付きの断熱パネルである。
【０００５】
また、特許文献３には、外側にシールド材（断熱材）を設けて、その断熱材の内側に通気スペースを設け、周囲に配置する他部材との接続手段を設けた羽目板として、壁パネル板と屋根兼天井パネル板に冷却用の中空平行通気路（通気スペース）を設けた組立式の簡易防災備蓄倉庫が示されている。壁パネル板の中空平行通気路は全てを縦方向、屋根兼天井パネル板の中空平行通気路は全てを同一方向に配設したものである。
【０００６】
また、特許文献４には、外側にシールド材（断熱材）を設けて、その断熱材の内側に通気スペースを設けた収納庫として、壁の断熱材を適切な位置に施工し、断熱材以外の部分を工場等で形成し、はめ込む、壁材兼用の通気収納庫が示されている。断熱壁の結露防止と、壁とは別の家具等の収納庫内の通気も行うようにしたビルトイン式の通気収納庫である。
【０００７】
また、特許文献５には、シールド材（断熱材）で包囲した倉庫内で、物品棚の支柱などを通気パイプ（通気スペース）で構成して、温度調整用の空気を通し、排出するようにした定温倉庫が示されている。倉庫内全体を一定温度に維持するために、温度調整用の空気を通す特別の排気用の配管を不要にしたものである。
【０００８】
また、外側にシールド材（断熱材）を設けて、そのシールド材の内側に換気用の通気スペースを設け、周囲に配置する他部材の通気スペースと連通状態で接続し、通気スペースを用いた換気を行い、給気と排気の熱交換をするようにした羽目板としては、特許文献６に、室外に排出される室内空気で換気用室外空気を加熱または冷却できる、熱交換可能な建物壁面パネルが示されている。断熱性室外壁面材と断熱性室内壁面材との間に伝熱パネルを設け、室内空気を室外に排出できる排気ダクトと室外空気を室内に取り入れる吸気ダクトを所定の位置に設ける構造である。
【０００９】
また、外側にシールド材（断熱材）を設けて、そのシールド材の内側に換気用の通気スペースを設け、周囲に配置する他部材の通気スペースと連通状態で接続して、通気スペースを用いた換気を行い、給気と排気の熱交換をするようにした建築構造物として、特許文献７には、暖房と同時に換気を行い、暖房効率と居住性を向上させた建物が示されている。天井裏空間（通気スペース）と壁内空間（通気スペース）を連通化し、内壁もしくは天井の任意の箇所に熱交換換気ユニットと連通した換気口を設ける構成である。
【先行技術文献】
【特許文献】
【００１０】
【特許文献１】特開２０１４−００１５９８号公報
【特許文献２】特開２００５−１８８０５０号公報
【特許文献３】特開平１１−３５０７６０号公報
【特許文献４】特開平０６−１４１９３９号公報
【特許文献５】特開平０９−３２９３８４号公報
【特許文献６】特開２００１−３２３５７７号公報
【特許文献７】特開平１０−２４５９０３号公報
【発明の概要】
【発明が解決しようとする課題】
【００１１】
解決しようとする問題点は、従来の一般的断熱住宅のように、最初に断熱住宅を建築して、冷蔵庫などの収納庫、机や書棚などの家具を後から搬入設置する場合、家具等の入れ替え交換は何度でもできるが、家具等で贅沢する必要のない場合でも、壁板と家具等の背板の材料重複、製作工数の重複、又、住宅壁の建築工数と家具等の搬入設置工数の重複のため余分なエネルギを消費する点である。
【００１２】
また、特許文献１のように、外側にシールド材（吸音材）を設け、そのシールド材の内側に換気用の通気スペースを設けたパネル材を用いた場合、１枚のパネルで遮音性と放熱性と通気性を持たせることはできるが、同じパネルを同一仕様で多数台を合理的に製作して、周囲（上下左右）に接続して、自由な間取りの任意の大きさの部屋を組み立てて、さらに、その部屋の換気に最適な通気スペースの連通状態あるいは閉止状態を、任意選択しながら組立てて、その部屋の最適な換気に最も適した通気スペース（空気流路）の設定を容易に行うことのできない点である。そして、部屋を施工後、さらに室内に家具などを設置する場合は、パネル部材と家具等の背板部材との重複、パネル施工と家具等の製作設置作業の重複のため、余分なエネルギを消費する点である。 
【００１３】
また、特許文献２のように、外側にシールド材（断熱材）を設けて、その断熱材の内側に通気スペースを設けて、周囲に配置する他部材の通気スペースと連通状態にて接続可能なパネルとした場合、パネル相互間の通気層の通気と排水の連続性は保持されて防水性能は向上できるが、接続手段によって、自由な間取りの任意の大きさの部屋が簡単に組み立てでき、さらに、その部屋の換気に最適な通気スペースの連通状態あるいは閉止状態を任意に選択しながら組立てられ、その部屋の最適な換気に最も適した通気スペース（空気流路）の設定を容易に行うことのできない点である。そして、その部屋を施工後、さらに室内に家具などを設置する場合は、パネル部材と家具等の背板部材との重複、パネル施工と家具等の製作設置作業の重複のため、余分なエネルギを消費する点である。 
【００１４】
また、特許文献３のように、外側にシールド材（断熱材）を設けて、その断熱材の内側に通気スペースを設け、周囲に配置する他部材との接続手段を設けた壁パネルと屋根兼天井パネルとした場合、壁パネルは全て縦方向、屋根兼天井パネルは全てを同一方向の冷却用の中空平行通気路（通気スペース）を利用した冷却はできるが、同じパネルを同一仕様で多数台を合理的に製作して、周囲（上下左右）に接続して、自由な間取りの任意の大きさの部屋を組み立て後、その部屋の換気に最適な通気スペースの連通状態あるいは閉止状態を任意選択しながら組立て、その部屋に最適な換気に最も適した通気スペース（空気流路）の設定を容易に行うことのできない点である。そして、部屋の施工後に、室内に家具等を設置する場合、パネル部材と家具等の背板部材との重複、パネル施工と家具等の製作設置作業の重複のため、余分なエネルギを消費する点である。 
【００１５】
また、特許文献４のように、外側にシールド材（断熱材）を設けて、その断熱材の内側に通気スペースを設けた収納庫とした場合、断熱壁の結露防止と収納庫内通気と壁材の兼用はできるが、同じ収納庫を同一仕様で多数台を合理的に製作し、周囲（上下左右）に接続して、自由な間取りの、任意の大きさの部屋を組み立てるとき、その部屋の換気に最適な通気スペースの連通状態あるいは閉止状態を任意選択しながら組立てて、その部屋の最適換気に最も適した通気スペース（空気流路）の設定を容易に行うことができない点である。そして、部屋の断熱パネル施工後に、室内にビルトイン家具を設置するような場合は、断熱パネル施工と家具設置作業の重複の余分なエネルギを消費する点である。
【００１６】
また、特許文献５のように、シールド材（断熱材）で包囲した倉庫内で、物品棚の支柱等を通気パイプ（通気スペース）で構成して、温度調整用の空気を通し排出するようにして、倉庫内全体を一定温度に維持し、温度調整用空気を通す特別の排気用の配管を不要とする場合、同じ物品棚を同一仕様で多数台を合理的に製作して、周囲（上下左右）に接続して、自由な間取りの任意大きさの物品棚と、その部屋の温度調整に最適な通気スペース（空気流路）の設定はできるが、シールド材（断熱材）で包囲された倉庫を自由な間取りで任意の大きさで組み立てることは容易にできない点である。そして、断熱倉庫の施工実施後に、室内に物品棚を設置するので、断熱倉庫の施工作業と物品棚の搬入設置作業の重複のため、余分なエネルギを消費する点である。
【００１７】
また、特許文献６のように、外側にシールド材（断熱材）を設け、そのシールド材の内側に換気用の通気スペースを設け、周囲に配置する他部材の通気スペースと連通状態で接続して、通気スペースを用いた換気を行い、給気と排気の熱交換をするようにしたパネルの場合、断熱性室外壁面材と断熱性室内壁面材との間に設けた伝熱パネルによって、換気用給気と排気の熱交換は可能になるが、室内空気を室外に排出できる排気ダクトと室外空気を室内に取り入れる吸気ダクトは所定位置に設けるため、同じパネルを同一仕様で多数台を合理的に製作して、周囲（上下左右）に接続して、自由な間取りの任意の大きさの部屋を組み立て時、その部屋の換気に最適な通気スペースの連通状態あるいは閉止状態を任意に選択しながら組立て、その部屋に最適な換気に最も適した通気スペース（空気流路）の設定を容易に行うことのできない点である。また、伝熱パネルを外壁面材と内壁面材との間に面の部材として、精度良く、シール性も確保して、組み込む必要があるため、熱交換を行う手段を得るための製作とその組み込みを、部品の加工精度とか、組み込み時の面のシール性などを気にする必要のない程度に、容易に行うことができない点である。そして、部屋の施工後に、室内に家具等を設置する場合、パネル部材と家具等の背板部材との重複、パネル施工と家具等の製作設置作業の重複のため、余分なエネルギを消費する点である。
【００１８】
また、特許文献７のように、外側にシールド材（断熱材）を設け、そのシールド材の内側に換気用の通気スペースを設け、周囲に配置する他部材の通気スペースと連通状態で接続して、通気スペースを用いた換気を行い、給気と排気の熱交換をする場合、暖房と同時に換気を行い、熱交換により、暖房効率と居住性を向上させた建物は得られるが、天井や壁部材がユニット化されていないため、同一仕様で多数台を合理的に製作して、周囲（上下左右）に接続して、自由な間取りの任意の大きさの部屋の組み立てを、容易に行うことができない点である。また、天井裏空間（通気スペース）と壁内空間（通気スペース）を連通化し、内壁もしくは天井の任意の箇所に熱交換換気ユニットと連通した換気口を設ける構成のため、自由な間取りの任意大きさの部屋の換気に最適な、通気スペースの連通状態あるいは閉止状態を任意選択しながら組み立て、その部屋の最適な換気に最も適した通気スペース（空気流路）の設定を容易に行うことのできない点である。そして、部屋施工後に、室内に家具等を設置する場合、天井や壁部材と家具等の背板部材の重複、天井や壁の施工と家具等の製作設置作業の重複のため、余分なエネルギを消費する点である。
【００１９】
すなわち、以上のように、音、熱、放射線、異物などの内外からの影響を隔離する羽目板、収納庫あるいは家具などを、同一仕様で多数台を合理的に製作して、周囲（上下左右）に接続して、自由な間取りの任意の大きさの部屋を構成するとき、最適な換気を容易に構成できない点、簡単に組立・分解・再利用のできない点、建築時の初期工数や材料の重複等の不要なエネルギ消費を容易に抑制できない点である。
【課題を解決するための手段】
【００２０】
本発明の課題を解決するための第１の手段は、シールド付きの羽目板、収納庫あるいは家具において、外側にシールド材を設けて、そのシールド材の内側に換気用の通気スペースを設け、予め周囲に配置する他部材の通気スペースと連通あるいは閉止状態で接続される全ての個所を想定して、それら全ての個所は、連通あるいは閉止状態のどちらで接続されるかに関わらず、連通状態で接続された場合に目的とするシールドに必要な接合面の面圧で接続可能で、周囲に配置する他部材の通気スペースと連通あるいは閉止状態のどちらで接続するか任意に選択して接続可能な接続手段を設けるとともに、周囲に配置する他部材の通気スペースと接続して換気用の空気流路を構成するときに空気流路を変える複数の接続パターンを有する冗長性を持たせることを最も主要な特徴とする。
【００２１】
ここで、シールド材を設ける外側とは、壁の場合は部屋の外側の方向で、床の場合は床下側の方向で、天井の場合は屋外の屋根側の方向になる。また、周囲に配置する周囲とは、垂直の壁になる羽目板、収納庫あるいは家具の場合、上下左右が周囲になるが、床や天井の場合も同様に、床や天井の面に正対して見た時、向かって上下左右が周囲となる。
【００２２】
また、家具等の背板という表現は、垂直の壁面に当る部分のほか、床や天井の一部になる家具などの場合は、床や天井の面に当る部分にも背板がある。例えば、壁と床のコーナーの家具等の場合、壁面側の背板の他、床面側の底板も背板となる。
【００２３】
また、周囲に配置する他部材は、本発明のシールド付きの羽目板、収納庫あるいは家具が隣り合う場合もあれば、壁と床のコーナー部材、壁と壁のコーナー部材、壁と天井のコーナー部材、壁・床・天井が３〜５面の交わるコーナー部材、その他の部材などが隣り合う場合もある。
【００２４】
本発明のシールド付きの羽目板、収納庫あるいは家具の大きさは、建築場所への搬入性を考慮して、適切な大きさで、複数種類で標準化してよい。大きさが小さいと搬入性は良くなるが、分解・組み立て作業の工数は増えるので、適切な大きさにするのが良い。また、小さくなれば、接続する個所が増えるので、通気スペース（空気流路）を構成するときの接続パターンの融通性は良くなる。また、本発明の部材は勿論であるが、コーナー部材等他の部材も、標準化し、同一仕様で複数台を合理的に生産できるようにするのがよい。
【００２５】
シールド材は、音、熱、放射線、異物などの内外からの影響を隔離する目的に合わせて、適切な部材を選択する。例えば、音の場合は防音・吸音材、振動の場合は防振材になり、熱の場合は、断熱材となる。光の場合は遮光材となるが、放射線のガンマ線であれば鉛等の遮蔽材になり、中性子線の場合は中性子遮蔽材になる。また、異物としては、塵や埃、黄砂、ＰＭ（Particulate Matter）２．５，花粉、有害物質、有毒ガスなどがある。また、防音と断熱のように、複数の目的に対応する、複数の種類のシールド材を、複合して使用してもよい。
【００２６】
内外からの影響を隔離する目的としては、外部からの影響を隔離する場合と、実験室などのように、内部からの影響を外部へ与えないように隔離する場合とがある。
【００２７】
シールド材は、その目的に応じて、必要な厚さ、密度、異なる種類を複合する場合は効果的な位置関係で、欠陥のないように設けるが、接続手段も、その目的に応じて適切な手段を選択する。例えば、塵や埃、花粉などを隔離する場合は、家具等の一般的な材料である木材をそのままネジ止めしてもよいが、有毒ガスなどを隔離する場合には、想定するガスが浸透しない材料を使用することは勿論であるが、接続手段も、ガスケットなどのシール部材を挟み十分な面圧で密着可能な接続手段を選択するのがよい。また、放射線などから隔離する場合は、合わせ面の隙間からのストリーミングを防止できるように、印ろう構造にして接続可能な接続手段を選択するのがよい。
【００２８】
また、接続手段は、壁や天井を支える強度、地震時に生じる荷重、屋外に設置する場合は、風圧や洪水なで受ける必要な荷重も想定し、必要な強度を確保するとともに、目的とするシールドに必要な接合面の面圧も得られるように選択するが、できるだけ、分解・組立ての容易な接続手段とするのがよい。例えば、ボルト・ナットの締結手段でもよいが、分解組み立て頻度の多い場合は、パッチン錠などを利用し締結してもよい。また、互いの接合面に凸凹の加工を施して、凸の部分が凹の部分に勘合するときの結合力で接続するようにして、結合力以上の力で引き離すと勘合部分が外れるようにして、簡単に分解組み立てができるようにしてもよい。必要な結合力から適切な凸凹部分の大きさとその数を決めればよいが、凸凹部材の塑性変形を伴う結合にして、１回の組み立てでも比較的大きな結合力が得られるようにしてもよいし、凸凹部材の弾性変形内の結合にして、複数回の繰り返しの着脱ができるようにしてもよい。また、互いの接合面に強力な磁石を組み込み、磁石の互いに吸着する面以外の部分は、磁力の悪い影響が周囲に及ばないように磁気シールドの部材で覆うようにして、磁石の吸着力で接続する接続手段としてもよい。また、接続手段として、接着剤を現場で塗布して貼り合わせてもよいし、接着剤を工場であらかじめ塗布して、塗布した表面は、はく離紙等で覆っておき、現場では、はく離紙等を剥がしながら効率良く接着するようにしてもよい。
【００２９】
シールド材の内側に換気用の通気スペースを設けるが、換気用の通気スペースの内側にも、さらに、シールド材を設けて、シールド効果を高めてもよい。また、換気用なので、部屋の温度もコントロールする場合は、通気スペースの外側と内側にも、断熱材を設け、換気の熱効率を高めるようにしてもよい。収納庫あるいは家具の場合は、通気スペースの内側に収納庫あるいは家具の扉による空間ができるので、その部分の断熱効果が期待できる。また、棚などでも、扉付きにして、その部分の断熱効果を、高めてもよい。
【００３０】
周囲に配置する他部材の通気スペースと連通あるいは閉止状態で接続可能な接続手段は、本発明のシールド付きの羽目板、収納庫あるいは家具と、連通させる可能性のある周囲に配置する他部材は、接続するときに通気スペースが連通するように、それぞれの周囲側面の一致する位置には開口部が設けられ、そのまま接続すれば連通状態で接続可能（前者）にしてもよいし、逆に、初期の状態では、連通する開口部が閉止されている状態（後者）にし、そのまま接続すれば閉止状態で接続可能にしてもよい。
【００３１】
前者の場合は、あらかじめ閉止部品を用意して、接続組み立てをする時に、閉止する個所のみ、閉止部品で塞ぐようにしてもよいし、各開口部に閉止するシャッタを設けておき、閉止する個所のみ、閉止シャッタを閉じるようにしてもよい。また、閉止部品は、接合面のシール性に影響しない程度に薄い目張りシートを貼付することでもよいし、閉止部品の厚みに対応して、予め接合面に凹部を設けておき、凹部の中に閉止部品がおさまるようにしてもよい。
【００３２】
後者の場合は、あらかじめ開口部を閉止部材で閉止しておき、接続組み立てをする時に、連通する個所のみ、閉止部品を取り外すようにしてもよいし、開口部に閉止するシャッタを設けて、連通する個所のみ、閉止シャッタを開けるようにしてもよい。閉止部品を取り外す場合、通気時の圧力などには耐える強度ではあるが、人手の力で容易に破断あるいは外せる強度とすることで、簡単に閉状態を開状態にできるようにするものでもよい。
【００３３】
また、本発明のシールド付きの羽目板、収納庫あるいは家具の１つのユニットの大きさを小さくすれば、１つのユニット内の通気スペースを、内部で仕切らなくても、周囲の他のユニット、他の部材と接続する時に、周囲の各開口部の連通状態あるいは閉止状態を選択するのみで、通気スペース（空気流路）を自由に構成できる。逆に、ユニットの大きさが大きくなる場合は、通気スペースを内部で仕切って、内部の空気の流路を仕切り板の設定で、自由に変えられるようにしてもよい。仕切り板の設定は、ユニットを製作する工場等で出荷する前に設定するようにしてもよいし、ユニットの内側（シールド材のある外側の反対側）を取り外し式構造にして、組み立て現場でも、仕切り状態の設定と変更が容易にできるようにしてもよい。
【００３４】
通気スペース（空気流路）を自由に構成できるようになれば、部屋の中の給気口と排気口、部屋の外側の吸気口と排気口の位置を、部屋設置場所に応じて、適切な位置に設定したら、それがどのような位置でも、本発明のシールド付きの羽目板、収納庫あるいは家具の中に設けられた通気スペース（空気流路）を利用して、必要となる吸気系統と排気系統を容易に得ることができる。部屋の中の給気口と排気口は、シールド付床ユニットとシールド付天井ユニットに設け、空気の流れが、部屋全体で、下から上、あるいは、上から下になるようにしてもよいし、また、給気口と排気口を、シールド付壁ユニットに設けて、空気の流れが、部屋全体で、前から後ろ、あるいは、左から右などのように水平方向になるようにしてもよい。
【００３５】
本発明の説明の中で用いられる言葉の吸気系統と給気系統は同じ系統であり、部屋の外側の外気の取り込み口を吸気口、部屋の中の外気の吹き出し口を給気口と称している。
【００３６】
吸気系統と排気系統の空気の流れは、自然対流を利用したものでもよいし、適切な場所にファンを設けて、強制換気をする構成にしてもよい。多くのユニットが標準化されることによって、各ユニットに設けられる開口部の連通と閉止状態の設定の仕方と通気スペース（空気流路）の損失抵抗の関係を調べておけば、それらを組み合わせて構成する吸気系統と排気系統の全体の損失抵抗も容易に計算できるようになる。
【００３７】
それらの損失抵抗の計算は、各ユニットを組み合わせて、部屋の間取りの設計、吸排気口の位置の設計を２次元あるいは３次元のＣＡＤ（computer aided design）ソフトを利用し、部屋の間取りと吸排気口位置を設定したら、最適な各ユニットの開口部の連通と閉止状態の設定仕様を吸気系統と排気系統の全体損失抵抗を計算しながら、自動で設計するようにしてもよい。この場合の自動計算は、各ユニットの開口部の連通と閉止状態の設定仕様の全ての組み合せについて、系統全体の損失抵抗を計算して、最も少ない損失抵抗の結果となる、連通と閉止状態の設定仕様を自動的に選択するようにすれば容易にできる。
【００３８】
設計した各ユニットの開口部の連通と閉止状態の設定仕様のデータを、同一仕様で多数台を合理的に製作する工場のラインへ入力するようにして、自動で対応する仕様の羽目板、収納庫あるいは家具の必要な員数が製造されるようにして、各ユニットの開口部の連通と閉止状態の設定作業を工場や現場で、人手で行わなくても済むようにして、設定ミスなどをなくして、より合理的に製造、組み立てできるようにしてもよい。
【００３９】
このように、周囲に配置する他部材の通気スペースと連通あるいは閉止状態で接続可能な接続手段は、現場で組立てる時に、連通あるいは閉止状態を選択して組み立てられるものでもよいし、工場の設計段階から、連通あるいは閉止状態を選択して部品の製作を行い、その部品を現場へ搬入して、そのまま組み立てるようにしてもよい。さらに、現場で設計して、現場に３Ｄ（３次元）プリンタなどによる工場を準備して、現場で設計から部品の製作、組み立てまでを行うようにしてもよい。予め、連通あるいは閉止状態で接続される個所が想定されている場合でも、特注品で、予め、個所の想定までされていない場合でも、その個所の連通あるいは閉止状態を決める場所は何処でもよく、又、決めるタイミングも設計、製作、組み立ての何処のタイミングでもかまうものではない。
【００４０】
以上のように、予め周囲に配置する他部材の通気スペースと連通あるいは閉止状態で接続される全ての個所を想定して、それら全ての個所は、連通あるいは閉止状態のどちらで接続されるかに関わらず、連通状態で接続された場合に目的とするシールドに必要な接合面の面圧で接続可能で、周囲に配置する他部材の通気スペースと連通あるいは閉止状態のどちらで接続するか任意に選択して接続可能な接続手段を設けるとともに、周囲に配置する他部材の通気スペースと接続して換気用の空気流路を構成するときに空気流路を変える複数の接続パターンを有する冗長性を持たせることで、同じシールド付きの羽目板、収納庫あるいは家具を同一仕様で多数台を合理的に製作して、周囲（上下左右）に接続して、自由な間取りの任意の大きさの部屋を組み立てて、さらに、その部屋の換気に最適な通気スペースの連通状態あるいは閉止状態を、任意選択しながら組立て、その部屋の最適な換気に最も適した通気スペース（空気流路）の設定を容易に行うことができるようになる。また、部屋を施工後、室内に家具などを設置する場合は、部屋の壁部材と家具等の背板部材との重複、部屋の施工と家具等の製作設置作業の重複による余分なエネルギ消費を抑制することができる。
【００４１】
また、第２の手段は、前記第1の手段において、通気スペースを用いた換気は、給気と排気の熱交換をするようにしたことを最も主要な特徴とする。
【００４２】
前記第1の手段の通気スペースを用いた換気で、給気と排気との熱交換をするようにするので、室内の暖房や冷房などに費やしたエネルギを、排気するときに有効に利用できるので、熱効率の良い、より最適な換気を、容易に構成できるようになる。
【００４３】
給気と排気の熱交換をする方法は、前記第1の手段の通気スペースの吸気系統を構成する部分の通気スペースに面する内側（部屋の側）の面を伝熱面として、排気される前の部屋の中の空気と熱伝達を行うようにすれば、最も簡単に熱交換を行うことができる。
【００４４】
また、前記第1の手段の通気スペースの吸気系統と排気系統を構成する部分の隣り合って接続される側板を伝熱面として、また、通気スペースの内部を仕切る場合は、その仕切り板を伝熱面として、吸気系の空気と排気系の空気の熱伝達を行うようにすれば、より効率良く、熱交換を行うことができる。
【００４５】
熱交換を行う伝熱面は、熱伝導率のよい金属製にしてもよいし、成形された薄手のプラスチック製にしてもよいし、湿気なども通過する木材製にしてもよい。伝熱面の表面には、大きな凸凹でも、小さな凸凹でも、たくさん設けて、伝熱面積を大きくして、熱伝達効率を良くしてもよい。
【００４６】
また、給気と排気の熱交換をする他の方法として、通気スペースの内部に、小型の熱交換器を単一あるいは複数の家具等のユニットに組み込むようにしてもよい。この場合、その小型の熱交換器も、同一仕様で合理的に複数台を製作して、内側（シールド材のある外側の反対側）を取り外し式構造にして、部屋の内側から、交換可能に組み込むことによって、目詰まりとか、カビが発生した場合にも、容易に交換できるようにするのがよい。
【００４７】
また、第３の手段は、前記第２の手段の熱交換で、通気スペースの中に吸気用（あるいは排気用）の管を配設して、配設した管の外部の通気スペースを排気用（あるいは吸気用）として利用することを最も主要な特徴とする。
【００４８】
通気スペースをそのまま排気用あるいは吸気用のどちらか片方の配管として利用するため、両方の配管を新たに配設する場合と比較して、配設するダクトなどの物量、配設の工数を約１／２に合理化できる。
【００４９】
また、熱交換用の平板伝熱面を精度よく、シール性を確保して組み込む方式等と比較して、管を使用することで、管自体がシームレスで内外が隔離されていて、通気スペースの中に精度良く組み込む必要もないので、組み込む時のシール性とか、組み込む位置の精度などをあまり気にする必要もないので、組み込む作業も効率よく、合理化できる。
【００５０】
配設する管は、薄手の紙管で全熱交換できるようにしてもよいし、通常のアルミ製ダクトで顕熱交換ができるようにしてもよいが、いずれの管も汎用品で量産化されているので、部品の製作に必要なエネルギ消費も容易に抑制できる。管の断面形状は、円管でも、角管でもよいが、通気スペースの断面は横長の四角形になる場合が多いので、角管を使用して一つの通気スペースに複数本を並べて収まり易くしてもよい。
【００５１】
管の配設は、家具等のユニットを製造する工場等で、通気スペースの中の所定のルートで予め配設するようにしてもよいし、家具等のユニットを接続して部屋を組み立てるときに長いダクトを適切な長さに切断して、組み込むようにしてもよい。また、通気スペースの中に配設する管のルートは、有効に熱交換される管の長さを長くするとか、ルート上の各位置の給気温度と排気温度の関係なども、全体の熱交換効率が最適になるように考慮して、床および天井ユニット、家具等のユニットの通気スペースを利用して引き回しても良いし、通気スペースの中を往復させるように引き回してもよい。
【００５２】
予め配設する場合は、家具等のユニット周囲の接続面の連通あるいは閉止状態を設定して接続する開口部まで配設しておき、家具等のユニットを組み立てるときに接続面の開口部の位置が一致するように、ユニットを接続するのみで、配設した所定のダクトとダクトが繋がるようにしてもよい。接続面の開口部には、ガスケットも予め取り付けておき、接続した時に、ガスケットの厚みや接続面の凹溝の深さ等によって適切に調整された締付力で、簡単に、確実にシールされるようにしてもよい。
【００５３】
ダクトを開口部から引き出して接続する場合には、ダクトの接続金具を用いて接続してもよいし、定期的に交換する場合は、交換寿命に対応したテーピング等で、ダクトとダクトを接続するようにしてもよい。ダクトの接続金具を用いる場合は、予め工場等で接続金具まで取り付けておき、現場にて家具等のユニットを組み立てる時に、ダクトの接続作業が容易にできるようにしてもよい。
【００５４】
配設した管の保守は、家具等の内側（シールド材のある外側の反対側）を取り外し式構造にして、部屋の内側から、管の交換ができるようにしてもよい。その場合、管を伸縮する管にすることで、小さな開口部から長い管を出し入れできるようにしてもよい。
【００５５】
また、最初に管の中に細いワイヤを通しておき、そのワイヤにワイヤ付きのスポンジなどを取り付けて、片方のワイヤを管の端部から引っ張ることで、スポンジが管内を通るようにして、人手あるいは自動で、定期的に管内の清掃を、管が通気スペースに組み込まれた状態のまま、行えるようにしてもよい。管内のワイヤにワイヤ付きのスポンジなどを取り付けるので、スポンジが管の端部までけん引された状態でも、片方のワイヤが管内に残るので、繰り返しの清掃が容易にできる。
【００５６】
また、第４の手段は、前記第1〜３の１つの手段において、シールド付きの羽目板、収納庫あるいは家具の外側に、通気スペースを用いた換気用の吸気口あるいは／および排気口を設けたことを最も主要な特徴とする。
【００５７】
家具等のユニットに、換気用の吸気口あるいは／および排気口を設けることで、吸排気口をその他の部材に設けなくても、家具等のユニットを組み立てるのみで、吸気系統と排気系統を容易に構成することができる。また、排気が吸気されないように、排気口と吸気口を離すとか、最適な換気ルートの構成も容易にできるようになる。
【００５８】
家具等のユニットの換気用の吸気口あるいは／および排気口は、全てのユニットに設けて、吸排気しない部位では、閉止部品とか、シャッタ等で、簡単に閉止して使用することで、家具等のユニットを同一仕様にして、複数台を合理的に生産可能にしてもよい。
【００５９】
また、前述の２次元あるいは３次元のＣＡＤ（Computer Aided Design）ソフトを利用して設計した吸気口あるいは／および排気口の位置情報を家具等の各ユニットを製作する工場のラインへ入力するようにして、吸排気口の必要な羽目板、収納庫あるいは家具に必要な吸排気口が合理的に加工されるようにしてもよい。
【００６０】
家具等のユニットの外側に設ける吸気口あるいは／および排気口は、吸排気系のどちらか片方の１系統の管を通気スペースに配設して利用する場合、外側に設ける１つの開口から、開口の内径より一回り細い管が通り、１つの開口を吸気口と排気口の両方に利用できる。勿論、吸気口と排気口の両方を設けてもよい。吸気口と排気口は、それぞれ別のユニットに設けるとか、同じユニットでも上下に離して設けるなど、排出された排気が吸気口から吸い込まれないように、離れた位置に設けるようにしてもよい。
【００６１】
部屋の中の給気口と排気口についても、同様に、家具等の全てのユニットに設けて、選択して利用するようにしてもよいし、設計結果に基づいて、必要個所のみに加工するようにしてもよい。部屋の中の給気口と排気口の位置関係についても、部屋の中の空気の流れを考慮し、入ってきた新鮮な空気がすぐに排気口から流出しないようにするのがよい。
【００６２】
また、第５の手段は、前記第４の手段において、すくなくとも、吸気口あるいは排気口の片方に延長ダクトが接続可能な接続口を設けることを最も主要な特徴とする。
【００６３】
予め延長ダクトが接続可能な接続口を設けておくことにより、例えば、体育館の中に仮設の住宅として組み立てる場合とか、既設のマンションのリフォームで換気できる窓の位置が既に決まっていて壁や天井いっぱいに組み立てる場合など、通常の屋外のように風などで新鮮な空気が十分供給される場所と違う、屋内の狭い空間などでも、吸気口と排気口の位置を十分離すことが容易にできるようになる。
【００６４】
延長ダクトが接続可能な接続口についても、家具等の全てのユニットに設けて、選択して利用するようにしてもよいし、設計結果に基づいて、必要個所のみに取り付けするようにしてもよい。
【００６５】
また、第６の手段は、前記第１〜５の１つの手段において、シールド付きの羽目板、収納庫あるいは家具に、躯体部材を設けることを最も主要な特徴とする。
【００６６】
躯体部材を設ける個所は、シールド材の内側でも、中間でも、外側でもよい。特に、外側の場合は設け易い。また、躯体部材は強度部材なので、隣り合う部材と接続する場合にも躯体部材を利用することにより、より頑強に接続することが可能となる。
【００６７】
また、屋外に設置する場合、シールド材とその外側の外装部材（ケーシング部材）のみで、壁や天井を支える強度、地震時に生じる荷重、風圧や洪水なで受ける必要な荷重も想定し、必要強度を確保するのは容易ではないが、躯体部材を設けることで容易になる。
【００６８】
家具等のユニットに、躯体部材を設けることで、屋外に設置する場合には、部屋の壁部材と家具等の背板部材との重複、部屋の施工と家具等の製作設置作業の重複の他に、さらに、躯体の施工作業の重複による余分なエネルギ消費を抑制することができる。
【００６９】
躯体部材は、木材、セラミック材、金属材などでもよい。外側にステンレス鋼で耐力壁を設ける場合は、隣り合う耐力壁と耐力壁を接続するフランジ結合などの接続手段を設けることで、外側でも強固に接続することができる。その他の耐力壁同士の接続手段としては、フランジ部などは設けず、内側の接続手段を用いて組み立て後、隣り合う耐力壁と耐力壁をノンフィラー溶接で連続接合する方法でも十分な接続強度と恒久的なシール性を容易に得ることができる。外側にフランジなどの凸凹した部分のない滑らかな外壁にできる。
【００７０】
金属やセラミックの躯体部材とシールド材あるいはシールド材のケーシング部材は、接着剤で結合し、家具等のユニットとして一体化してもよいが、金属の表面にナノレベルでのディンプルを形成し、その微細ディンプルにプラスチック樹脂などのケーシング材を射出成形して、頑強かつ恒久的に一体化接合するようにしてもよい。また、プラスチック樹脂の代わりに、バイオマスプラスチックやリグニンを再利用する成形木材などでリサイクルしやすくしてもよい。
【００７１】
また、第７の手段は、前記第１〜６の少なくとも１つの手段を適用した、シールド付きの羽目板、収納庫あるいは家具を適用して、部屋、及び建築構造物にすることを最も主要な特徴とする。
【００７２】
新築戸建てでも、新築マンションでも、従来手法で、強度を確保した躯体のみを建築して、部屋の内装を、本発明のシールド付きの羽目板、収納庫あるいは家具を適用して組み立てることで、壁材と家具等の背板の材料の重複、製作工数の重複、又、住宅壁の建築工数と家具等の搬入設置工数の重複のために生じる余分なエネルギ消費を容易に抑制して、目的とする音、熱、放射線、異物などの内外からの影響を隔離して、冷暖房と換気による快適な住空間の部屋、及び建築構造物を容易に得ることができる。そして、本発明で得られる快適な住空間の部屋、及び建築構造物の販売はもとより、得られる機能のみを賃貸借契約を通して販売することもできる。
【００７３】
また、特に、前記第６の手段を適用した本発明のシールド付きの羽目板、収納庫あるいは家具を適用して組み立てることで、強度部材となる事前の躯体建築を簡略化、さらには、事前の躯体建築を省略することもできる。
【００７４】
中古の戸建てでも、中古のマンションでも、同様に内装リフォームで適用すれば、同様の部屋、及び建築構造物を容易に得ることができる。また、部分的に、目的とする音、熱、放射線、異物などの内外からの影響のシールドが弱い個所に適用するようにしてもよい。家具等のユニットは、周囲が接続されるので、壁と天井と壁が門型に繋がるとか、壁と床と天井とがループ状に繋がるなど、後から設置する転倒防止金具等は不要となり、大きな地震でも、転倒しない頑強な構造を容易に得られる。
【００７５】
また、分解組み立てが容易なので、居住性を向上させた、災害時の避難住宅とか、仮設の住宅などに適用してもよい。家具等のユニットのシールド厚さは、標準化し、複数種類を用意して、必要に応じて、適切なシールド厚さのユニットを選択使用できるようにしてもよい。羽目板ユニットは、それ自体も含め、他のユニットの外側にも、接続可能にして、シールド機能の強化を、容易にできるようにしてもよい。また、通気スペースを構成する部材を着脱式にして、通気スペースのない、シールド材の厚みのみを追加する利用でも、外側に接続される羽目板ユニットの通気スペースも利用し、外側への通気スペースを連通あるいは閉止状態で接続しながら、その部屋の最適換気に最も適した通気スペース（空気流路）の設定に、外側に接続する羽目板の通気スペースも利用するようにしてもよい。
【００７６】
屋外に設置する場合には、屋外に組み立て作業スペースが得られるので、屋外側でも隣り合う家具等のユニットの接続作業を行うことができる。また、屋外設置の場合は、外側のケーシング部材あるいは躯体部材に、地盤に設置する杭との接続手段も設けることにより、地震、風圧や洪水などによる、強い水平方向の荷重に耐えられるようにしてもよい。
【００７７】
また、本発明の家具等ユニットに、机やベッドなどの機能を工場等で作り込んでおくのは勿論であるが、液晶パネルとか、パソコンとか、バス・トイレとか、温水器とか、水浄化装置とか、調理器とか、燃料電池とか、発電装置とか、蓄電設備とか、換気や家電機器の制御盤とか、分電盤なども標準化して、予め、作り込んでおくようにしてもよい。
【００７８】
また、本発明の通気スペースは、換気のために利用する他、電気配線、水道管や排水管の配設スペースとして利用してもよい。
【００７９】
また、第８の手段は、前記第７の手段を適用した部屋、及び建築構造物の一部を構成する開閉部の全部あるいは一部を、スライドベースを利用して開閉するようにしたことを最も主要な特徴とする。
【００８０】
本発明のシールド付きの羽目板、収納庫あるいは家具を適用した部屋、及び建築構造物の多くは、その扉などの開閉部にも同様のシールド性能が要求される。そして、シールドの目的によっては、必要なシールド材の厚さは厚くなり、重量も重くなる場合もあるので、軽い力で容易に開閉できるようにする必要がある。その場合、スライドベースを利用することで、開閉は容易になるのは勿論であるが、スライドベースの厚みは薄くできるので、目的とするシールド性能の欠損部分を、必要最小限にすることも容易にできる。
【００８１】
スライドベースは、キャスタで床面を滑らかに転がすようにするとか、薄型の転がり軸受方式にしてもよいが、テフロン（登録商標）製の板等の低摩擦係数の２枚の板を可動部と固定部のそれぞれの側に貼り付けて、２枚の低摩擦係数の板の部材の部分でスライドするようにすれば、薄いスライドベースを容易に得ることもできる。シールド付きの羽目板、収納庫あるいは家具の側板自体、天板自体、底板自体、あるいは、それらの表面を低摩擦係数の部材として、側板、天板、底板等の自体にスライドベース機能を持たせてもよい。
【００８２】
開閉部の重量による鉛直方向の荷重は、スライドベースで受けて移動するようにした場合でも、移動する軌跡が所定の軌跡になるように、所定の移動させたい軌跡に沿ってガイド  可能なガイド機構を設け、所定の開閉動作が円滑に行われるようにしてもよい。開閉するスペースのある場合には、開き戸方式で開閉させるのが簡単であるが、その場合は、蝶番によって、容易に、移動軌跡が円弧になるようにガイドできるが、折戸にするとか、グライドスライドドアのようにリンク機構と組み合わせるなどして、スペース状況に合わせて任意の移動軌跡で開閉させるようにしてもよい。
【００８３】
また、リフォームなどで、開閉部を前後に開閉するスペースのない場合には、引き戸方式でスライドさせることになるが、その場合でも、部屋を構成する壁のシールド材と開閉部のシールド材をラップさせて、開閉部の閉状態で十分なシールド性が得られるようにするのがよい。天井の高さスペースが十分にある場合は、上部と下部の高さ方向に十分ラップさせた上で、キャスタで床面を転がす方式とか、転がり軸受方式でスライドさせるようにすることもできる。
【００８４】
また、天井の高さスペースが十分ない場合でも、薄いスライドベースを利用することで、シールドされた部屋の中と部屋の外の床の段差を極力ないようにして、バリアフリー化を図ることもできる。その場合、少なくとも下側は、シールド材のラップ部分がないので、シールド部屋の開閉部の外側の床下に必要なシールド材を設けることで、バリアフリー化をした上で、開閉部の閉状態で十分なシールド性を得ることができる。
【００８５】
また、第９の手段は、前記第７の手段を適用した部屋、及び建築構造物の一部を構成する透明窓の全部あるいは一部は、透明窓の側面に反射部材を設けたことを最も主要な特徴とする。
【００８６】
本発明のシールド付きの羽目板、収納庫あるいは家具を適用した部屋、及び建築構造物の多くは、透明窓の部分にも同様のシールド性能が要求される。そして、シールドの目的によっては、必要なシールド材の厚さは厚くなり、透明窓の厚みも厚くなる場合もあるので、厚みのある窓でも、十分に窓としての機能を発揮できるようにする必要がある。その場合、透明窓の側面に反射部材を設けることで、入射あるいは放射される光は、反射部材で反射しながら、透過させることができるので、窓の側面部材に吸収損失される光の割合を最小にすることが容易にできる。
【００８７】
また、第１０の手段は、前記第７〜９の少なくとも１つの手段を適用した部屋、及び建築構造物において、部屋の外側にヒートポンプエアコン室外機を設置して外気との熱交換を行い、部屋の中にはヒートポンプエアコンの室内機を収納部に収納して、部屋の中の空気との熱交換は、収納部と収納部からの伝熱部材から行うようにすることを最も主要な特徴とする。
【００８８】
本発明のシールド付きの羽目板、収納庫あるいは家具を適用した部屋、及び建築構造物は、気密性が高くなるので、換気の他に温度調整も必要になるので、多くは、シールドの目的が熱以外の場合でも、熱に対するシールド材（断熱材）と組合せた十分な断熱性能の部屋となる。そのため、外界との熱移動は、ほとんどが遮断されるので、大容量の冷暖房装置は不要にできるので、専用の小型で小容量のヒートポンプエアコンの室外機と室内機とを部屋の内外に設置して、効率のよい冷暖房を行うようにするのがよい。
【００８９】
その場合でも、高い断熱性能のある部屋になるため、室内空気を強制循環させて、室内機との熱交換をたくさん行わずとも部屋の中の温度は安定に維持できる。
【００９０】
そのため、部屋の外側にヒートポンプエアコン室外機を設置して外気との熱交換を行い、部屋の中にはヒートポンプエアコンの室内機を収納部に収納して、部屋の中の空気との熱交換は、収納部と収納部からの伝熱部材から行うようにすることによって、暖気あるいは冷気を身体に直接受けて体調を崩すことのない、より居住性を向上させた部屋、及び建築構造物にすることができる。
【００９１】
また、室内の温度や湿度を検出して、温度や湿度も快適な条件になるように自動制御するヒートポンプエアコンを設置するようにしてもよい。湿度は、部屋の室内に調湿材を設置する方法でもよいし、調湿材の設置と湿度の調節機能付き室内機と併用するようにしてもよい。小型で小容量のヒートポンプエアコンでの室内温度調節は、室内機での室内空気との強制熱交換は行わないので、室外機での熱交換の程度（冷媒の温度）とか、冷媒の循環速度を変えるなどで、調節制御するようにしてもよい。
【００９２】
ヒートポンプエアコン室内機を収納部に収納することで、従来の大中容量のヒートポンプエアコンの室内機を用いる場合も、室内機からの暖気あるいは冷気は、収納部内で循環をしているだけなので、暖気あるいは冷気が部屋の中へ漏れないようにできる。また、収納部の室内の空気と接する部分に熱伝導率のよい金属等の部材を用いるとか、輻射放熱部に放射率の高い黒系の色にするなどで、部屋への熱伝達効率をよくしてもよい。また、収納部に扉を設けて、必要時には扉を開けて、暖気あるいは冷気を吹き出して、短時間で部屋の中の温度を上昇、あるいは冷却できるようにしてもよい。
【００９３】
また、ヒートポンプエアコンは、室外機と室内機が一体化されたものでもかまうものではない。一体化されたヒートポンプエアコンも、外気との熱交換を行う部分（ヒートポンプエアコン室外機に相当する部分）と、部屋の中の空気と熱交換を行う部分（ヒートポンプエアコンの室外機に相当する部分）から構成されているので、この第１０の手段は同様に適用できる。
【００９４】
一体化されたヒートポンプエアコンを部屋の壁に設置して、外気との熱交換を行う部分が部屋の外側、部屋の中の空気と熱交換を行う部分が部屋の内側になるように取付ける場合は、一体化されたヒートポンプエアコン自体が壁の一部を構成するので、壁と同じ程度のシールド性能をヒートポンプエアコン自体に設けるのがよい。
【００９５】
汎用品のため、一体化されたヒートポンプエアコン自体に壁と同じ程度のシールド性能を設けることが困難の場合は、一体化されたヒートポンプエアコン全体を部屋の内部に設置して、外気を断熱された配管とか、本発明の通気スペースなどを利用して、一体化されたヒートポンプエアコンの外気との熱交換を行う部分（ヒートポンプエアコン室外機に相当する部分）まで引き込んで、ヒートポンプエアコンの外気との熱交換を行う部分で熱交換を行い、熱交換後の外気を、再び、別系統の断熱された配管とか、本発明の通気スペースなどを利用して、部屋の外へ排出するようにしてもよい。
【００９６】
この場合、外気の引き込みと排出にはヒートポンプエアコンの運転と連動する専用ファンなどを設け、強制的な換気によって、ヒートポンプエアコンの外気との熱交換を行う部分が、部屋の外側にあるのと同じ程度に、外気の入れ替わりが行われるようにするのがよい。
【００９７】
また、外気を引き込む末端あるいは系統の途中と外気を排出する末端あるいは系統の途中には、断熱などのシールド性能を有するシャッタ開閉機構とか、後述するラビリンス貫通スリーブ４００Ｂ２Ｃ１３などを設けることで、ヒートポンプエアコンを運転しない場合にはファンも停止して外気は流れることはないので、部屋の中に設置する外気を引き込む系統と排出する系統も、部屋の中と同じように外界からはシールドされた状態にできる。
【００９８】
また、一体化されたヒートポンプエアコンでも、室外機と室内機とからなるヒートポンプエアコンでも、ドレン系統のある場合は、排水系統へ接続してドレン水を排水するようにしてもよいが、ドレン水を植物の鉢とか、メダカの水槽とか、加湿器等へ自動で供給するようにして、排水系統へ接続しないでも、ドレン水を処理できるようにしてもよい。
【００９９】
また、ドレン水を排水する排水系統が０℃以下になる場所を通る場合は、ドレン水が凍らないように、ドレン水に塩などの凍結防止剤を自動で混入してドレン水を排水するようにして、ドレン水の排出口で凍結防止剤を分離、回収するようにしてもよいし、排水系統の配管に適度な排熱などの温風を吹き込むとか、排水系統の配管の外側にヒーター等を設置するとか、排水系統の配管内部に耐食コーティング等を施した細長いヒーターを挿入するなどして、凍結防止を図るようにしてもよい。
【０１００】
また、第１１の手段は、前記第１〜１０の少なくとも１つの手段を適用したシールド付きの羽目板、収納庫あるいは家具、若しくは部屋、及び建築構造物において、給気と排気の熱交換をする換気手段を設けることを最も主要な特徴とする。
【０１０１】
前記第２の手段以外の、給気と排気の熱交換をする方法と組み合せることによって、選択肢が増えるので、より一層、熱効率の良い、最適な換気を、容易に構成できるようになる。
【０１０２】
前記第２の手段による給気と排気の熱交換をする以外の方法としては、家具等のユニットに接続される他の部材に熱交換機能付きの汎用換気扇を設置する簡単な方法でもよいし、部屋の外まで断熱ダクトで排気を引きだして、部屋の外側に熱交換器を設置して吸気との熱交換を行うようにしてもよい。部屋の外側に設置する熱交換器は、排気を、引きだした断熱ダクトの中に、給気用の一回り細い紙管とか、アルミ製ダクト等を、２重に配設した簡単な構造にしてもよい。
【０１０３】
外側の広いスペースにダクトを配設して、大型熱交換器を設置し、熱交換の効率を高めることもできる。また、外側に大型ファン等の駆動する機械を設置するので、室内はファンの音も気にならないので、より居住性を向上させることができる。
【０１０４】
また、前記第２の手段による給気と排気の熱交換のみの場合より、さらに、熱交換の効率を高めたいというような場合には、追加して、外側にも熱交換器を設置して、前記第２の手段による熱交換と併用して、外側でも熱交換をするようにしてもよい。
【０１０５】
また、第１２の手段は、前記第１〜１１の少なくとも１つの手段を適用したシールド付きの羽目板、収納庫あるいは家具、若しくは部屋、及び建築構造物において、通常の換気を行う通常動力源による駆動手段の他に、非常用動力源による駆動手段あるいは／および人力駆動の可能な駆動手段を設けることを最も主要な特徴とする。
【０１０６】
本発明のシールド付きの羽目板、収納庫あるいは家具を適用した部屋、及び建築構造物は、気密性が高くなるので、換気は重要な機能である。通常の換気を行う通常動力源として、商用電源を使用している場合、非常用動力源としては、燃料電池、蓄電池と風力発電とか太陽光発電などを組み合わせた電源など、商用電源以外の動力源であればどのような電源でもなり得る。そして、商用電源が停電した場合でも、非常用動力源に切り替わるように電源回路を構成しておくことにより、重要な換気を止めないで済むようにできる。
【０１０７】
また、非常用動力源も停止した場合、人力駆動の可能な駆動手段を設けることで、重要な換気を止めないで済むようにできる。人力駆動の可能な駆動手段は、換気用のファン等を直接人力で駆動するようにしてもよいし、人力で発電機を駆動して換気用ファンの電動機などを直接駆動するようにしてもよいし、人力で発電機を駆動して換気用ファンの電動機などを駆動する蓄電池を充電するようにしてもよい。
【０１０８】
人力駆動の可能な駆動手段は、内側あるいは／および外側から人力駆動可能とする。外側からも、遠隔地からも、人力駆動可能とすることによって、災害等で閉じ込められた場合でも重要な換気を継続できる。
【０１０９】
内側から人力駆動の可能な駆動手段を設ける場合、シャフトあるいは電線は、シールド材を貫通する必要がある。シールド材の貫通部は、シールド性能が低下しないよう貫通する空間をクランク状に設けるなどするのがよい。シャフトの場合は任意に曲げられるトルクチューブなどを利用してもよい。
【０１１０】
シールド材の貫通部は、部屋の中と外部とを繋げる電気配線、給水配管と排水配管などを通す個所としても必要となる。シールド材の貫通部は、家具等のユニットに設けてもよいし、家具等のユニットと接続される他部材に設けてもよい。
【０１１１】
また、第１３の手段は、前記第１〜１２の少なくとも１つの手段を適用したシールド付きの羽目板、収納庫あるいは家具、若しくは部屋、及び建築構造物において、外側あるいは／および内側にセンサを設置して、内側あるいは／および外側に、センサの検出結果を知らせる手段を設けることを最も主要な特徴とする。
【０１１２】
センサとしては、テレビカメラ、マイクロフォン、温湿度センサ、煙検知器、二酸化炭素や酸素の濃度検出器、有害ガスセンサ、放射線検出器等、部屋の中から外側、部屋の外側から内側の知りたい情報を検出する機能のあるセンサであれば何でもよい。また、外側は遠隔地でもよい。
【０１１３】
また、センサは部屋の中で部屋の中の状態を検出するものでもよい。例えば、前記第１２の手段を適用した部屋の中に、アラーム付きの二酸化炭素の濃度測定器を置いておくことによって、通常動力源による換気が停止してから、人力駆動の可能な駆動手段を使用する必要があるか、否かを容易に判別できるようになる。
【０１１４】
本発明のシールド付きの羽目板、収納庫あるいは家具を適用した部屋、及び建築構造物は、目的とするシールド機能を十分に確保すると、シールドされた対象の情報は勿論、その他の多くの必要な情報が遮断される場合もある。外側（あるいは／および内側）にセンサを設置して、内側（あるいは／および外側）に、センサの検出結果を知らせる手段を設けることで、遮断された必要な情報を容易に得ることができるようになる。
【０１１５】
センサの検出結果を知らせる手段としては、映像ならばテレビモニタ、音ならばスピーカ、温湿度であれば温湿度表示器などになる。テレビモニタとか、スピーカ、その他の表示器等は、家具等のユニットの中に組み込むようにしてもよい。また、センサ情報をパソコンなどの計算機で取り込み、パソコンのプログラムで検出結果の正常か異常かの自動判別も行い異常な場合はアラームも出力するようにして、検出結果の情報は、パソコンのモニタとスピーカ等で一括して出力表示するようにしてもよい。また、検出センサ、センサとのインタフェース、無線通信機能の備わった、携帯型のスマートフォン等の端末をパソコンの代わりに、あるいはパソコンと組み合わせて、利用するようにしてもよい。
【０１１６】
家具等のユニットには、照明等も組み込んでよい。家具等のユニットの中に組み込まれた照明とか、テレビモニタとか、スピーカ等は、照明のほか、外側の景色と音を見聞きする電子窓として利用してもよい。また、パソコン等の計算機へ取り込んだセンサの検出結果を利用して、部屋の中の照明の制御、換気の制御、温度・湿度の制御、家電機器のＯＮ／ＯＦＦ制御などに利用してもよい。室内生活者の行動内容もセンサで検出するようにして、生活者の行動内容に適した制御を行って、快適な居住性を自動制御で向上させてもよい。また、遠隔地からの制御、遠隔地の機器の制御に利用してもよい。
【発明の効果】
【０１１７】
本発明のシールド付きの羽目板、収納庫あるいは家具、若しくは部屋、及び建築構造物は、従来の一般的断熱住宅のように、最初に断熱住宅を建築して、冷蔵庫などの収納庫、机や書棚などの家具を後から搬入設置する場合と比較して、壁板と家具等の背板の材料重複、製作工数の重複、又、住宅壁の建築工数と家具等の搬入設置工数の重複のために生じる、余分なエネルギ消費を抑制することができるという利点がある。
【０１１８】
また、特許文献１のように、外側にシールド材（吸音材）を設け、そのシールド材の内側に換気用の通気スペースを設けたパネル材を用いた場合と比較して、同じパネルを同一仕様で多数台を合理的に製作して、周囲（上下左右）に接続して、自由な間取りの任意の大きさの部屋を組み立てて、さらに、その部屋の換気に最適な通気スペースの連通状態あるいは閉止状態を、任意選択しながら組立てて、その部屋の最適な換気に最も適した通気スペース（空気流路）の設定を容易に行うことができる。そして、部屋を施工後、さらに室内に家具などを設置する場合は、パネル部材と家具等の背板部材との重複、パネル施工と家具等の製作設置作業の重複のために生じる、余分なエネルギの消費も抑制できるという利点がある。 
【０１１９】
また、特許文献２のように、外側にシールド材（断熱材）を設けて、その断熱材の内側に通気スペースを設けて、周囲に配置する他部材の通気スペースと連通状態にて接続可能なパネルとした場合と比較して、接続手段によって、自由な間取りの任意の大きさの部屋が簡単に組み立てでき、さらに、その部屋の換気に最適な通気スペースの連通状態あるいは閉止状態を任意に選択しながら組立てられ、その部屋の最適な換気に最も適した通気スペース（空気流路）の設定を容易に行うことができる。そして、その部屋を施工後、さらに室内に家具などを設置する場合は、パネル部材と家具等の背板部材との重複、パネル施工と家具等の製作設置作業の重複のために生じる、余分なエネルギの消費も抑制できるという利点がある。 
【０１２０】
また、特許文献３のように、外側にシールド材（断熱材）を設けて、その断熱材の内側に通気スペースを設け、周囲に配置する他部材との接続手段を設けた壁パネルと屋根兼天井パネルとした場合と比較して、同じパネルを同一仕様で多数台を合理的に製作して、周囲（上下左右）に接続して、自由な間取りの任意の大きさの部屋を組み立て後、その部屋の換気に最適な通気スペースの連通状態あるいは閉止状態を任意選択しながら組立て、その部屋に最適な換気に最も適した通気スペース（空気流路）の設定を容易に行うことができる。そして、部屋の施工後に、室内に家具等を設置する場合、パネル部材と家具等の背板部材との重複、パネル施工と家具等の製作設置作業の重複のために生じる、余分なエネルギの消費も抑制できるという利点がある。 
【０１２１】
また、特許文献４のように、外側にシールド材（断熱材）を設けて、その断熱材の内側に通気スペースを設けたビルトイン式の通気収納庫とした場合と比較して、同じ収納庫を同一仕様で多数台を合理的に製作し、周囲（上下左右）に接続して、自由な間取りの、任意の大きさの部屋を組み立てるとき、その部屋の換気に最適な通気スペースの連通状態あるいは閉止状態を任意選択しながら組立てて、その部屋の最適換気に最も適した通気スペース（空気流路）の設定を容易に行うことができる。そして、部屋の断熱パネル施工後に、室内にビルトイン家具を設置するために生じる、断熱パネル施工と家具設置作業の重複の余分なエネルギの消費も抑制できるという利点がある。
【０１２２】
また、特許文献５のように、シールド材（断熱材）で包囲した倉庫内で、物品棚の支柱等を通気パイプ（通気スペース）で構成して、温度調整用の空気を通し排出するようにして、倉庫内全体を一定温度に維持し、温度調整用空気を通す特別の排気用の配管を不要とする場合と比較して、シールド材（断熱材）で包囲された倉庫も自由な間取りで任意の大きさで組み立てることが容易にできる。そして、断熱倉庫の施工を実施後に、室内に物品棚を設置するために生じる、断熱倉庫の施工作業と物品棚の搬入設置作業の重複の余分なエネルギの消費も抑制できるという利点がある。
【０１２３】
また、特許文献６のように、外側にシールド材（断熱材）を設け、そのシールド材の内側に換気用の通気スペースを設け、周囲に配置する他部材の通気スペースと連通状態で接続して、通気スペースを用いた換気を行い、給気と排気の熱交換をするようにしたパネルの場合と比較して、同じパネルを同一仕様で多数台を合理的に製作して、周囲（上下左右）に接続して、自由な間取りの任意の大きさの部屋を組み立てる時、その部屋の換気に最適な通気スペースの連通状態あるいは閉止状態を任意に選択しながら組立てて、その部屋に最適な換気に最も適した通気スペース（空気流路）の設定を容易に行うことができる。また、伝熱パネルを外壁面材と内壁面材との間に面の部材として、精度良く、シール性も確保して、組み込む必要がないため、熱交換を行う手段を得るための製作とその組み込みを、部品の加工精度とか、組み込み時の面のシール性などを気にする必要のない程度に、容易に行うことができる。そして、部屋の施工後に、室内に家具等を設置する場合、パネル部材と家具等の背板部材との重複、パネル施工と家具等の製作設置作業の重複のために生じる、余分なエネルギの消費も抑制できるという利点がある。
【０１２４】
また、特許文献７のように、外側にシールド材（断熱材）を設け、そのシールド材の内側に換気用の通気スペースを設け、周囲に配置する他部材の通気スペースと連通状態で接続して、通気スペースを用いた換気を行い、給気と排気の熱交換をする場合と比較して、天井や壁部材がユニット化されているため、同一仕様で多数台を合理的に製作して、周囲（上下左右）に接続して、自由な間取りの任意の大きさの部屋の組み立てを、容易に行うことができる。また、自由な間取りの任意大きさの部屋の換気に最適な、通気スペースの連通状態あるいは閉止状態を任意選択しながら組み立て、その部屋の最適な換気に最も適した通気スペース（空気流路）の設定を容易に行うことができる。そして、部屋施工後に、室内に家具等を設置する場合、天井や壁部材と家具等の背板部材の重複、天井や壁の施工と家具等の製作設置作業の重複のために生じる、余分なエネルギの消費も抑制できるという利点がある。
【０１２５】
すなわち、以上のように、本発明によれば、音、熱、放射線、異物などの内外からの影響を隔離する羽目板、収納庫あるいは家具などを、同一仕様で多数台を合理的に製作して、周囲（上下左右）に接続して、自由な間取りの任意の大きさの部屋を構成するとき、最適な換気を容易に構成でき、簡単に組立・分解・再利用ができ、建築時の初期工数や材料の不要なエネルギの消費も容易に抑制できるという利点がある。
【図面の簡単な説明】
【０１２６】
【図１】本発明の第１及び第２の手段を適用した書棚の一実施例の側面断面図である。
【図２】図１のＡ−Ａ断面図（仕切り板なしで組み立て時の空気流路設定の一例）である。
【図３】通気スペースに仕切板を設けた書棚の一実施例（空気流路設定の一例）である。
【図４】本発明の第３の手段を適用した書棚（空気流路設定）の一実施例の正面断面図である。
【図５】図４の書棚のＢ−Ｂ断面図である。
【図６】本発明の第４及び第５の手段を適用した書棚の一実施例の側面断面図である。
【図７】本発明の第４及び第５の手段を適用した書棚の別の実施例の側面断面図である。
【図８】図７の書棚のＣ−Ｃ断面図である。
【図９】図７のファン制御ユニットとファン制御系統の一実施例のブロック図である。
【図１０】図９の制御回路（ＣＰＵ）のプログラムの一実施例のフローチャートである。
【図１１】本発明の第６の手段を適用した書棚の一実施例の側面断面図である。
【図１２】本発明の第７〜第１０の手段を適用した部屋の一実施例の断面図である。
【図１３】図１２の部屋のＤ−Ｄ断面図である。
【図１４】本発明の第７〜第１０の手段を適用した建築構造物の一実施例の断面図である。
【図１５】本発明の第７〜第１０の手段を適用した建築構造物の別の実施例の平面図である。
【図１６】図１５の建築構造物（部屋）の窓のＥ−Ｅ断面図である。
【図１７】図１６の窓構造の別の実施例である。
【図１８】図１５の建築構造物（部屋）の断熱内扉のＦ−Ｆ断面図である。
【図１９】本発明の第１１の手段を適用した部屋（書棚）の一実施例の側面断面図である。
【図２０】本発明の第１２の手段を適用した部屋の一実施例である。
【図２１】本発明の第１３の手段を適用した部屋の一実施例である。
【発明を実施するための形態】
【０１２７】
以下、本発明の実施例を図面を用いて説明する。図１は、本発明の第１及び第２の手段を適用した書棚の一実施例の側面断面図を示す。シールド材として、断熱材４００ｒを使用した場合の書棚である。
【０１２８】
一般の住宅の多くは、断熱と防音が主要なシールドの目的になるので、断熱材４００ｒには、断熱性能と防音性能が期待できて、充填作業も比較的容易な、セルロースファイバーなどを使用してもよい。
【０１２９】
セルロースファイバーの場合は、繊維が自重の重さで時間とともに圧縮して上部に大きなスペース（シールドの欠陥）が生じる場合もあるので、例えば、セルロースファイバーが、圧縮しても、上部には、自然対流の生じにくい厚み１２ｍｍ程度以下の空気層が生じて、空気層の断熱部分が生じるようにするとか、硬化する接着材を、ガス状あるいはミスト状あるいは液体で、セルロースファイバーの繊維に付着させて、充填後に硬化させるなどの圧縮対策を施すようにしてもよい。
【０１３０】
厚み１２ｍｍ程度以下の空気層を生じさせる場合は、壁などの上部に、薄い断熱板を１２ｍｍ程度以下の隙間の間隔で図１６に示す窓板４００Ｍａのように複数枚設けて、施工時はセルロースファイバーを薄い断熱板の作る１２ｍｍ程度以下の隙間の間にも充填させると、セルロースファイバー全体が圧縮しても、上部には１２ｍｍ程度以下の隙間の空気層の断熱部分が生じるようにできる。
【０１３１】
天井とか、床ユニットの水平な部分では、断熱シールド全体の厚みを、薄い断熱板で分割して、分割した１つの層で、セルロースファイバーが最長の使用期間で生じる最大の圧縮が生じた時に、上部に生じる空気層の厚みが１２ｍｍ程度以下の隙間になるように、薄い断熱板で分割するようにすれば、上部には１２ｍｍ程度以下の隙間の空気層の断熱部分が生じるようにできる。
【０１３２】
断熱と防音が主要な目的の断熱材４００ｒとしては、その他、セルロースファイバーなしで、全てのシールドしたい面に、薄い断熱板を１２ｍｍ程度以下の隙間の間隔で図１６の窓板４００Ｍａのように複数枚設け、多層の空気層で断熱して、多層のある程度の重量のある薄い断熱板で防音するようにしてもよい。
【０１３３】
例えば、密度３０ｋｇ／ｍ３の厚さ１９０ｍｍのセルロースファイバーに相当する断熱性となる空気層は、１２ｍｍ×１１層の１３２ｍｍ程度で、薄い断熱板は１ｍｍ程度の木製の薄板×１０枚の層で、セルロースファイバーに相当する重量密度となるので、シールドの全体厚みは、１４２ｍｍ程度で、セルロースファイバー１９０ｍｍよりも薄くできる。
【０１３４】
複数枚の薄い断熱板を１２ｍｍ程度以下の隙間の間隔で保持させる構造としては、複数枚の薄い断熱板と直交させる方向に、複数枚の薄い断熱板を挟み込むスリットを設けた薄い断熱板を周囲の数か所に設ける簡単な施工で１２ｍｍ程度以下の隙間の間隔を保持させてもよい。直交させて挟み込む薄い断熱板は、空気層以外の熱伝導部材となるため、プラスチックとか、木材など、断熱性のよい部材で、できるだけ、薄くして、挟み込む個所数も少なくするのがよい。
【０１３５】
断熱と防音が主要な目的の断熱材４００ｒとしては、その他、断熱性のよい材料でできた、内部に空気の空洞のある筒状のストロー部材を、シールドした方向と直交する方向に密に詰めるようにしてもよい。スリットを設けた薄い断熱板を直交させて保持させる必要ないので、施工をより簡単にできる。ストロー部材の空洞は、直径１２ｍｍ程度以下として、互いに隣り合うストローの部材は接触して、空気層以外の熱伝導部材となるため、プラスチックとか、木材など、断熱性のよい部材で、できるだけ、薄くするのがよい。
【０１３６】
内部に空気の空洞のある筒状のストロー部材は、予め、互いに隣り合う複数本を接着して大きなブロック状に形成しておき、必要な形状に切り出して、断熱材４００ｒのスペースに組み込むようにしてもよいし、ストロー部材の断面は、円形以外の三角形とか、多角形、ハニカム構造としてもよい。
【０１３７】
シールド付書棚ユニット４００Ｂ２Ｃ（１）は、両側の側板４００Ｂ２Ｃ２を上板４００Ｂ２Ｃ１、底板４００Ｂ２Ｃ３、３枚の棚板４００Ｂ２Ｃ６、後ろを背板４００Ｂ２Ｃ４、その手前を２枚の中板４００Ｂ２Ｃ５で接続して、箱型の構造に組み立てられている。
【０１３８】
それぞれの板の部材は、木材などでよい。組み立ては、それぞれの部材の板を接着剤とか、木ネジ等で接続固定して一体化している。勿論、それぞれの部材の板、さらには、断熱材４００ｒも薄いケーシングに収納するなどしてユニット化して、使用する場所までの運搬時体積を小さくして、運搬し易くして、使用する場所で組み立てるようにしてもよい。
【０１３９】
また、それぞれの板の部材は、プラスチック板でもよいし、予め、棚の全体あるいは一部が一体成形されたプラスチック製の部品としてもよい。また、ＧＦＲＰ（ガラス繊維強化プラスチック）とか、ＣＦＲＰ（炭素繊維強化プラスチック）等で製作してもよい。また、それぞれの板の部材とか、断熱材なども、中空の構造で、薄板あるいはフィルム状の部材で製作し、折り畳むとか、内部の空気を抜くなどして、運搬時体積をより一層小さくして、携帯し易くして、使用する場所で、折り畳み状態から復元させるとか、内部に空気を注入して復元させるなどして、組み立てるようにしてもよい。断熱材を薄板あるいはフィルム状の部材で製作する場合は、多層の空気層で断熱性を高めることも容易にできる。また、薄板あるいはフィルム状の部材で製作する場合の接続手段は、点や線や面のファスナー等、しっかりと接続でき、運搬時体積を小さくできる、着脱も容易な接続手段がよい。
【０１４０】
さらに、プラスチック以外のゴムや金属など、他の目的のシールド性能を有する部材との複合部材として、接合してもよいし、複数台を同一仕様で効率良く一体成形してもよいし、少しずつ設計内容を変更しながらも、容易に製作できる３Ｄ（３次元）プリンタを用いて一体成形してもよい。
【０１４１】
３Ｄ（３次元）プリンタでの一体成形では、印刷する素材を切り替えながら、断熱材とか、側板などの部材も含めて、全体を一体成形してもよい。
【０１４２】
また、側板、上板、底板、棚板には、必要個所に、通線用の開口部とか、切り欠き等を設け、配線の必要な機器を収納する場合でも、離れた機器と機器との配線がシールド付書棚ユニット等の中で整然とできるようにしてもよい。
【０１４３】
断熱材４００ｒは、左右の側板４００Ｂ２Ｃ２、上板４００Ｂ２Ｃ１、底板４００Ｂ２Ｃ３と、後ろ側の中板４００Ｂ２Ｃ５が作る空間の中に充填されており、その手前（内側）に換気用の通気スペース４００Ｂ２Ｃ７が設けられる。
【０１４４】
左右の側板４００Ｂ２Ｃ２、上板４００Ｂ２Ｃ１、底板４００Ｂ２Ｃ３には、上下左右の別の書棚あるいは別の部材とボルト締結可能とする側板ボルト穴４００Ｂ２Ｃ８ｂ、上板ボルト穴４００Ｂ２Ｃ８ａ、底板ボルト穴４００Ｂ２Ｃ８ｃが設けられている。
【０１４５】
底板４００Ｂ２Ｃ３の下側には、接続の状態をイメージしやすくするため、シールド付床ユニット４００Ｂ３Ｇ（１）を二点鎖線で示してある。
【０１４６】
一般の収納庫あるいは家具は奥行きがあり、２本の締結ボルトの間隔は広めにとれるため、内側からの締結作業のみでも容易に組み立て可能にできる。ボルト締結時に工具や手が入る空間も確保しやすい。
【０１４７】
２本のボルトを奥行き方向に大きな間隔で締付けることで、シールド材のある外側の接続面が開こうとする力に対しても、押さえこむのに十分な大きさのモーメントを生じさせることができ、シールド材の外側の接続面も強く密着させて接続することができる。
【０１４８】
また、左右の側板４００Ｂ２Ｃ２、上板４００Ｂ２Ｃ１、底板４００Ｂ２Ｃ３には、上下左右の別の書棚あるいは別の部材の通気スペースと連通状態で接続可能とする横開口部４００Ｂ２Ｃ７ｂ、上開口部４００Ｂ２Ｃ７ａ、下開口部４００Ｂ２Ｃ７ｃが予め設けられている。
【０１４９】
予めの状態は開口状態なので、そのまま接続すれば、連通状態での接続ができ、開口部を閉止して接続すれば、閉止状態での接続ができるようになっている。閉止する場合には、薄いフィルムなどを貼ることで、容易に閉止できる。
【０１５０】
薄いフィルムも予め所定の大きさで周囲の部分のみに接着剤が付いているシール状にして準備しておき、現場で組立てながら、連通状態にするか、閉止状態にするかを決めながら組み立ててもよいし、事前に換気用通気スペースの接続状態を検討してから、組み立てるようにしてもよい。
【０１５１】
勿論、開口部にシャッタ機構を設けて、開閉可能にして、接続できるようにしてもよいし、予め、部品加工前に、換気用通気スペースの最適な接続状態を設計して、その結果を反映して工場製作するようにしてもよい。
【０１５２】
開口部の大きさ、位置、員数などは、生産する書棚などを隣り合う書棚、その他の部材と組み合せる場合において、換気用通気スペースの最適な接続状態を実現する解となりえる全ての候補の大きさ、位置、員数などにしてもよいし、その中から多くを網羅する主要な大きさ、位置、員数などに絞り込んだものとしてもよい。
【０１５３】
また、シールド付書棚ユニット４００Ｂ２Ｃ（１）の一番下の棚板４００Ｂ２Ｃ６の下の空間は、部屋の換気に利用できる通気スペースとして、手前の中板４００Ｂ２Ｃ５に開口部を設け、シールド材の内側に設けた通気スペース４００Ｂ２Ｃ７と連通させ、正面には換気グリル４００Ｂ２Ｃ９を設けてある。また、棚板４００Ｂ２Ｃ６の手前の部分がないものは羽目板となり、壁以外の天井や床にも設置可能となる。
【０１５４】
そして、棚板４００Ｂ２Ｃ６の代わりに他の部材を組み付けることで、机やベッド、天井照明、収納、床コタツ、椅子、テーブル、テレビ置台、サイドボード、ステレオ音響機器、冷蔵庫、電子調理器、テレビ、スクリーン、液晶モニタによる電子窓、観賞用水槽、養殖水槽、３Ｄ（３次元）プリンタなどの家庭用製造装置、養鶏や養豚の檻と餌供給装置などを備えた装置、細胞の培養装置、野菜工場の棚などにしてもよい。また、本発明の実施例の説明では、建築構造物の部屋を一つの代表的な実施例として説明しているが、円筒や球などの空間では、円筒や球に沿った曲率の背板にするなどして、自動車やトラック、列車、船、潜水艦、飛行機、ロケット、宇宙船などの部屋とか、家具、収納庫などにも適用してよい。
【０１５５】
また、シールド付書棚ユニット４００Ｂ２Ｃ（１）の換気グリル４００Ｂ２Ｃ９は、必要な部位に取り付け可能なオプション部品にして、シールド付書棚ユニットは標準化して、同じユニットで、壁以外の天井や床も組み立て可能にしてもよい。この場合、壁と床、壁と天井、壁と壁のコーナー部分では、上板４００Ｂ２Ｃ１とか、側板４００Ｂ２Ｃ２とか、底板４００Ｂ２Ｃ３と接続可能な接続板をオプション部品として、側板と上板（あるいは底板）と棚板の作る部屋の内側の空間部分の棚の開口部を塞ぐように取り付け可能として、塞いだ空間の内部にも、コーナー部分のシールド欠落を補う補助シールド材をオプション部品として取り付け可能にしてもよい。また、中板４００Ｂ２Ｃ５を１枚板にして、通気スペース４００Ｂ２Ｃ７のないシールド付書棚ユニットも標準化し、通気スペース４００Ｂ２Ｃ７を利用した給・排気系統を設けなくてもよいエリアには、通気スペースのない、標準品を使い分けられるようにしてもかまうものではない。そして、床と天井の部分は、棚板の部分の空間を塞ぐ、敷板とか床の部品、天井板なども標準化して、取り付け可能にするとともに、窓や出入口の開口部には、標準化した窓ユニットとか、扉ユニットなどの取り付け可能なアタッチメントをオプション部品として、取り付け可能としてもよい。
【０１５６】
次に、図２を用いて、この書棚の使用例を説明する。図２は、図１のＡ−Ａ断面図を示す。図１の書棚を仕切り板などの部品を使用しないで、そのまま組み立て、換気用空気流路を設定する場合の一例である。
【０１５７】
シールド付書棚ユニット４００Ｂ２Ｃ（１）の下には、シールド付床ユニット４００Ｂ３Ｇ（１）が接続され、上には、シールド付書棚ユニット４００Ｂ２Ｃ（２）が接続され、その上には、シールド付天井ユニット４００Ｂ１Ｃが接続されている。
【０１５８】
シールド付書棚ユニット４００Ｂ２Ｃ（２）は、シールド付書棚ユニット４００Ｂ２Ｃ（１）と同じものをさかさまに取り付けている。また、左右にも同じ構成で接続して、1面の壁と床と天井を成している。
【０１５９】
シールド付床ユニット４００Ｂ３Ｇ（１）〜（３）の通気スペースは、横方向に連通状態に接続して排気系統に利用するが、シールド付書棚ユニット４００Ｂ２Ｃと、シールド付天井ユニット４００Ｂ１Ｃの側板の開口部は、閉止プレート４００Ｂ２Ｃ１０により閉止状態にしてあり、それぞれ上下方向のみ連通状態で接続し、給気系統と排気系統が交互に隣り合うように構成してある。
【０１６０】
シールド付書棚ユニット４００Ｂ２Ｃ（２）の上のシールド付天井ユニット４００Ｂ１Ｃからは、給気が送られてきて、送られてきた給気はそのまま、下方へ流れて、シールド付書棚ユニット４００Ｂ２Ｃ（１）の下側の換気グリル４００Ｂ２Ｃ９から部屋の中へ給気されるようになっている。
【０１６１】
シールド付書棚ユニット４００Ｂ２Ｃ（２）の右側の隣のシールド付書棚ユニットの上のシールド付天井ユニットからは、排気が送られてきて、シールド付書棚ユニットの上側の換気グリル４００Ｂ２Ｃ９からも排気を取り込み、合流した排気はそのまま、下方へ流れ、シールド付床ユニット４００Ｂ３Ｇ（２）から排気系統へ排出されるようになっている。
【０１６２】
部屋全体の給排気系統がイメージしやすいように、図の下には、部屋の給排気系統の一例としての鳥瞰図を示している。シールド付床ユニット４００Ｂ３Ｇの通気スペースを横に連通状態にして、実線で示した給気系統６Ｓｆと点線で示した排気系統６Ｓｅを構成し、シールド付書棚ユニットとシールド付天井ユニットの通気スペースを利用して、給気系統と排気系統を交互に接続している。
【０１６３】
給気系統６Ｓｆの入り口からは、給気６ｆが送り込まれて、換気グリル４００Ｂ２Ｃ９から部屋の中へ給気され、部屋の中の空気は、別の換気グリル４００Ｂ２Ｃ９から排気され、排気系統６Ｓｅの出口から、排気６ｅとして排出される構成となっている。
【０１６４】
このように、シールド材の内側に設けた通気スペースを利用することで、換気用の給排気系統を容易に構成できる。また、給排気系統を交互に隣り合うようにしたことで、側板を介して、給気と排気の熱交換も容易に行うことができる。
【０１６５】
図３は、通気スペースに仕切板を設けた書棚の一実施例を示す。書棚を大きくして、通気スペースの中に、仕切り板を設け、換気用の空気流路を設定する場合の一例である。
【０１６６】
大きなサイズのシールド付書棚ユニット４００Ｂ２Ｃ（１）の下には、シールド付床ユニット４００Ｂ３Ｇ（１）、（２）が接続され、上には、シールド付天井ユニット４００Ｂ１Ｃが接続されている。
【０１６７】
シールド付書棚ユニット４００Ｂ２Ｃ（１）の左側も、同じ構成で接続され、1面の壁と床と天井を成している。右側は、部屋の端部で、部屋の長さに合せる調整を兼ねて、幅が約半分のサイズのシールド付書棚ユニット４００Ｂ２Ｃ（２）が、接続されている。
【０１６８】
シールド付書棚ユニット４００Ｂ２Ｃ（１）（２）の通気スペースの内部には、仕切板４００Ｂ２Ｃ１１（１）（２）が組み込まれ、給気系統と排気系統を分けている。
【０１６９】
シールド付床ユニット４００Ｂ３Ｇ（１）〜（３）の通気スペースは、横方向に連通状態に接続して排気系統に利用するが、途中に、仕切板４００Ｂ３Ｇ１１を設け、引き込んだ排気を、シールド付書棚ユニット４００Ｂ２Ｃ（１）の中へ戻してから、もう一度、引き込むようにしてある。
【０１７０】
シールド付書棚ユニット４００Ｂ２Ｃ、シールド付天井ユニット４００Ｂ１Ｃ、シールド付床ユニット４００Ｂ３Ｇの側板、上板、底板に予め設けられた開口部は、給排気系統の流れに応じて、不要な開口部は、閉止プレート４００Ｂ２Ｃ１０により閉止状態にして、給気系統と排気系統は、熱交換のため、交互に隣り合うように構成してある。
【０１７１】
シールド付書棚ユニット４００Ｂ２Ｃ（１）の上のシールド付天井ユニット４００Ｂ１Ｃからは、給気６ｆが送られてきて、送られてきた給気６ｆはそのまま、下方へ流れて、図には示されていないが、シールド付書棚ユニット４００Ｂ２Ｃ（１）の下側に設けられた換気グリル４００Ｂ２Ｃ９から部屋の中へ給気されるようになっている。
【０１７２】
シールド付書棚ユニット４００Ｂ２Ｃ（１）の右上の側板の開口部からは、隣のシールド付書棚ユニットからの、排気６ｅが送られてきて、図には示されていないが、シールド付書棚ユニットの上側に設けられた換気グリル４００Ｂ２Ｃ９からも排気を取り込み、合流した排気はそのまま、下方へ流れ、シールド付床ユニット４００Ｂ３Ｇ（１）からシールド付床ユニット４００Ｂ３Ｇ（２）の排気系統へ流れて、再び、シールド付書棚ユニット４００Ｂ２Ｃ（１）の内部の排気系統を流れて、往復してから、シールド付床ユニット４００Ｂ３Ｇ（３）の排気系統６Ｓｅの出口から排出されるようになっている。
【０１７３】
排気系統６Ｓｅは、シールド付床ユニット４００Ｂ３Ｇ（３）の排気系統６Ｓｅの出口の手前で分岐して、シールド付書棚ユニット４００Ｂ２Ｃ（２）の内部を通って、シールド付天井ユニット４００Ｂ１Ｃの通気スペースを仕切板４００Ｂ１Ｃ１１で仕切られた排気系統からも、排出されるようになっている。２個所からの排気により、排気流量を増やすことができる。
【０１７４】
シールド付書棚ユニット４００Ｂ２Ｃの上と下には、図には示されていないが、数多くの換気グリル４００Ｂ２Ｃ９が設けられているので、各換気グリル４００Ｂ２Ｃ９に絞りを設けるとか、フィルタなどの枚数を変えるなどして、背圧を調整して、各換気グリルからの排気と給気の空気の流れの量が、それぞれ同じ程度になるように調整するのがよい。
【０１７５】
このように、大きなサイズのシールド付書棚ユニットにして、現場での接続作業を簡単にしても、内部に仕切板を設けることで、通気スペースを利用して、換気用の給排気系統を容易に構成できる。また、給排気系統を交互に隣り合うようにすることで、側板や仕切板を介して、給気と排気の熱交換も容易に行うことができる。
【０１７６】
更に、仕切板の枚数を増やして、多くの面積で給気と排気の熱交換ができるようにして、熱交換の効率を高めるようにしてもよい。仕切板は、書棚の強度部材ではないので、薄い紙などの部材で構成し、熱交換の効率を高めるとともに、給排気の湿気（水分）の交換も行えるようにしてもよい。
【０１７７】
図４は、本発明の第３の手段を適用した書棚の正面から見た断面図で、通気スペースの中に給排気用の管を配設した書棚の一実施例を示す。管内を吸気用、管外側の通気スペースを排気用として利用して空気流路を設定した場合の一例である。
【０１７８】
シールド付書棚ユニット４００Ｂ２Ｃ（１）の下には、シールド付床ユニット４００Ｂ３Ｇ（１）が接続され、上には、シールド付天井ユニット４００Ｂ１Ｃが接続されている。
【０１７９】
シールド付書棚ユニット４００Ｂ２Ｃ（１）の左側も、同じ構成で接続され、1面の壁と床と天井を成している。右側は、部屋の端部で、部屋の長さに合せる調整を兼ねて、幅が約半分のサイズのシールド付書棚ユニット４００Ｂ２Ｃ（２）が、接続されている。
【０１８０】
シールド付天井ユニット４００Ｂ１Ｃの通気スペースは、横の方向に連通状態に接続して給気系統に利用されている。そして、右側の終端部は閉止してある。
【０１８１】
シールド付書棚ユニット４００Ｂ２Ｃ（１）（２）の通気スペースの内部には、給気系統を構成する紙管４００Ｂ２Ｃ１２が組み込まれ、紙管以外の部分を排気系統に分けている。
【０１８２】
紙管４００Ｂ２Ｃ１２の代わりに、仕切板で同様の吸排気系統を構成することもできるが、紙管の場合、管になっているので、両端部以外はシール性があり、両端についても、丸い穴に挿入するだけで接続ができるので、吸排気系統を容易に構成できる。
【０１８３】
シールド付床ユニット４００Ｂ３Ｇ（１）（２）の通気スペースは、紙管からの給気を、図には示されていないが、シールド付書棚ユニット４００Ｂ２Ｃの下側に設けられた換気グリル４００Ｂ２Ｃ９から部屋の中へ給気するバイパスに利用しているので、側板の開口部は閉止プレート４００Ｂ２Ｃ１０にて閉止してある。
【０１８４】
排気系統は、シールド付書棚ユニット４００Ｂ２Ｃの下部に横方向に連通状態で設けられている。排気６ｅは、図には示されていないが、シールド付書棚ユニット４００Ｂ２Ｃの上側の換気グリル４００Ｂ２Ｃ９から吸い込まれて、通気スペースを下へ流れて、下部の排気系統で合流し、一括に右側へ排気される構成となっている。
【０１８５】
シールド付書棚ユニット４００Ｂ２Ｃの上部の側板開口部は、吸引のバランスを考慮して連通状態にしてあるが、下部の側板開口部は、それぞれの排気６ｆがそのまま上から下へ流れるように、閉止プレート４００Ｂ２Ｃ１０にて閉止状態にしてある。
【０１８６】
図５は、図４のＢ−Ｂ断面図を示す。シールド付書棚ユニット４００Ｂ２Ｃ（１）の通気スペース４００Ｂ２Ｃ７には、紙管４００Ｂ２Ｃ１２が組み込まれている。
【０１８７】
シールド付天井ユニット４００Ｂ１Ｃの通気スペースは、連通状態にして、給気系統に利用されているが、紙管４００Ｂ２Ｃ１２は、シールド付書棚ユニット４００Ｂ２Ｃ（１）の上板４００Ｂ２Ｃ１に設けられた、給気系統と連通した上開口部４００Ｂ２Ｃ７ａに挿入されている。
【０１８８】
紙管４００Ｂ２Ｃ１２の下側の端部は、シールド付床ユニット４００Ｂ３Ｇ（１）の通気スペースと連通している下開口部４００Ｂ２Ｃ７ｃに挿入される。
【０１８９】
紙管４００Ｂ２Ｃ１２の取り付けは、上開口部４００Ｂ２Ｃ７ａの中へ、 シールド付天井ユニット４００Ｂ１Ｃの通気スペースまで挿入して、下開口部４００Ｂ２Ｃ７ｃの穴直径は小さめにしておくことにより、紙管４００Ｂ２Ｃ１２を下へ下げれば、下開口部４００Ｂ２Ｃ７ｃの穴手前で位置決めされて、挿入セッティングを容易に行うことができる。
【０１９０】
紙管４００Ｂ２Ｃ１２を、上あるいは下の開口部へ挿入した時、大きな隙間の生じる場合は、紙管の端部にテーピングを施して、紙管の外径を調整してもよいし、ゴム製ブッシュなどを使用して、できるだけ隙間の生じないように挿入するのがよい。
【０１９１】
棚板４００Ｂ２Ｃ６と手前の中板４００Ｂ２Ｃ５は、一体に組み立てられており、着脱式棚支持具４００Ｂ２Ｃ６Ｓを外すことで、手前に一体で出せる構造にしてあるので、紙管４００Ｂ２Ｃ１２の取り付け交換作業が容易に行える。
【０１９２】
シールド付天井ユニット４００Ｂ１Ｃの通気スペースから送られる給気は、紙管４００Ｂ２Ｃ１２の中を通って、シールド付床ユニット４００Ｂ３Ｇ（１）の通気スペースを経由して、シールド付書棚ユニット４００Ｂ２Ｃ（１）の換気グリル４００Ｂ２Ｃ９から部屋の中へ給気される。
【０１９３】
シールド付書棚ユニット４００Ｂ２Ｃ（１）の下部には、仕切板４００Ｂ２Ｃ１１により、排気系統の通路が構成され、横開口部４００Ｂ２Ｃ７ｂにより、隣り合う別のシールド付書棚ユニットと連通状態で接続されている。
【０１９４】
シールド付書棚ユニット４００Ｂ２Ｃ（１）の上部の換気グリル４００Ｂ２Ｃ９から吸引される排気６ｅは、紙管４００Ｂ２Ｃ１２の両側の通気スペース４００Ｂ２Ｃ７を通って、下へ流れて、仕切板４００Ｂ２Ｃ１１により構成された排気系統の通路へ吸引され、合流して排気される。
【０１９５】
このように、通気スペースの中に紙管を交換可能な構造で組み込むことで、換気用の給気と排気の全熱交換も容易に行うことができる。
【０１９６】
紙管や中板の組み立て時の接合面は、一般住宅の換気であれば、給気と排気が多少リークしても問題ないので、木材等の部材を押しあてる程度で十分であるが、給気と排気が多少なりともリークさせたくない場合は、接合面からもリークしないよう、接合面にパッキンなどを設けるようにしても良い。
【０１９７】
また、紙管の長さと棚の幅寸法の関係で、紙管の組み込みが困難となる場合には、紙管の下側は、底板４００Ｂ２Ｃ３の開口部４００Ｂ２Ｃ７ｃを給気用グリル４００Ｂ２Ｃ９の直近の上板に開口部を設け、紙管を差し込むようにして、給気６ｆをシールド付床ユニット４００Ｂ３Ｇの通気スペースをバイパスさせることなく、直接的に給気用グリルへ供給するようにして、排気６ｅは、シールド付床ユニット４００Ｂ３Ｇの通気スペースへ吸引して、シールド付床ユニット４００Ｂ３Ｇの通気スペースを排気系統にしてもよい。
【０１９８】
また、紙管４００Ｂ２Ｃ１２を、直径の異なる複数の管を伸縮するようにすき間無く接続して、棚の中に組み込む時に、短くして、奥に入れてから長く伸ばすようにしてもよい。
【０１９９】
次に、図６〜図１０を用いて、本発明の第４及び第５の手段を適用した書棚の一実施例を説明する。図６は、換気用の延長ダクトの接続可能な吸気口と排気口を外側に設けた書棚の側面断面図を示す。吸気口と排気口を１つの貫通スリーブに設けた一例である。
【０２００】
基本的な構造は、図５の書棚と同じである。シールド付書棚ユニット４００Ｂ２Ｃ（１）の下には、シールド付床ユニット４００Ｂ３Ｇ（１）が接続され、上には、シールド付天井ユニット４００Ｂ１Ｃが接続されており、シールド付書棚ユニット４００Ｂ２Ｃ（１）の通気スペース４００Ｂ２Ｃ７には、紙管４００Ｂ２Ｃ１２が組み込まれている。
【０２０１】
このシールド付書棚ユニット４００Ｂ２Ｃ（１）には、換気用の吸気口と排気口を外側に設けるため、断熱材４００ｒを貫通する貫通スリーブ４００Ｂ２Ｃ１３と、背板４００Ｂ２Ｃ４に開口部が設けられている。
【０２０２】
排気系統に利用している通気スペース４００Ｂ２Ｃ７は、貫通スリーブ４００Ｂ２Ｃ１３と連通するので、そのまま、換気用の排気口となる。また、給気系統に利用している１本の紙管４００Ｂ２Ｃ１２の途中にフレキシブルダクト４００Ｂ２Ｃ１８を接続して、貫通スリーブ４００Ｂ２Ｃ１３の中を通せば、換気用の給気口となる。
【０２０３】
熱シールドの目的のみの場合は、そのままでもよいが、音シールドを兼ねる場合は、貫通スリーブ４００Ｂ２Ｃ１３から音は漏れるので、音の通路をクランク状にして減衰させる補助シールド４００ＢｒＡを設けてある。
【０２０４】
排気口と給気口には、ダクトフランジ４００Ｂ２Ｃ１７が設けられているので、ファンを取り付けることもできるが、排気した空気が近くの給気口から吸引されないように、片方に延長ダクトを接続して、排気口と給気口の位置を離れた位置にすることも容易にできる。
【０２０５】
また、排気系統のダクトフランジ４００Ｂ２Ｃ１７に断熱ダクトを接続して、断熱ダクトの中に吸気系統のダクトを接続すれば、換気用の給気と排気の熱交換を、この延長部分で行うことも容易にできる。
【０２０６】
また、図７には、本発明の第４及び第５の手段を適用した書棚の別の実施例の側面断面図を示す。ファン付きの吸気口と排気口を別々に設けた場合の一例である。
【０２０７】
基本的な構造は、図５の書棚と同じである。シールド付書棚ユニット４００Ｂ２Ｃ（１）の下には、シールド付床ユニット４００Ｂ３Ｇ（１）が接続され、上には、シールド付天井ユニット４００Ｂ１Ｃが接続されており、シールド付書棚ユニット４００Ｂ２Ｃ（１）の通気スペース４００Ｂ２Ｃ７には、紙管４００Ｂ２Ｃ１２が組み込まれている。
【０２０８】
このシールド付書棚ユニット４００Ｂ２Ｃ（１）は、単品の使用でも、換気用の給気系統と排気系統が単独で構成されるように、シールド付天井ユニット４００Ｂ１Ｃとシールド付床ユニット４００Ｂ３Ｇ（１）の通気スペースを給気系統や排気系統に利用しない構成としてある。上板４００Ｂ２Ｃ１、底板４００Ｂ２Ｃ３などの開口部も不要となる。
【０２０９】
換気用の吸気口と排気口を外側に設けるため、断熱材４００ｒを貫通するラビリンス貫通スリーブ４００Ｂ２Ｃ１３と背板４００Ｂ２Ｃ４に開口部を設け、吸気ファン４００Ｂ２Ｃ１５と排気ファン４００Ｂ２Ｃ１４をそれぞれ内蔵するダクトフランジ付ケーシングが、保守交換のため着脱可能なように背板４００Ｂ２Ｃ４にボルトで取り付けられている。
【０２１０】
設置場所の制約等で、背板側にファンなどの出っ張りが邪魔になる場合は、ファンを内側、棚の内部などに取り付けるようにしてもよい。
【０２１１】
ラビリンス貫通スリーブ４００Ｂ２Ｃ１３は、音や放射線の遮蔽に特に有効である。
【０２１２】
給気系統は、吸気ファン４００Ｂ２Ｃ１５からの吸気が、ラビリンス貫通スリーブ４００Ｂ２Ｃ１３から紙管４００Ｂ２Ｃ１２を通って、シールド付書棚ユニット４００Ｂ２Ｃ（１）の上部へ送られ、上部の仕切板４００Ｂ２Ｃ１１で区切られた空間をバイパスして、隣の別の紙管４００Ｂ２Ｃ１２を通って下部へ送られ、最後に換気グリル４００Ｂ２Ｃ９から給気６ｆとして部屋の中へ放出される。
【０２１３】
排気系統は、シールド付書棚ユニット４００Ｂ２Ｃ（１）の上部の換気グリル４００Ｂ２Ｃ９から、排気６ｅは吸引され、通気スペース４００Ｂ２Ｃ７とラビリンス貫通スリーブ４００Ｂ２Ｃ１３を通って、排気ファン４００Ｂ２Ｃ１４から排出される。
【０２１４】
吸気ファン４００Ｂ２Ｃ１５と排気ファン４００Ｂ２Ｃ１４の手前の近くには、それぞれのファン制御ユニット４００Ｂ２Ｃ１６が設置され、電気配線で接続されている。
【０２１５】
ファン制御ユニット４００Ｂ２Ｃ１６への給電は、それぞれ電源プラグを設けて、部屋のコンセントから受電するようにしてもよいし、シールド付書棚ユニットの内部と隣り合うシールド付書棚ユニットへ、電気回路も接続できるようにして、１個所の受電で、全てのシールド付書棚ユニットのファン制御ユニットへ給電されるようにしてもよい。
【０２１６】
次に、図８を用い給気と排気の流れをより詳しく説明する。図８は、図７の書棚のＣ−Ｃ断面図を示す。
【０２１７】
シールド付書棚ユニット４００Ｂ２Ｃ（１）の右側には、幅が約半分のサイズのシールド付書棚ユニット４００Ｂ２Ｃ（２）が接続され、それぞれ、吸気ファン４００Ｂ２Ｃ１５と排気ファン４００Ｂ２Ｃ１４が奥に接続されているラビリンス貫通スリーブ４００Ｂ２Ｃ１３が棚の下部に２個所ずつ見えている。
【０２１８】
シールド付書棚ユニット４００Ｂ２Ｃ（１）の左下のラビリンス貫通スリーブ４００Ｂ２Ｃ１３から入ってきた給気６ｆは、紙管４００Ｂ２Ｃ１２を通って上部へ送られ、仕切板４００Ｂ２Ｃ１１で仕切られた空間をバイパスして、隣の紙管４００Ｂ２Ｃ１２を通って下部へ送られ、下部の仕切板４００Ｂ２Ｃ１１で仕切られた空間をバイパスして、再度、隣の紙管４００Ｂ２Ｃ１２を通って上部へ送られ、再度、仕切られた空間をバイパスして、隣の紙管４００Ｂ２Ｃ１２を通って下部へ送られ、上下に２往復した後、最後には、図に示されていないが、換気グリル４００Ｂ２Ｃ９から部屋の中へ放出される。
【０２１９】
シールド付書棚ユニット４００Ｂ２Ｃ（２）は、幅が約半分のサイズのため、給気６ｆの流れは上下に１往復となっている。
【０２２０】
シールド付書棚ユニット４００Ｂ２Ｃ（１）の上部には、図に示されていないが、複数の換気グリル４００Ｂ２Ｃ９があり、そこから吸引された部屋の排気６ｅは、そのまま通気スペースを通って下部へ流れて、下部の中央に見える排気ファン４００Ｂ２Ｃ１４のあるラビリンス貫通スリーブ４００Ｂ２Ｃ１３から排出される。
【０２２１】
排気６ｅは、通気スペースを通って下部へ流れている間に、紙管４００Ｂ２Ｃ１２の中の給気６ｆと熱交換が行われるので、それぞれの紙管４００Ｂ２Ｃ１２に沿って、なるべく均等に流れるように、下部の中央のラビリンス貫通スリーブ４００Ｂ２Ｃ１３の上には、仕切板４００Ｂ２Ｃ１１が配置されている。
【０２２２】
ファンの台数は保守が簡単になるように吸排気用をそれぞれ１台ずつにしたが、例えば、中央で吸引して、その両側で排気するなど、ファンの台数をたくさん設けて、換気性能をより良くしてもよい。
【０２２３】
また、給気のバイパス空間を仕切板で設ける代わりに、紙管をフレキシブルダクトなどで接続して、棚の中の通気スペースで往復させる流路を設定するようにしてもよい。
【０２２４】
図９は、図７のファン制御ユニットとファン制御系統の一実施例のブロック図を示す。１個所の受電で、全てのシールド付書棚ユニットのファン制御ユニットへ給電される電源の構成の一例も示してある。
【０２２５】
吸気ファン４００Ｂ２Ｃ１５には、ファンモータ４００Ｂ２Ｃ１５ａと温度計などの各種センサ４００Ｂ２Ｃ１５ｃが組み込まれ、それらからの配線は保守性を考慮してコネクタを介して、ファン制御ユニット４００Ｂ２Ｃ１６と接続される。
【０２２６】
ファン制御ユニット４００Ｂ２Ｃ１６には、コネクタを介して外から受電する電源ラインは、ファンモータの駆動制御回路４００Ｂ２Ｃ１６ｂと接続されて、制御回路（ＣＰＵ）４００Ｂ２Ｃ１６ａとも、ＤＣ／ＤＣコンバータを介して接続されている。
【０２２７】
制御回路（ＣＰＵ）４００Ｂ２Ｃ１６ａは、外から受電している電源ラインが停電しても、短時間ならば制御機能を維持できるバッテリが内蔵されており、温度の他、駆動制御回路の電源電圧、電流などを検出する各種センサ４００Ｂ２Ｃ１６ｃと、外部とデータ送受信可能な無線装置４００Ｂ２Ｃ１６ｄとも、電気的に接続されている。
【０２２８】
電源ラインは、シールド付書棚ユニット４００Ｂ２Ｃ（１）の中に配線４００Ｂ２Ｃ２１が配設され、側板には配線４００Ｂ２Ｃ２１の両端部の電極が絶縁され設けられており、隣り合うシールド付書棚ユニットと、側板を機械的に接続すると、電源ラインも電気的に接続されるようになっている。
【０２２９】
電源ラインは、ファン電源装置３０Ｆから受電される。電源ライン電圧は、漏電時の安全なども考慮して、ファンを駆動する電圧であっても、ＤＣ２４Ｖとか、ＤＣ１２Ｖなどの低圧にするのがよい。
【０２３０】
ファン電源装置３０Ｆは、商用電源３６から、ファンなども一定時間駆動できる大容量のバッテリを内蔵した電源装置３０を介して、コンセント等から受電することで、商用電源が停電した場合も、一定時間はファンなどを駆動可能にしている。
【０２３１】
また、商用電源３６以外にも、太陽光発電とか、風力発電とか、水力発電とか、燃料電池などの発電装置３５からも電源装置３０内のバッテリへ充電可能な構成としてある。
【０２３２】
ファン制御ユニット４００Ｂ２Ｃ１６は、部屋の最適な換気の制御ができるように、無線装置４００Ｂ２Ｃ１６ｄを介して、外部の計算機２（２２）と通信もできる。
【０２３３】
外部の計算機２（２２）は、Ｉ／Ｆボックス（インタフェースボックス）２２ＩＦを介し、部屋の各部位の温度とか、湿度とか、風速などを検出する各種センサ４０Ｓ１、無線装置４１と接続されている。
【０２３４】
無線装置４１は、ファン制御ユニット４００Ｂ２Ｃ１６の無線装置４００Ｂ２Ｃ１６ｄと双方向通信を行うほか、設置場所を容易に変更可能な無線のセンサユニット４０Ｕと通信を行い、有線の各種センサ４０Ｓ１以外の各種センサ４０Ｓ２の検出データも読み込めるようになっている。
【０２３５】
センサユニット４０Ｕは、各種センサ４０Ｓ２とバッテリ内蔵の無線装置４２とから構成される。センサユニット４０Ｕの設置場所は、人が計算機２（２２）へ設置後に入力するようにしてもよいし、センサユニット４０Ｕに屋内用のＧＰＳ（Global Positioning System）機能を搭載して、無線で位置データを送信するようにしてもよい。
【０２３６】
次に、ファン制御ユニット４００Ｂ２Ｃ１６が、外部の計算機２（２２）と部屋の最適な換気の制御を行う場合の主な制御の内容について説明する。この制御の内容は、給排気用ファンを組み込んだ書棚に限らず、ファンを用いて換気を行うどのような部屋の換気制御に適用してもよい。
【０２３７】
換気用のファンは２４時間連続運転するのが基本になるが、より快適で、より省エネルギになるように制御するのがよい。また、連続運転を継続するためには、ファンや駆動制御装置の故障をすぐに検知できるように、ファンのモータへ流れる電流や電圧、温度などの検出結果から、正常／異常の値か否かを自動で判別するようにして、異常あるいは異常の兆候が現れた場合には、すぐにアラームなどで知らせるようにするのがよい。
【０２３８】
また、ファンの運転時間とか、回転数なども積算記録するようにして、ファンの温度とか、音、振動などの検出結果と総合して、ファンの余寿命診断を行い、ファンなどの部品交換時期を予測して、知らせる機能を設けて、事前に必要な交換部品の準備が、適切な時期に容易にできるようにしてもよい。
【０２３９】
快適で、省エネルギの制御は、主に快適な温度と湿度に最小のエネルギで維持するように制御するが、基本は室内の温度、湿度を検出して、吸気ファンの個所で外気の温度、湿度を検出して、制御したい室内の目標の温度、湿度にするために、吸気、排気の量を増やすか、減らすかの判別を行い、ファンの回転数を制御などする。
【０２４０】
快適な温度、湿度は、人それぞれ違う場合もあるので、部屋に居る人がいいと思う条件を「今の温度がいい」とか、「もう少し涼しく」などと、音声で入力するとか、計算機２（２２）のマンマシンインタフェースを介して入力するようにしてもよい。
【０２４１】
また、人とその人の状態とその人がその状態で快適に思う温度、湿度等の条件を記憶するようにして、毎回、希望条件を入力しないで済むようにしてもよい。
【０２４２】
複数ある換気グリルから、均等な吸排気が行われるように、それぞれの換気グリルの背圧を検出するようにして、その状態を計算機２（２２）のモニタに表示するなどして、調整作業が、現在の状態をリアルタイムで確認しながら容易に調整できるようにしてもよい。
【０２４３】
また、各換気グリルに電動で開閉する絞り機構を設け、計算機２（２２）からの制御指令で絞り機構を開閉制御して、各換気グリルの背圧を同じ程度に、自動調整ができるようにしてもよい。
【０２４４】
また、部屋の中の二酸化炭素の濃度とか、煙や有毒ガスの有無を常時検知するようにして、異常な状況を検知した場合には、ファンの出力を最大にして、部屋の中の換気を短時間に行うこともできるようにしてよい。
【０２４５】
ファン制御ユニット４００Ｂ２Ｃ１６の制御回路（ＣＰＵ）４００Ｂ２Ｃ１６ａと外部の計算機２（２２）の機能分担は、どのようにしてもよいが、制御条件などを設定するマンマシンインタフェースとか、部屋のレイアウトを決めるＣＡＤ（computer aided design）とか、部屋の温度、湿度、風などの変化を予測するシミュレーションなど、計算機負荷の大きな処理は、高機能の外部の計算機２（２２）で行うようにするのがよい。
【０２４６】
図１０は、図９の制御回路（ＣＰＵ）のプログラムの一実施例のフローチャートを示す。マイコンなどのＣＰＵ（Central Processing Unit）を想定したフローチャートであるが、単一的な機械的な処理なので、制御回路はＴＴＬ（Transistor Transistor Logic）回路等で構成してもよい。
【０２４７】
処理は、電源投入等で、回路が起動（ＳＴＡＲＴ）したらば、最初は、処理１０Ｓ００１で自分自身が排気／吸気のどちらの制御モードか、風量、温度等の制御目標値の初期値を読み取り設定するように動作する。
【０２４８】
同じファンでも、逆転駆動ができるようなファンとすることで、例えば、夏と冬で、新鮮な空気の部屋の中の自然対流で流れる傾向が変わるような場合、ファンの運転を逆にして、夏に給気系統として使用した系統を、冬に排気系統として使用するなど、逆転しての運転が効果的になる場合もある。
【０２４９】
その場合、フィルタなどの設置構成も、予め両側に設けておくとか、夏と冬でフィルタの設置位置を容易に入れ替えられるようにするのがよい。精密フィルタの途中の設置位置を入れ替える場合でも、家具の中の通気スペースに埃等が入らないように、吸気口と排気口の両方に埃等を捕集する簡易フィルタは設けておくのがよい。
【０２５０】
また、逆転駆動ができないファンでも、ファンの向きを容易に反転できるようにしてもよい。その時に、ファンとフィルタ等をユニット化しておき、ファンの向きとフィルタ等の設置構成をいっしょに入れ替えられるようにしてもよい。
【０２５１】
次の処理は、処理１０Ｓ００２で、無線装置へ送信されてきた有効なデータがある場合には、外部からの指令信号を読み込む処理を行うようにする。
【０２５２】
外部からの指令信号は、外部の計算機２（２２）からの指令信号が基本になるが、送信元が分かるように送信元の識別コードも送信するようにして、携帯端末などからも、指令を与えられるようにしてもよい。
【０２５３】
次の処理は、処理１０Ｓ００３で、制御回路（ＣＰＵ）４００Ｂ２Ｃ１６ａで読み込める各種センサからの現在の情報を読み込み収集する処理を行うようにする。
【０２５４】
制御回路（ＣＰＵ）４００Ｂ２Ｃ１６ａと有線で接続されている各種センサ４００Ｂ２Ｃ１６ｃと各種センサ４００Ｂ２Ｃ１５ｃの他、センサユニット４０Ｕからの情報は、計算機２（２２）経由で収集してもよいし、無線装置４２から無線装置４００Ｂ２Ｃ１６ｄへの無線通信で直接収集するようにしてもよい。
【０２５５】
次の処理は、処理１０Ｓ００４で、収集した各種センサ情報から自己診断する処理を行うようにする。自己診断は、ファンや駆動制御回路の正常時の状態のデータを多数蓄積して、予めデータとして記憶しておき、現在の各種センサで検出した状態が、正常時の状態内にあるか、逸脱しているかにより判別する、単純なロジックで行わせてよい。
【０２５６】
次の処理は、処理１０Ｓ００５で、自己診断結果が運転継続可能か否かで次の処理を分岐させる処理を行うようにする。運転可能な場合は、次の処理１０Ｓ００６を行い、運転が不可能な場合は、処理１０Ｓ０１０を行うようにする。
【０２５７】
処理１０Ｓ００６では、現在の制御モード、風量、温度等の制御目標値と各種センサ情報から、ファンの駆動制御の内容を決定する処理を行うようにする。ファンの駆動制御内容の決定は、予め決めたアルゴリズムに従って処理されるようにする。
【０２５８】
アルゴリズムは通常時の変動を抑制する通常時運転用の他に、運転を開始した起動の処理、また、二酸化炭素の急変とか、煙の発生とか、有毒ガスの検知結果の場合の緊急対応時の処理等、複数の種類のアルゴリズムを用意して、センサの情報から使用するアルゴリズムを自動選択するようにするのがよい。
【０２５９】
そして、次の処理１０Ｓ００７で、駆動制御回路へ、決定した内容の駆動制御信号を出力するようにする。
【０２６０】
自己診断の結果、運転継続が不可能な場合は、処理１０Ｓ０１０で、駆動制御回路へ異常時の停止信号を出力するようにする。
【０２６１】
次の処理は、処理１０Ｓ００８で、運転継続の可能な場合も、不可能な場合も、運転状態とか、正常／異常の表示用ＬＥＤランプなどを点灯制御するとともに、異常な場合には、その異常を知らせるためにアラームを出力する処理を行うようにする。
【０２６２】
そして、次の処理は、処理１０Ｓ００９で、現在の運転状態、正常／異常、自己診断結果、各種センサからの情報などを無線装置へ出力する処理を行うようにする。
【０２６３】
そして、最初の処理１０Ｓ００２へ戻り、同様に、繰り返す処理を行うようにする。
【０２６４】
このような処理の流れにすることで、外部の計算機２（２２）からはもとより、携帯端末などからも、容易に部屋の最適な換気を行える汎用性の高い、ファン制御ユニット４００Ｂ２Ｃ１６を簡単に得ることができる。
【０２６５】
以上の説明は、ソフトウエアの基本的な流れであるが、自己診断機能では、ハードウエアの故障やソフトウエアの暴走なども、ＷＤＴ（Watch-Dog Timer）の機能を設けて検出するようにして、異常発生時には、ハードウエアの回路によって、異常を示すランプの点灯、アラーム音の出力、異常を知らせる信号の無線装置４００Ｂ２Ｃ１６ｄからの出力などができるようにしておくのがよい。
【０２６６】
次の図１１は、本発明の第６の手段を適用した書棚の一実施例の側面断面図を示す。躯体と一体化することで、先行の躯体工事も不要にできる書棚の一実施例である。
【０２６７】
基本的な構造は、図１の書棚と同じである。違う部分は、シールド材の断熱材４００ｒの外側の背板４００Ｂ２Ｃ４の外側に、躯体部材としてステンレス側板４００ｄＦを一体的に設けるようにしたことである。
【０２６８】
第６の手段は、他の実施例でも同様に、同じように適用は可能である。
【０２６９】
背板４００Ｂ２Ｃ４とステンレス側板４００ｄＦを一体的に設ける方法は、シールド材の断熱材４００ｒを充填する前に、ボルト等で締結するようにしてもよいし、接着材などで接着させることで一体化してもよい。
【０２７０】
また、背板などの部材をプラスチック等の樹脂製にする場合は、ステンレス板表面に微小な凹凸を付けて、その凹凸の内部へ樹脂が侵入硬化させて一体化させると、頑強に一体化できるとともに、金型などへの射出成形によって量産化も容易となる。
【０２７１】
また、３Ｄ（３次元）プリンタを用いて、材料を途中で変更しながら、躯体部材、背板の部材、断熱材などの順番に、一体成形するようにしてもよい。
【０２７２】
また、躯体４００ｄＦの部材と上板４００Ｂ２Ｃ１の部材、底板４００Ｂ２Ｃ３の部材、側板４００Ｂ２Ｃ２の部材と、その他、断熱材の中に補強リブとして追加する部材などと、頑強に接続できれば、背板４００Ｂ２Ｃ４の部材を省略して、躯体部材で兼用し合理化を図ってもよい。
【０２７３】
シールド付書棚ユニット４００Ｂ２Ｃ（１）の下に接続されているシールド付床ユニット４００Ｂ３Ｇ （１）にも、側面にステンレス側板４００ｄＦが、底面にはステンレス底板４００ｂＦが一体的に設けられる。
【０２７４】
同様に、図には示されていないが、シールド付書棚ユニット４００Ｂ２Ｃ（１）の上側に接続されるシールド付天井ユニットの側面には、ステンレス側板が、上の屋根側の面にはステンレス天板が一体的に設けられる。
【０２７５】
すなわち、本発明のシールド付きの羽目板、収納庫あるいは家具で組み立てられる部材の外側の外気に接する面には、躯体部材として、ステンレス製の部材が一体的に設けられるので、そのまま、屋外に設置することも可能となる。
【０２７６】
また、屋内に設置する場合でも、強度とか、耐久性などが向上する。
【０２７７】
外側に設ける躯体部材としては、腐食に強いセラミック系の部材でもよいし、鉄筋鉄骨のコンクリート部材でもかまうものではない。
【０２７８】
シールド付書棚ユニット４００Ｂ２Ｃ（１）のステンレス側板４００ｄＦとシールド付床ユニット４００Ｂ３Ｇ （１）のステンレス側板４００ｄＦの境界部分は、雨水や湿気などが侵入しないようにシールを兼ねて、溶接Ｓで接合するようにするのがよい。溶接作業は、内側の接続ボルトで組み立てられた状態にあるので、位置がずれることなどもなく容易に行うことが可能となる。
【０２７９】
ステンレス側板４００ｄＦとシールド付床ユニット４００Ｂ３Ｇ （１）のステンレス側板４００ｄＦの境界部分の締結は、予めフランジを設けておき、パッキンなどを挟んで締結するようにして、屋外でも、分解組み立てが容易にできる構造にしてもよい。シールド付床ユニット４００Ｂ３Ｇ （１）には、アンカー固定フランジ３００ａが、ステンレス側板４００ｄＦ とか、ステンレス底板４００ｂＦなどに、溶接で取付けられているので、屋内でも、屋外でも、アンカーボルトとか、杭などに、容易に固定することができる。
【０２８０】
さらに、本発明の第６の手段を適用すれば、そのまま、屋外に設置可能な部屋とか、建築構造物などを容易に得られるが、外側に躯体の外殻を有する１つあるいは複数の部屋から成る１つのブロックを上下左右に複数を接続するようにして、高層ビルディングとか、山のように積み上げて、あるいは、地下に全部、あるいは一部を埋めるなどした大きな建築構造物としてもよい。そして、ブロックには、生活空間や収納庫等の部屋ブロックのほか、空調などの機械部屋、給水・排水用設備の部屋、配電部屋などのブロック、廊下ブロック、ブロックとブロックを結ぶ道路ブロック、玄間ブロック、地盤に固定する杭付きブロック、エレベータブロック、地震の揺れと反対方向に質量を自動で動かす等の制震機能を有するブロックとか、地震の揺れに対してダンパー機能を有するブロックとか、電力を蓄電するブロックとか、躯体外側に太陽光や風力等による発電機能を有するブロックなどを標準化して、任意の配置にレイアウトして接続できるようにしてもよい。勿論、接続する部分の躯体の外殻は省略してもよいし、薄くしてもよいし、高層の下のブロックと上のブロック、地下ブロック等では、それぞれ作用する荷重も違うので、配置される部位毎に必要強度を有する最小の躯体とすることが合理的である。また、躯体あるいは背板などの部分を防水構造にして、水中に設置できるようにしてもかまうものではない。水中設置の部位では、太陽光や風力等の代わりに、潮力とか、波とか、温度差などを利用して発電するのがよい。
【０２８１】
次の図１２は、本発明の第７〜第１０の手段を適用した部屋の一実施例の断面図を示す。
【０２８２】
既設躯体１０５ａは、マンションなどであれば鉄筋コンクリートの躯体であり、一戸建てならば、家の強度部材からなる躯体部分になる。既設躯体１０５ａは先行して建築されるが、過去に建築されたものを利用する場合は、リフォームとなり、建築後すぐに利用する場合は新築への適用となる。
【０２８３】
既設躯体１０５ａの床面に凸凹がある場合には、隙間を埋める部材を低い個所に敷いて、水平になるようにする。必要に応じて、防水シートとか、防音シートとか、吸音シート等を敷くようにしてもよい。
【０２８４】
次に、シールド付床ユニットを組み立てる。シールド付床ユニット４００Ｂ３Ｇ（１）とシールド付床ユニット４００Ｂ３Ｇ（２）を接続ボルト４００Ｂｇで接続するが、下側の
接続ボルト４００Ｂｇを締付ける場合は、仮置き台を用意して仮置きして、下側から締付けて、仮置き台から下ろすようにしてもよいし、遠隔ボルトにして遠隔操作にて締付けるようにしてもよいし、シールド付床ユニットを立てた状態で締付けて、水平に倒せる寸法関係に予め製作するようにしてもよい。
【０２８５】
次に、シールド付床ユニットの上に、シールド付書棚ユニット４００Ｂ２Ｃを組み立て、シールド付書棚ユニットの上に、シールド付天井ユニット４００Ｂ１Ｃを、それぞれ接続ボルトを用いて接続しながら組み立てる。接続ボルトは、作業性と予備品の準備のし易さから、できるだけ、共通化しておくのがよい。
【０２８６】
シールド付天井ユニット４００Ｂ１Ｃの組み立てでは、片側から順番に、シールド付書棚ユニットと接続ボルトを用いて接続しながら組み立ててもよいが、最後のシールド付天井ユニットを組み立てる作業スペースが外側にない場合は、最後のシールド付天井ユニットを先に組み立てておいて、その手前のシールド付天井ユニットを最後に組み立てるようにする。また、先に、隣り合うシールド付天井ユニットを互いに接続して、シールド付天井ユニットの全体を一体的に組立後に、最後に、シールド付天井ユニットとシールド付書棚ユニットとを接続するようにしてもよい。
【０２８７】
また、接続ボルトの着脱作業時に手や工具がアクセスし易いように、側板には、手などが入る大きさの開口部を設けておき、換気用の開口部と兼用してもよいし、ボルト着脱後に閉止するようにしてもよい。
【０２８８】
本実施例のシールド付書棚ユニット４００Ｂ２Ｃは、化粧板扉４００Ｂ２Ｃ２４を設けて埃などの侵入防止と、地震時に収納物が飛び出ないようにしている。また、部屋の全体が同じ化粧板扉４００Ｂ２Ｃ２４で覆われるので、部屋の景観を良くすることもできる。
【０２８９】
化粧板扉４００Ｂ２Ｃ２４は、収納物が飛び出ない程度の強度があればよいので、軽量化のため、ダンボールなどの軽い中空の部材でもよい。
【０２９０】
既設躯体１０５ａに梁がある場合は、シールド付書棚ユニットで構成する部屋の中の空間をできるだけ広くするため、左側のように、シールド付Ｌ型書棚ユニット４００Ｂ２ＣＬを用いて、梁の部分を避けるようにしてもよい。
【０２９１】
また、左側のシールド付書棚ユニットの下部の接続ボルトの位置は、できるだけ、外側になるように配置して、シールド付床ユニット４００Ｂ３Ｇ（１）側の通気スペース４００Ｂ３Ｇ７は狭くして、床面に畳（二点鎖線で表示）などの部材が、ちょうど収まるように凹形状にしてある。
【０２９２】
本実施例では、シールド付書棚ユニットとシールド付天井ユニットは、既設躯体１０５ａとは直接接触しないように少しの空間を確保してある。音の振動が直接伝わることを防止するのに有効であるが、更に、シールド付書棚ユニットとシールド付天井ユニットの外側に防音シートとか、吸音シートを被せるようにしてもよい。
【０２９３】
また、組み立てられた部屋は、全体が箱型構造に、接続ボルトで接続されるため地震などに対しても強固になるが、既設躯体１０５ａとの間に空間があると、ずれる場合もあるので、当て木４００Ｂｍを挟み、すれ防止を図っている。
【０２９４】
勿論、シールド付書棚ユニットとシールド付天井ユニットを、既設躯体１０５ａと直接に接触するように設置してもかまうものではない。その場合は、地震力とか、音等の振動が直接伝わることを防止するため、緩衝材とか、防音シートなどを挟むのがよい。
【０２９５】
また、逆に、シールド付書棚ユニットとシールド付天井ユニットを、既設躯体１０５ａと直接接触させることなく、人が通れる程度、あるいはロボットの通れる程度の十分な空間を確保して設置するようにしてもよい。ロボット掃除機の通れる空間ならば、高さ１００ｍｍ程度あればよいので、シールド付天井ユニットの上部の空間は１００ｍｍ程度、床の部分はシールド付き床ユニットをロボット掃除機が通れる幅で、１００ｍｍ程度の高さで切り欠くなどの形状としてもよい。このようにすれば、既設躯体１０５ａの清掃、保守を人あるいはロボットなどで行い、継続して清潔、健全に維持管理できる。
【０２９６】
人、あるいはロボットの通れる程度の空間を確保して設置する場合は、既設躯体１０５ａのコーナーの部分では、シールド付書棚ユニットなどのコーナー部分に大きめの面取りを施して、既設躯体１０５ａのコーナーの部分における、ダクト配管や電気配線などの保守を行う作業スペース、人やロボットが方向転換を行うＵターンスペースを確保するようにしてもよい。
【０２９７】
本発明のシールド付きの羽目板、収納庫あるいは家具は、全体が箱型構造に、部屋として構成するのが、シールドの性能、耐震等の強度上、効果的になるが、放射線などシールドの目的とする方向が決まっているような場合には、所定の方向の壁などの一部を構成するように設置してもよい。
【０２９８】
また、既設の部屋のシールドの弱い部分のみに設置するとか、収納などの家具として、徐々に接続しながら追加して、広い範囲に適用するように設置してもよい。
【０２９９】
全体が箱型構造の場合は、内外を隔離できるので、ＰＭ２．５とか、有害物質とか、有害なウィルスなどの侵入に対しても効果的に防御できるが、火災などに対しては、シールド付床ユニット、シールド付天井ユニット、シールド付書棚ユニットの背板４００Ｂ２Ｃ４など、全体を囲む外側の部材を難燃性あるいは不燃性の良好な部材を用い製作して、外部からの火災の防御もできるようにしてよい。
【０３００】
また、通気スペースを構成する中板４００Ｂ２Ｃ５とか、化粧板扉４００Ｂ２Ｃ２４など、全体を囲む内側の部材を難燃性あるいは不燃性の良好な部材を用い製作して、内部からの火災が外部へ広がることに対して防御できるようにしてもよい。
【０３０１】
また、室内あるいは室外に火災報知器を設置し、火災報知器が火災を検知したことの信号を有線あるいは無線通信で、ファン制御ユニット４００Ｂ２Ｃ１６へ入力するようにして、例えば、室外が火災の場合は、有害な煙等を室内に取り込まないようにファンを一時的に停止させるとか、室内が火災で、別のセンサ等で人が室内に居ないことも検出した場合は、ファンを一時的に逆転させて、室内の空気を排出して、酸素を無くして、火災を消化するようにファンを制御してもよい。
【０３０２】
また、図１３に示すような既設躯体１０５ａの窓の近くとか、開閉する扉などのある場合は、開閉する扉などの近くに、動作速度や出力パワーが安全に抑制されたホームロボットなどを設置して、ファン制御ユニット４００Ｂ２Ｃ１６の判断で、窓や開閉する扉などの開閉制御まで、行うようにしてもよい。火災時には、火災の状況を各種センサで検出して火災の状況に応じて、閉めるか、開けるかの判断を行い、ホームロボットへ開閉の動作をさせる指令信号を出力するようにしてもよいし、通常時の空気の入れ替えとか、花粉などの異物の侵入防止とか、部屋の温度コントロールなどを、窓や開閉する扉などの開閉制御を自動で行うことによって、より快適な部屋空間になるように制御してもよい。
【０３０３】
本発明の部屋の各ユニットに、予めホームロボットを備えつけて、家具とか、家電品などの操作を自動で行えるようにしてもよいし、予め組み込まれる家具とか、家電品に、駆動部と外部からの指令で動作させる制御部、あるいは、家具とか、家電品にも各種センサを取付けて自分で判断して動作する制御部などを設け、部屋の中で生活する人などにとって快適な空間となるように、手動操作は勿論、自動制御することも可能なようにしてもよい。
【０３０４】
本実施例の通気スペースを利用した換気用の給気系統は、シールド付書棚ユニット４００Ｂ２Ｃの上部に横開口部（給気通路）４００Ｂ２Ｃ７ｂを設けて、両側で２系統、上から給気６ｆを供給して、シールド付天井ユニット４００Ｂ１Ｃの通気スペース４００Ｂ１Ｃ７の一部をバイパス空間に利用して、上開口部４００Ｂ２Ｃ７ａを通過させて、シールド付天井ユニット４００Ｂ１Ｃの天井空間に取り付けた紙管４００Ｂ１Ｃ１２を通して、反対側のシールド付書棚ユニットの紙管４００Ｂ２Ｃ１２の中へ送り込み、シールド付床ユニット４００Ｂ３Ｇ（１）（２）の通気スペース４００Ｂ３Ｇ７の一部をバイパス空間に利用して、シールド付書棚ユニット４００Ｂ２Ｃの下部の換気グリルから室内へ放出される構成になっている。
【０３０５】
天井空間に取り付けた紙管４００Ｂ１Ｃ１２を通して、反対側のシールド付書棚ユニットの紙管４００Ｂ２Ｃ１２の中へ送り込むようにするので、熱交換される紙管の長さを長くすることができる。
【０３０６】
シールド付天井ユニット４００Ｂ１Ｃに取り付ける紙管４００Ｂ１Ｃ１２は、１本の長さが短い場合で、シールド付天井ユニット４００Ｂ１Ｃに紙管ホルダ４００Ｂ１Ｃ１２ｈを設けて、途中で支持しながら、延長するようにしてある。
【０３０７】
本実施例の換気用の排気系統は、上昇した排気６ｅは、シールド付天井ユニット４００Ｂ１Ｃに取り付けた紙管４００Ｂ１Ｃ１２との熱交換が行われて、紙管４００Ｂ１Ｃ１２と同じ高さの位置に交互に設けた排気用換気グリルから排出され、シールド付天井ユニット４００Ｂ１Ｃの通気スペース４００Ｂ１Ｃ７の一部をバイパス空間に利用して、シールド付書棚ユニット４００Ｂ２Ｃの通気スペース４００Ｂ２Ｃ７を通って、両側にて２系統、両側のシールド付書棚ユニット４００Ｂ２Ｃの下部の横開口部（排気通路）へ吸引され、排出される構成になっている。
【０３０８】
シールド付天井ユニット４００Ｂ１Ｃに取り付けた紙管４００Ｂ１Ｃ１２は、使用部材を簡略化して、室内に露出される構造にしているが、シールド付天井ユニット４００Ｂ１Ｃの天井面にも通気スペースと化粧天井板を設けて、通気スペース内で熱交換をさせ、化粧天井板で天井の景観を住む人の好みに合わせるようにしてもよい。
【０３０９】
本実施例の部屋の奥には、窓板固定フランジ４００Ｍｂが点線で示してある。窓内側にも化粧板扉４００Ｂ２Ｃ２４をカーテンの代わりに設け、掃除のし易さと、耐久性の向上と、室内景観の統一を図っている。
【０３１０】
次に、図１３を用いて、より詳しく説明する。図１３は、図１２のＤ−Ｄ断面図を示す。
【０３１１】
図の既設躯体１０５ａの上側は、大きな窓と板の間の空間があり、その手間にシールド付書棚ユニット４００Ｂ２Ｃで箱型に組み立てた本発明の部屋を設置している。その板の間と本発明の部屋は、窓板固定フランジ４００Ｍｂ等から成る窓やシールド付書棚ユニットによる壁で仕切られて、板の間はサンルームとしても利用できる。
【０３１２】
窓板固定フランジ４００Ｍｂ等から成る窓は、シールド付書棚ユニットと同等のシールド性能を確保するため、厚みのある窓となるが、透明窓の側面に反射部材を設けることで、斜めに入射する光に対しても、側面で吸収、乱反射される光を、反射部材で反射させて、入射光を効率良く通過させることのできる、シールドされた部屋に適した窓となる。
【０３１３】
また、地震などで本発明の部屋がずれないように、既設躯体１０５ａの左右の壁との間には、４個所で当て木４００Ｂｍが挟んである。
【０３１４】
既設躯体１０５ａの板の間には、本発明の部屋の換気用の給気系統を構成する吸気ファン４００Ｂ２Ｃ１５へきれいな給気を送り込むためのフィルタユニット４００Ｂ２Ｃ２２、フィルタユニット付きファン４００Ｂ２Ｃ２３、ヒートポンプエアコン室外機５４ａなどを設置して、その他のいろいろな設備機器の設置スペースとしても利用できる。
【０３１５】
フィルタユニット４００Ｂ２Ｃ２２は、吸気ファン４００Ｂ２Ｃ１５に直接接続している。フィルタユニット付きファン４００Ｂ２Ｃ２３は、部屋の給気口に設けたダクトフランジ４００Ｂ２Ｃ１７まで、フレキシブルダクト４００Ｂ２Ｃ１８で接続する。
【０３１６】
フィルタやファンは、別置きのユニットとしているため、故障時は交換がし易いとともに、花粉とか、ＰＭ２．５など、環境の変化に応じて、最適仕様への変更も容易にできる。
【０３１７】
フィルタユニット付きファンとか、吸排気ファンは、逆転駆動できないファンの場合でも、接続する向きを反対にするだけで、給気を排気に、排気を給気に、容易に入れ替えられる構造にして、夏と冬とで、吸排気系統を逆転できるようにしてもよい。
【０３１８】
本発明の部屋から板の間へは、シールド機能のある開閉扉を設けて、出入りできるようにしてもよいが、窓板固定フランジ４００Ｍｂ等から成る窓の接続ボルトを外した状態で、１つの窓を引き出すことで、シールド機能と出入り口の両方を確保してもよい。
【０３１９】
引き出す窓の床面には、スライドベースの部材として、テフロン（登録商標）製プレート４００ＢＴＰが敷いてあるので、シールド性能のある重い窓も、軽い力で容易に引き出せるようになる。
【０３２０】
ヒートポンプエアコン室外機５４ａからの冷媒配管は、図には示されていないが、本発明の部屋を構成するシールド付書棚ユニットの中に設置されたヒートポンプエアコン室内機５４ｂへ接続される。冷媒配管は、シールド材を貫通するが、ラビリンス貫通スリーブを通すとか、クランク状の貫通スリーブを通すとか、外側に補助シールドを設けるなどして、貫通部からの音漏れ等を抑制するようにするのがよい。
【０３２１】
ラビリンス貫通スリーブは、冷媒配管とか、電気配線などを、通線させる場合に、放射線や音などのシールド性を確保するのに有効であるが、換気用のファンを内側に設けるとか、外側にファンを設ける場合でもファンの手前から配線材を横に引き出すようにして、給気系統とか、排気系統などに使用するラビリンス貫通スリーブを兼用するようにしてもよい。
【０３２２】
本発明の部屋の断熱性は高くできるので、定常状態では、漏れる僅かな熱エネルギを補充する程度の容量の冷暖房設備があれば十分になる。
【０３２３】
ヒートポンプエアコン室内機５４ｂはシールド付書棚ユニットの内部に設置し、シールド付書棚ユニットの内部を冷暖房して、その熱がシールド付書棚ユニットの側板などの部材を伝わって、部屋の中の空気と熱伝達される程度で、十分になり、冷たい冷気や乾燥した暖気が、直接身体に当らないようにでき、快適な居住性を容易に得ることができる。部屋の断熱材の内側に、アルミなどの熱伝導率の良い部材を埋め込んで、積極的に、部屋の中の内側全体に、ヒートポンプエアコン室内機５４ｂにて、冷暖房しているシールド付書棚ユニット内部から、熱伝導されるようにしてもよい。また、既設マンション１０５の下側のキッチンとか、他の部屋にも、シールド付書棚ユニット等を設置して、快適な部屋空間を広げる場合、給排気の系統も、他の部屋を含めて最適になるように構成するが、部屋と部屋が離れる場合は、給排気ダクトで互いに接続して、必要に応じて、ダクトの外側には断熱を施すとともに、それぞれの部屋の内側に埋め込んだアルミ等の熱伝導率の良い部材も互いに接続し、その外側には断熱を施して、１台のヒートポンプエアコン室内機５４ｂで、離れた複数の部屋の冷暖房を、同じ方式で効率良く行うようにしてもよい。この場合、給排気ダクトをアルミなどにして、部屋の内側の冷熱を離れた部屋に熱伝導させる部材と兼用してもよいし、熱伝導を良くするため、厚みのある給排気ダクト管としてもよい。
【０３２４】
また、ヒートポンプエアコン室内機５４ｂは、シールド付書棚ユニットの内部ではなく、本発明の部屋の外に設置してもかまうものではない。例えば、既設躯体１０５ａの上側の大きな窓と板の間の空間に設置して、本発明の部屋の外の空間を冷暖房する。この場合は、ヒートポンプエアコン室外機５４ａは、既設躯体１０５ａの上側の大きな窓の外側（屋外）に設置するのがよいが、設置できない場合には、断熱された箱の中に設置して、箱の中の空気が窓の外側（屋外）と同じ程度になるように、ファン等で強制的に窓の外から空気を断熱された箱の中へ取り込んで、室外機５４ａで熱交換された空気を窓の外へ排出されるようにしてもよい。本発明の部屋の外の空間を冷暖房した場合は、吸気ファン４００Ｂ２Ｃ１５から、冷気あるいは暖気を部屋の中へ供給するが、シールドの内側（部屋の中側）の通気スペース等を一巡させ、シールドの内側（部屋の中側）の部材を冷やしたり、暖めたりして、最終的には給気用グリルから部屋の中へ給気すれば、部屋の中の部材が蓄熱材となって、間接的な冷暖房を容易に実現できる。フィルタユニット付きファン４００Ｂ２Ｃ２３から供給するようにすれば、フレキシブルダクトで吸い込み口の位置を冷気や暖気の強い場所とか、弱い場所などに容易に移動させることもできる。このように部屋の外の空間を冷暖房する場合は、本発明の部屋の中で給気と排気の熱交換は行わない、給気系統と排気系統としてよい。冬は内部の人や家電品の発熱量による暖房で十分の場合は、冬は、給気と排気の熱交換を行うようにして、夏は部屋の外の冷房された冷気を利用して給気と排気の熱交換を行わないようにしてもよい。この場合、熱交換を行う給気系統と排気系統の両方を用意して、それぞれの取り込み口にダクトフランジ４００Ｂ２Ｃ１７を設けて、閉止状態と、給気口として利用する状態とを使い分けるようにしてもよいし、給気系統と排気系統の両方、あるいは片方の途中に、バイパスさせる系統を設けて、そこをバイパスさせるか、させないかによって、給気と排気の熱交換を行うか、行わないかを、切り替えられるようにしてもよい。本発明の部屋の中の人の身体が通常生活で触れる可能性のある部位は適度に断熱して、冷気で冷やされた（暖気の場合は暖められた）部位に身体が触れても、刺激を受けにくくしてもよい。
【０３２５】
シールド付書棚ユニットなどの断熱材厚さは、厚くすればするほど、漏れる熱エネルギは小さくできる。しかし、本発明の部屋を構成する各面からの放熱との関係で、断熱材厚さが薄く、漏れる熱エネルギ量が大きい場合は、断熱材厚さを少し割増するだけで、漏れる熱エネルギを大きく低減できるが、断熱材の厚さが厚くなり漏れる熱エネルギ量が小さくなればなるほど、更に小さくするのに必要な断熱材厚さの必要割増量は大きくなるので、断熱材の厚さは、厚さの割増しで、漏れる熱エネルギを効果的に低減できる範囲で、使用可能な冷暖房設備の容量から、最適な厚さに決めるのがよい。
【０３２６】
例えば、４．５畳程度の部屋で、断熱材４００ｒに、熱伝導率が０．０２Ｗ/（ｍ・Ｋ）のフェノールフォームの発泡樹脂を使用して、側板４００Ｂ２Ｃ２などの部材を、熱伝導率が０．１５Ｗ/（ｍ・Ｋ）程度の木材にして、室内（２０℃）と屋外（−１０℃）の温度差３０℃の定常状態で計算すると、室内から屋外へ放熱される熱量は、断熱材厚さ３０ｍｍで１０５０Ｗ、断熱材厚さ６０ｍｍで５２４Ｗ、断熱材厚さ９０ｍｍで３５０Ｗ、断熱材厚さ１２０ｍｍで２６２Ｗ、断熱材厚さ１８０ｍｍで１７５Ｗのような関係になる。
【０３２７】
断熱材厚さ３０ｍｍに３０ｍｍｍを加えると、約５００Ｗの放熱量をさらに抑制できるが、厚さ１２０ｍｍに６０ｍｍを加えても、さらに抑制できる放熱量は１００Ｗ程度になる。
【０３２８】
１日の基礎代謝量が１５００ｋｃａｌの人の発熱量は、７３Ｗ程度になり、その他、家電機器などの発熱量を差し引いた残りが、暖房で必要になる熱量になるので、例えば、暖房設備の容量を１００〜２００Ｗ程度で済むようにしたい場合、断熱材の厚さは１２０ｍｍ程度に決めるのがよい。
【０３２９】
夏の冷房の場合は、現在の日本の気候では、室内外の温度差は冬ほどではないので、仮に、室内（２０℃）で屋外（３５℃）の温度差１５℃とすれば、断熱材の厚さ１２０ｍｍで、放熱される冷熱量は半分の１３１Ｗとなる。冷房の場合は、これに、人体の７３Ｗと家電機器の発熱量を加算した２００〜３００Ｗ程度の冷房設備が必要になる。
【０３３０】
また、断熱材４００ｒに、防音機能も期待できる、密度１立方メートル当り約３０ｋｇで、熱伝導率が約０．０４Ｗ/（ｍ・Ｋ）のセルロースファイバーを使用する場合は、同じ程度の断熱性能の得られる、厚さ１９０ｍｍ（計算値は、２７６Ｗ）程度とするのがよい。
【０３３１】
図の既設躯体１０５ａの下側は、従来工法による施工のキッチン、廊下、収納などがあるが、そのまま使用可能にしてある。
【０３３２】
本発明の部屋の廊下に面する側には、出入り口を設けてある。出入り口のためにシールドの欠落した部分には、部屋の外側に、シールド部材として断熱内扉４００Ｄｃを開閉可能に設けてある。
【０３３３】
開閉する断熱内扉４００Ｄｃが移動する床には、スライドベースの部材として、テフロン（登録商標）製プレート４００ＢＴＰが敷いてあるので、軽い力で容易に開閉ができるようになる。
【０３３４】
断熱内扉４００Ｄｃが閉まった状態の位置の出入り口の外側のテフロン（登録商標）製プレート４００ＢＴＰの敷いてある床下には、シールドの欠落が生じないようにシールド部材として十分な断熱材が設けてある。テフロン（登録商標）製プレートの断熱性も期待できるので、断熱内扉４００Ｄｃが閉まった状態では、断熱に対するシールドの欠落は生じないようにできる。
【０３３５】
断熱内扉４００Ｄｃの左右の位置決めは、ストッパピース４００Ｄｃ１に押し当てることで、容易に行えるようにしてある。
【０３３６】
断熱内扉４００Ｄｃの内側には、マーキングなどを施して、扉を閉めた時に出入り口と扉の位置関係が所定の位置にあることを一目で確認できるようにしてもよい。
【０３３７】
断熱内扉４００Ｄｃの位置決め後は、断熱内扉４００Ｄｃを密着して閉止できるように、シールばね４００Ｄｃ１を、取手にＳフックで着脱可能に設けてある。複数のシールばね４００Ｄｃ１を用いることで、弱い力のばねで着脱を容易にして、複数本による強い力の密着力を得ることができる。
【０３３８】
断熱内扉４００Ｄｃの底部のシールは、断熱内扉４００Ｄｃの自重量によって押し付ける力が作用するが、力が不足する場合は、シールばね４００Ｄｃ１を下向きの力も作用する方向に張って、断熱内扉４００Ｄｃを下へも押し付けるようにしてもよい。
【０３３９】
断熱内扉４００Ｄｃを開ける場合は、ストッパピース４００Ｄｃ１の反対側へ動かすが、取手などに引っ掛からないように、すぐに部屋の壁から離れる方向へ動く向きがガイドされるように、反対側には、ガイドピース４００Ｄｃ４ を設けてある。
【０３４０】
また、断熱内扉４００Ｄｃを開ける場合、動きだす最初の力が、ほぼゼロになるように、断熱内扉４００Ｄｃの外側には、アシストばね４００Ｄｃ２を設けている。アシストばね４００Ｄｃ２を斜め方向に設けることで、アシストばね４００Ｄｃ２によっても、部屋の壁から離れる方向へ動くようにもしてある。
【０３４１】
また、断熱内扉４００Ｄｃは、大きく、重たくなるので、地震などで、転倒するような横荷重が作用した場合でも、転倒しないように、通常の移動範囲の外側で、邪魔にならない上部などの空間に、転倒防止用のプロテクタを設けるとか、上部に可動範囲で拘束しない余長のある安全ロープを接続するなどの、転倒防止の手段を設けるのがよい。
【０３４２】
また、断熱内扉４００Ｄｃを移動させる軌道は、直線状でも、円弧状でも、移動の軌跡が複雑になる軌道でも、軌道に沿った適切な位置にガイドローラを配置して、円滑に開閉の移動ができるようにしてもよい。
【０３４３】
また、断熱内扉４００Ｄｃの断熱のシールド性に影響のない部分に、棚などの家具とか、家電品などを組み込み、部屋スペースを有効活用してもかまうものではない。
【０３４４】
部屋の中の床面と、断熱内扉の通路になる部分の床面と、テフロン（登録商標）製プレート４００ＢＴＰを敷く床面と、廊下の床面は、同じ高さにして、バリアフリーにするのが安全でよい。
【０３４５】
あるいは、段差を設け、部屋の中の床面を高くして、断熱内扉４００Ｄｃが閉まった時には、上下左右の全周囲にシールドの欠落が生じないようにして、テフロン（登録商標）製プレート４００ＢＴＰの敷いてある床下の断熱材を不要にしてもよい。また、この場合は、開閉する断熱内扉４００Ｄｃの移動は、キャスタで床面を転がす方式とか、転がり軸受方式でスライドさせるようにしたスライドベースも利用可能になる。
【０３４６】
また、円弧状に開閉するスペースのある場合は、断熱内扉４００Ｄｃの左右の端部に蝶番などの回転軸を設けて観音開きにするとか、片方の端部に蝶番等の回転軸を設けて片開きにしてもよい。この場合、壁を構成するユニットの面と隙間なく当って閉まるように蝶番は、当該蝶番回転軸とその回転軸が平行になる１つ以上の別の回転軸となる蝶番を有する、１枚以上の幅の狭い板状の部材を介して設け、断熱内扉４００Ｄｃの開閉する軌跡が１つの円弧状の軌跡で拘束されないようにするのがよい。
【０３４７】
また、上下に開閉するスペースのある場合は、上下にスライドさせるとか、上端部に蝶番等の回転軸を設けて上下に回転させるようにしてもよい。このように上下方向に開閉する場合は、断熱内扉４００Ｄｃが重たいため、電動式にするとか、手動式の場合でも、断熱内扉４００Ｄｃの重量とほぼ同じ重量のカウンターウエイト、あるいは同じ程度の荷重を生じるばね等を用いて、軽く開閉できるようにするのがよい。
【０３４８】
また、壁を構成するユニット外側の面へ断熱内扉４００Ｄｃの部屋側の面を当てて閉めるのではなく、断熱内扉４００Ｄｃの形状を四角錐形あるいは円錐形などにして、壁を構成するユニットの中に納まるような構造にしてもよい。
【０３４９】
この場合は、断熱内扉４００Ｄｃの周囲の側面がテーパー状の面になって、壁側の同様にテーパー状とする面と当ることで、くさび効果も生じて高いシール性が得られる。また、閉めた時の調心効果も生じるので、端部に蝶番等の回転軸を設ける場合でも複数の回転軸で冗長性を持たせなくも、１つの回転軸を構成する蝶番等に多少のガタを設けるのみで、互いのテーパー状の面を合わせて閉めることも容易にできる。
【０３５０】
本発明の部屋の壁は、断熱内扉の出入り口になる部分以外は、シールド付書棚ユニットと窓板固定フランジ４００Ｍｂ等から成る窓により、全周が接続されている。
【０３５１】
シールド付書棚ユニットの壁と壁のコーナー部は、コーナー専用に標準化したユニットを適用するのがよい。本実施例は、対角のコーナー部に、それぞれ同じユニットを適用して、コーナー部のユニットの１辺の長さを、設置する部屋の大きさに合せて製作することで、ちょうど良い大きさの部屋になるように調整しているが、コーナー専用ユニットを１種類にして、同じものを４つのコーナー部に適用して、部屋の各辺に長さ調整用のシールド付書棚ユニットを１台ずつ設け、設置する部屋の大きさに合せて製作するようにして、調整してもよい。
【０３５２】
また、長さ調整用の幅の狭いシールド付書棚ユニットの複数台を接続することによって、設置する部屋の大きさに合せて、ちょうど良い大きさの部屋になるように調整してもよい。
【０３５３】
シールド付天井ユニット４００Ｂ１Ｃ（１）〜（５）は、分割構造を接続した状態を二点鎖線で示している。シールド付天井ユニット４００Ｂ１Ｃ（１）（５）は、シールド付書棚ユニットの奥行きと同じ幅にして、シールド付天井ユニット４００Ｂ１Ｃ（３）（４）は、シールド付書棚ユニットの奥行きと同じ幅、シールド付天井ユニット４００Ｂ１Ｃ（２）は、設置する部屋の大きさに合せて調整した幅の寸法としている。
【０３５４】
シールド付天井ユニットは、１つの天井ユニットで、紙管を通す給気系統に利用する部分と、排気用の換気グリルを設ける排気系統の部分があるので、１つの天井ユニットの通気スペース４００Ｂ１Ｃ７の内部に、仕切板を設け分けている。
【０３５５】
シールド付天井ユニット４００Ｂ１Ｃ（３）には、両側に紙管４００Ｂ１Ｃ１２を通した給気系統の部分を設けて、その間には、天井が凸なる形状の下面に照明４０７ｅを設け、凸なる形状の内部には照明４０７ｅへの電気配線を通すとともに、凸なる形状の側面には換気グリルを設けて、部屋の中央部から凸なる形状の内部への排気系統を設けている。
【０３５６】
凸なる形状の天井でも、平面の天井でも、天井に通気スペースと化粧天井板を設け、化粧天井板を透明あるいは半透明にして、通気スペースの空間に照明を組み込むようにしてもよい。さらに、その場合、照明のある通気スペースを、夏は冷気の排気系統に利用して、冬は、冷気の給気系統に利用することで、照明の冷却を兼ねる換気としてもよい。
【０３５７】
シールド付天井ユニットの幅寸法は、シールド付書棚ユニットの側板接続部分と一致するようにしてもよいし、一致させなくてもよい。いずれの場合も、シールド付天井ユニットとシールド付書棚ユニットの通気スペースが、換気用の給排気系統に合わせて、連通状態あるいは閉止状態で適切に接続されるように設定する。
【０３５８】
部屋全体の給排気系統がイメージしやすいように、図の下には、部屋の給排気系統の一例としての鳥瞰図を示している。窓側の板の間の空気ファンから送り込まれる給気６ｆは、両側の２系統の給気系統６Ｓｆとなって、部屋の中の通気スペースを通って、シールド付書棚ユニットの上部の横開口部（給気通路）まで、上昇したら、シールド付天井ユニットに取り付けた紙管を、交互に通って、反対側のシールド付書棚ユニット下部の換気グリルから室内へ放出される。排気６ｅは、両側２系統、シールド付天井ユニットの換気グリルから吸引され、シールド付書棚ユニットの通気スペースを通り、下降したら、シールド付書棚ユニット下部の横開口部（排気通路）へ吸引され、２系統の排気系統６Ｓｅとして、両側にある、排気ファン４００Ｂ２Ｃ１４から排出される。
【０３５９】
シールド付天井ユニットは、長方形の部屋の場合、長辺に合わせた長いスパンのシールド付天井ユニットとするより、短辺に合わせた短いスパンのシールド付天井ユニットとして、短辺に沿って架ける方が、自重による曲げモーメントが小さくなるので、頑強にできる。
【０３６０】
図１３の例のように、窓や扉を設ける壁の面が、短辺になる場合は、本実施例のように、部屋全体の給排気系統を構成すればよい。窓や扉を設ける壁の面が長辺になる場合には、長辺に合わせた長いスパンのシールド付天井ユニットとして、同様に給排気系統を構成してもよいし、短辺に合わせた短いスパンのシールド付天井ユニットを、短辺に沿って架けて、シールド付天井ユニットの通気スペースを利用して給排気系統を仕切りながら引き込んで、天井の面と、窓や扉のない壁の面とで、それぞれ給気と排気の熱交換をするように、給排気系統を構成してもよいし、シールド付天井ユニットの側板と直交する方向に、紙管を貫通させる穴を設けて、その穴を紙管ホルダとして利用してもよい。
【０３６１】
吸気口になる吸気ファン４００Ｂ２Ｃ１５とダクトフランジ４００Ｂ２Ｃ１７、２系統の排気ファン４００Ｂ２Ｃ１４は、低い高さに取り付け、メンテナンスし易くしている。
【０３６２】
このように、本発明のシールド付書棚等を用いて部屋を構成すると、快適な住空間の換気と必要なシールドの施された部屋を、容易に得ることができる。
【０３６３】
次の図１４は、本発明の第７〜第１０の手段を適用した建築構造物の一実施例の断面図を示す。
【０３６４】
既設躯体１０５ａは、地盤１００に、杭３００を打込み、杭と一体で建築されている。
【０３６５】
既設躯体１０５ａは、最初から、本発明の部屋の設置を想定して設計することで、柱や梁のない、壁などの部材で強度を確保した躯体にすることもできる。また、本発明の標準化されたシールド付きの羽目板、収納庫あるいは家具ユニットの寸法で、搬入性も良くて、すっきりと収まる寸法関係の躯体に標準化することも可能となる。
【０３６６】
本実施例では、建築した１つの既設躯体１０５ａの中に、１つの部屋を設置しているが、上下左右に複数の部屋とか、廊下などを設けて、大きな建築構造物としてもよい。
【０３６７】
既設躯体１０５ａの床、壁、天井には、防音シート、防振シート、吸音シート等、部屋のシールドを補助するシールドシート材４００ｒＳを施工して、隙間のないように、頑強に部屋を設置している。
【０３６８】
部屋の床下には、冷暖房配管を配設して、冷水や温水、冷媒などを通して、部屋の冷暖房設備としている。ヒートポンプエアコンの代わりの冷暖房設備としてもよいし、併用する冷暖房設備としてもよい。暖房用の電気ヒーターを床下に配設してもよい。
【０３６９】
また、部屋の床下とか、部屋収納の中には、冷暖房設備からの熱エネルギを蓄える蓄熱材４００ｑ を設置している。また、冷暖房設備からの熱エネルギが蓄熱材へ伝わり易くするため、床下とか、収納の化粧板扉などには、アルミ材４００ｓを設けてある。
【０３７０】
アルミ材４００ｓは、熱伝導性のよい他の部材でもよい。また、部屋の天井まで設けてもよいし、部屋全体を熱伝導性のよい部材で覆うようにして、部屋全体の多くの部材にも熱エネルギが、それぞれの部材なりに蓄熱されるようにしてもよい。
【０３７１】
また、換気用空気の流れる空間には、調湿材４００ｕを設置して、室内の湿度が調湿材によって、調整されるようにしている。調湿材４００ｕは、後から設置するものでもよいし、シールド付きの羽目板、収納庫あるいは家具などの部屋を構成する部材に調湿機能のある部材を使用するとか、調湿機能のある部材をコーティングするとか、調湿機能のある部材と複合材を構成し組合せて使用するようにしてもよい。
【０３７２】
シールド付天井ユニットに挿入される紙管４００Ｂ１Ｃ１２は、途中、紙管ホルダ４００Ｂ１Ｃ１２ｈでも支持されて、排気用の換気グリルを設けてある換気グリル板４００Ｂ１Ｃ２４ａより高い位置に設けている。そして、天井には、紙管４００Ｂ１Ｃ１２が、直接見えないように、換気グリル板４００Ｂ１Ｃ２４ａと繋がるように連続してなる化粧天板４００Ｂ１Ｃ２４が取り付けられている。天井高さが十分に確保できる場合には、紙管を見えなくして、より見栄えの良い部屋にできる。
【０３７３】
本実施例の化粧天板４００Ｂ１Ｃ２４は、天板本体の両側にフランジ部を設け、シールド付天井ユニットの側板にボルトで締結する、簡単、かつ、地震時などにも落下しない構造としているが、木組にて、ボルトなどの締結部品の見えない構造にしてもよい。
【０３７４】
このように、本発明のシールド付書棚等を用いて部屋を構成すると、快適な住空間の換気と必要なシールドの施された部屋のある建築構造物を、容易に得ることができる。
【０３７５】
次の図１５には、本発明の第７〜第１０の手段を適用した建築構造物の別の実施例の平面図を示す。大きな部屋で、本発明をいろいろな家具や家電品にも適用した一例である。
【０３７６】
本発明を適用したいろいろな家具や家電品はその背面にシールド部材を設けたものになるが、その構造は、勿論、着脱可能な構造にして、必要のない場合には取り外して使用するとか、修理の必要な場合には取り外して修理しやすくしてもよい。
【０３７７】
既設躯体１０５ａは、床、天井、壁の以外に、パイプスペース（ＰＳ）、左側には窓、右側には（玄関）となる空間を建築して、その空間に本発明のシールド付きの羽目板、収納庫あるいは家具を設置して、部屋を構成している。
【０３７８】
既設躯体１０５ａの左の窓側には、シールド付床ユニットを敷いて、サンルーム４０８にしている。サンルーム４０８の壁にも、シールド付書棚ユニットあるいは書棚部分のないシールド付壁ユニットを設置して、窓も２重窓にして、断熱性を高めても良い。
【０３７９】
また、サンルーム４０８の内面には、想定浸水高さまで、ステンレスあるいはアルミ部材などのライニングを設けて、万一、暴風雨などで、割れた窓から雨水などが入って来ても、サンルーム４０８の奥の部屋まで浸水しないようにしてもよい。ライニングは、化粧板の裏側にビニールシートを袋状にしたものを設置し、定期的に交換するようにしてもよい。
【０３８０】
また、サンルーム４０８の内面に、夏は、反射ミラーとか、白色などの太陽光の反射率の高い化粧板、冬は、黒色などの太陽光の吸収率の高い化粧板を設置するとか、黒地の上に電気的に鏡状態と透明状態を切り替えられる調光ミラーフィルムを貼り付けて遠隔操作で部屋の中から反射ミラーの状態と黒色の状態に切り替えるなどして、冷暖房の効率を良くしてもよい。調光ミラーフィルムの切り替えは、昼と夜とか、部屋の中のエアコンの運転状態とか、温度などの検出結果に基づき、冷暖房効率が最適になるよう自動で行うようにしてもよい。また、サンルーム４０８には、太陽光発電パネルとか、太陽熱温水器などを設置して太陽光のエネルギを有効利用するようにしてもよい。
【０３８１】
サンルーム４０８の奥には、シールド付床ユニット、シールド付書棚ユニット、窓板固定フランジ４００Ｍｂ等から成る窓、シールド付天井ユニットなどを接続して、３つの部屋が設置されている。
【０３８２】
広い部屋に適用する長スパンのシールド付天井ユニットは、シールドのある外側の反対側の内側のユニットの側板に、ステンレス板などの強度の強い部材を複数本の木ねじで固定するなど一体化して取り付けて、長いスパンに耐える強度を確保してもよい。また、分割構造にして、長いスパンの途中で接続する場合にも、接続金具として、ユニットの側板と一体化した強度の強い部材を利用してもよいし、自重による鉛直方向の曲げモーメントが大きくなる中央部での接続を避けて、曲げモーメントの小さくなる個所で接続するようにしてもよい。また、例えば、長いスパンの全長の２／３の位置で接続するようにする場合、隣り合うシールド付天井ユニットはスパン全長の１／３の位置で接続するなど、隣り合う接続個所が同じ位置にならないように、２／３の位置、１／３の位置、２／３の位置、・・・と交互に組み立てて、隣り合うユニットの重なる部分の側板を利用して、ボルト締結するようにしてもよい。
【０３８３】
部屋と部屋を仕切る壁には、通気スペースは残し、シールド部分のない書棚ユニットなども標準化して接続している。
【０３８４】
サンルーム４０８には、換気用の給気系統の入口にフィルタユニット４００Ｂ２Ｃ２２が３個所に設置されている。また、高断熱部屋に適した、小型軽量で小容量のヒートポンプエアコン室外機５４ａが２個所に設置されている。部屋全体の冷暖房がまんべんなく可能なように、各部屋の必要個所に、小型軽量で小容量のヒートポンプエアコン室内機５４ｂがシールド付書棚ユニットの中に設置されている。
【０３８５】
現在、市販されているヒートポンプエアコンの４．５畳程度の小さな部屋用の冷暖房能力は、２．２ＫＷ程度で、本発明の部屋を設置した時の必要な冷暖房能力は、先に説明したように、２００Ｗ程度になるので、消費電力も１／１０程度にできる。
【０３８６】
多くの住宅の冷暖房に必要なエネルギは、日本のエネルギ消費の大きな割合を占めているので、現在の日本全体のエネルギ消費量を低減することもできる。
【０３８７】
左上の部屋は、キッチンとダイニング用の部屋とするため、シールド付キッチンユニット４００Ｂ２Ｋと、シールド付レンジユニット４００Ｂ２Ｒａ、シールド付冷蔵庫ユニット４００Ｂ２Ｒｅなどを設けている。
【０３８８】
シールド付冷蔵庫ユニット４００Ｂ２Ｒｅは、収納部と扉も断熱材で覆われている。また、冷媒配管は、外側のシールド材を貫通させて、サンルーム４０８側に放熱部を設けているので、夏でも冷蔵庫を冷やすために、部屋の温度を上昇させないようにできる。
【０３８９】
また、サンルーム４０８側にも収納庫を設けて、断熱材、背板、通気スペースなどの部分を部屋の中へ一体的に引き出せる、小さな開閉部を設けて、冬には、暖房している部屋の中で冷蔵庫の運転をしないでも、エネルギ消費の不要な、あるいは、温度制御を行っても熱効率の良い冷蔵庫とすることができる。
【０３９０】
部屋の中央には、シールド付ダイニングテーブルユニット４００Ｂ１Ｔを天井から吊下げて、床面の掃除が簡単にできるようになっている。また、シールド付ダイニングテーブルユニット４００Ｂ１Ｔの中央１個所の支持部材をシールド付床ユニットに接続可能にして、テーブルの耐震性をより向上させるようにしてもよい。
【０３９１】
既設躯体１０５ａの右側の玄関の壁には、シールド部分のない収納ユニットを設置して、下駄箱とか、その他の収納に利用できるようにしている。また、シールド付収納ユニットを設置して、玄関の断熱性を高めても良い。
【０３９２】
サンルーム４０８や玄関の断熱性を高めるシールド付ユニットの断熱材の厚さ、各部屋のシールド付ユニットの断熱材厚さは、その部屋の用途に応じて、厚くするとか、薄くするなど、複数の種類を用意し、標準化してもよい。
【０３９３】
玄関の床は、シールド付床ユニットで、キッチンの部屋の床と段差のないバリアフリーの床で接続するが、キッチンの部屋への出入り口には、壁と同じシールド性のある断熱内扉４００Ｄｃを開閉可能に設けるとともに、可動範囲の床面には段差ないように、テフロン（登録商標）製プレート４００ＢＴＰが敷いてある。
【０３９４】
断熱内扉４００Ｄｃの内側と、その他の部屋の出入り口の部分には、２重の化粧板による扉を設けて、どちらの部屋からの景観も統一が可能にしている。
【０３９５】
化粧板による二重扉は、片方を開くと、もう１枚の扉も、同じ方向に連動して開くようにしてもよいし、片方を引いて開くと、もう１枚の扉は、反対方向へ、連動して開くようにしてもよい。
【０３９６】
化粧板による二重扉の厚みの部分は、収納とか、棚などに利用して、棚などを扉として、開閉可能にしてもよい。
【０３９７】
左下の部屋は、リビングと寝室用の部屋とするため、シールド付テーブルユニット４００Ｂ３Ｔ、シールド無し視聴覚ユニット４００Ｂ２Ａｖ、シールド付ベッドユニット４００Ｂ２Ｂｅ、シールド付ソファユニット４００Ｂ３Ｓｏなどから成る。
【０３９８】
シールド付ベッドユニット４００Ｂ２Ｂｅは、リビング用の部屋とする時には、壁の中に収納でき、使用する時には、壁から出して、シールド付ソファユニット４００Ｂ３Ｓｏの上にそのまま被せてセットできる構造にしている。
【０３９９】
窓板固定フランジ４００Ｍｂ等から成る窓の１つは、サンルーム４０８への出入り口通路となるように、引き出せる構造にして、その床面は段差のないように、テフロン（登録商標）製プレートが敷いてある。
【０４００】
右下の部屋は、バスルームとするため、シールド付バスユニット４００Ｂ３Ｂ、シールド付洗面ユニット４００Ｂ２Ｂａなどから成る。
【０４０１】
バスや洗面台など、水やお湯を取り扱うユニットは、水回りの配管類も、予め、ユニット内の通気スペースに組み込んで、各ユニットを接続して部屋を組み立てる時に、水回りの配管類も接続可能にして、簡単に、組立・分解でき、故障とか、劣化などで、交換が必要になった時には、容易に故障個所のみ、交換できる構造にしておくのがよい。
【０４０２】
部屋の換気は、外気がきれいなことを前提に、サンルーム４０８の側から給気６ｆを給気して、玄関側から、排気６ｅを排出する流れを基本にしているが、二酸化炭素などの室内で発生するガスを回収し、酸素などの必要な気体を補充する装置とか、酸素等を再生する装置などを設置して、外気と完全に隔離した換気もできるようにしてもよい。
【０４０３】
このように、本発明のシールド付書棚などを用いて部屋を構成すると、どのような間取りでも、快適な住空間の換気と必要なシールドの施された部屋の建築構造物を、容易に得ることができる。
【０４０４】
次の図１６は、図１５の建築構造物（部屋）の窓のＥ−Ｅ断面図を示す。透明な窓板部材を窓板固定フランジ４００Ｍｂの着脱で容易に交換可能な、簡単な構造とした一例である。
【０４０５】
窓の構造は、透明部材の窓板４００Ｍａを複数枚、スペーサ４００Ｍｓを挟んで空気層を設けて、窓枠筒４００Ｍｃの中へ入れて、窓板固定フランジ４００Ｍｂで押さえるようにボルトとナットで組み立てる構造としている。
【０４０６】
透明部材には、厚みのある強度部材としてポリカーボネートを使用するが、その外側には耐薬品性のある薄いアクリル板を重ねて使用するのがよい。空気層を作るその他の部材は、透明度の高い薄いアクリル板を使用するのがよい。勿論、樹脂製の透明部材より重くなるが、透明ガラスを使用してもかまうものではない。空気層は、自然対流の影響の生じない１２ｍｍ以下の程度の厚さにして、窓以外のシールド（断熱）性能と同じ性能になる枚数を、スペーサ４００Ｍｓを挟んで構成するのがよい。
【０４０７】
空気の熱伝導率を０．０２４１Ｗ/（ｍ・Ｋ）として、断熱材４００ｒの厚さ１９０ｍｍのセルロースファイバーと、同等のシールド（断熱）性能になる空気の厚さを計算すると、１３０ｍｍ（計算値は、２７５Ｗ）程度になるので、１３０ｍｍ／１２ｍｍ＝１０．８で、１１層程度の空気層を設けるのがよい。
【０４０８】
外側の窓板４００Ｍａの外側には、埃の侵入防止とアクリル等の樹脂と木材との厚み方向の熱膨張差を吸収するために、スポンジとか、ゴムなどのシールガスケット４００Ｍｇを設けてある。また、窓板４００Ｍａの上下と左右の寸法は、窓枠筒４００Ｍｃより小さい寸法にして、上と左右には、アクリル等の樹脂と木材との上下左右方向の熱膨張差を吸収する隙間ができるようにするのがよい。隙間は、スポンジとか、ゴムなどの弾性変形する部材で埋めるようにしてもよい。
【０４０９】
透明部材の窓板４００Ｍａを、アクリルなどの樹脂製にする場合は、放射線での経年劣化があり、定期的な交換が必要になるので、その場合でも、窓板固定フランジ４００Ｍｂを着脱するだけで、容易に交換できる。
【０４１０】
透明部材の窓板４００Ｍａは、ガラス製にしてもよい。ガラス製の場合、割れるリスクがあるが、窓板固定フランジ４００Ｍｂを着脱するだけで、容易に交換できる。
【０４１１】
また、窓枠筒４００Ｍｃの部材を難燃性、不燃性の高い部材で製作して、窓板４００Ｍａの少なくとも最外側、あるいは最内側、あるいは最外側と最内側を不燃性の高いガラス製とすることで、窓の防火上の難燃性、不燃性を高めるようにしてもよい。
【０４１２】
窓枠筒４００Ｍｃの内面と窓板固定フランジ４００Ｍｂの内面には、ミラー板４００Ｍｍを設けてある。スペーサ４００Ｍｓを木材等で製作する場合には、表面がミラー状になるよう、アルミを蒸着させるとか、アルミ箔を貼付するなどするのがよい。また、スペーサ４００Ｍｓは、アクリルなどの透明な部材で製作してもよいが、アクリルなどの樹脂製にする場合は、熱膨張差を吸収する隙間を設けるようにするのがよい。
【０４１３】
このようにすることで、斜めからの入射光でも、ミラー板の部分で反射させて、シールド機能のある厚い窓でも、光を効率良く部屋の中へ取り込めるようになる。
【０４１４】
また、湿気で窓板４００Ｍａの表面が曇るのを防止するため、窓の部屋の側あるいは外側（屋外側）にシリカゲルを入れる密閉可能なポケットを設け、当該ポケットから乾燥した空気が複数枚の窓板４００Ｍａの作る空気層へ拡散させるようにしてもよい。拡散させる方法は、例えば、当該ポケットを窓枠筒４００Ｍｃの部材に隣接して設け、窓枠筒４００Ｍｃの部材から、窓板４００Ｍａの作る空気層の１つへ連通する孔をあけて、窓板４００Ｍａは自重でどのようにずれる場合でも窓枠筒４００Ｍｃの下側にあるので、スペーサ４００Ｍｓの上部には、挟んでいる窓板４００Ｍａのかぶさらない部分がるので、その部分に、窓板４００Ｍａの作る各空気層に乾燥空気が拡散するように連通孔をあけておくことにより、シリカゲルを入れた当該ポケットからの乾燥空気を窓板４００Ｍａの作るすべての空気層に拡散させる構造は容易に得ることができる。当該ポケットを、アクセスし易い場所に設けることで、シリカゲルを交換するだけで容易に窓板４００Ｍａの曇り防止機能の継続維持ができる。
【０４１５】
窓の部屋の側には、カーテンの代わりに、化粧板扉４００Ｂ２Ｃ２４を開閉可能に設けることで、清掃し易く、経年劣化対策になるとともに、部屋全体の景観統一が容易にできるようになる。また、外側の窓板固定フランジ４００Ｍｂの窓板４００Ｍａを押さえている部分の奥行き空間にブラインドなどを設けて、通過する光の量を調整可能にしてもよい。この場合、外側の窓板固定フランジ４００Ｍｂの手前側（部屋の中側）に、ビス止めでも、嵌め込み式でも、アクリル等の透明部材をもう１枚設けて、ブラインドなどの清掃を不要にしてもよい。ブラインドなどの開閉操作は、太陽光発電パネルとバッテリ等で蓄電した電力で駆動可能な電動ブラインドにして、部屋の中から無線で遠隔操作できるようにしてもよいし、アクリル等の透明部材に小さな開口部を設けて開閉操作するロープやロッド等を部屋の側に出して手動で操作できるようにしてもよい。勿論、ブラインドなどは、窓板４００Ｍａの外側（屋外の側）に設けるようにしてもかまうものではない。
【０４１６】
また、大きな雹などで窓板が損傷するのを防止するために、窓板４００Ｍａの外側（屋外側）に開閉式（あるいは着脱式）の頑強なシャッタとか、頑強なブラインドなどを設けるようにしてもよい。勿論、窓板が損傷しても、部屋の中への影響を防止するために、窓板４００Ｍａの内側（屋内側、あるいは途中の内部）に開閉式（あるいは着脱式）の頑強な開閉式のシャッタとか、頑強なブラインドなどを設けるようにしてもよい。
【０４１７】
本実施例の窓の上下左右は、隣のシールド付書棚等と接続ボルト４００Ｂｇで接続されているが、接続ボルト４００Ｂｇを取り外した状態で、取手を掴んで部屋の中に引き出せる構造になっている。
【０４１８】
窓の底と、窓を引き出す部分の床には、テフロン（登録商標）製プレート４００ＢＴＰが敷いてある。
【０４１９】
テフロン（登録商標）製プレート４００ＢＴＰの取付けは、皿ねじの頭の部分が、テフロン（登録商標）製プレートの板の厚みより低くなるように固定する方法でもよいが、テフロン（登録商標）製プレート押さえ４００ＢＴＰａでテフロン（登録商標）製プレート４００ＢＴＰが所定の場所に嵌め込まれて、交換も容易に、窓を引き出した時も、ずれ動かないように取付けてある。
【０４２０】
窓の下の床の構造は、既設躯体１０５ａの床にシールド付床ユニット４００Ｂ３Ｇ（１）とシールド付床ユニット４００Ｂ３Ｇ（２）を設置し、接続ボルト４００Ｂｇにより接続した後、化粧床板４００Ｂ２Ｃ２４を上から被せる構造が基本となる。
【０４２１】
床下の接続ボルトの個所は、ボルトとナットの締め付け空間が必要となるため、シールド材である断熱材が部分的に薄くなるが、その分、他の部分を厚くして、全体として必要なシールド（断熱）性能の得られるシールド付床ユニットとしている。シールド材の外側と内側の両側にフランジのツバを設けて、接続ボルト４００Ｂｇにて両側のツバを接続することで、少ないボルトの本数で容易に必要な面圧の得られる構造としているが、外側（床の下側）のフランジのツバを設けないで、ボルトの本数を増やすとか、ワッシャの面積を大きくするとか、ボルトを千鳥配列にして上下の間隔を少しでも設けるなど、内側（上側）のフランジのツバを締付けるだけで必要な面圧が得られるようにして、シールド材である断熱材を部分的に薄くしなくてもよい構造としてもよい。
【０４２２】
シールド付床ユニット４００Ｂ３Ｇ（１）の上板の一部は、分割構造にして、接続ボルトを接続した後、通気スペースの部分は仕切板４００Ｂ３Ｃ１１で仕切り、上から組み立て可能な構造にしているが、テフロン（登録商標）製プレート４００ＢＴＰの押さえ部材は、嵌め込みする寸法精度が必要なので、分割されない、一体物として、工場等で精度良く組み立てる構造としている。
【０４２３】
シールド付床ユニット４００Ｂ３Ｇ（１）の奥の接続ボルトを締める時は、仕切板４００Ｂ３Ｃ１１で塞ぐ前の横の開口部から、長い工具を用いて、奥の接続ボルトやナットなどを締付けるようにしてもいが、シールド付床ユニット４００Ｂ３Ｇ（１）の上板に開口部を設けておき、奥の接続ボルトも、容易に着脱できるようにしてある。
【０４２４】
窓の下側とシールド付床ユニット４００Ｂ３Ｇ（１）とを接続する接続ボルト４００Ｂｇは、シールド付床ユニット４００Ｂ３Ｇ（１）側を埋め込みナットの構造として、ナット側にアクセスしないで、接続ボルト４００Ｂｇの着脱が容易にできる構造としている。
【０４２５】
窓の下側とシールド付床ユニット４００Ｂ３Ｇ（１）とを接続する接続ボルト４００Ｂｇは、２枚のテフロン（登録商標）製プレート４００ＢＴＰを貫通するので、２枚のテフロン（登録商標）製プレートには、接続ボルト４００Ｂｇの直径よい大きい開口部を設けているが、スライドさせた時に開口部の角が互いに傷を付けないように、面取り等を施し、滑らかに仕上げておくのがよい。
【０４２６】
このようにすることで、２枚のテフロン（登録商標）製プレート４００ＢＴＰが、薄いスライドベースとなるため、シールド（断熱）性を確保できて、重い窓でも、軽い力で容易に開閉できる窓とすることができる。
【０４２７】
また、周囲の接続ボルトで接続するシールド付ユニットは、窓の出し入れが、スムーズにできるように、撓みが少なくなる剛性を持たせて、精度良く製作するようにしてもよいが、引き出す窓の上面とか、側面にも、テフロン（登録商標）製プレートを取付けるようにしてもよい。
【０４２８】
次の図１７は、図１６の窓構造の別の実施例を示す。窓構造は、窓板固定フランジの構造より、少し複雑になるが、大きな窓にできる構造の一例である。
【０４２９】
窓構造は、透明部材の窓板を複数枚、スペーサを挟んで空気層を設け、窓枠の中へ入れるのは、図１６の窓構造と同じであるが、窓板は、内面にミラー板の貼られた、窓枠と一体に窓枠の上下に設けた窓板押さえミラーストッパ４００Ｍｂｓと窓板の間に、Ｌ型ミラー窓板押さえ４００ＭｂＬを上下に入れて、窓板を押さえる構造としている。
【０４３０】
窓板押さえミラーストッパ４００ＭｂｓとＬ型ミラー窓板押さえ４００ＭｂＬによって、窓枠の上下は、ミラー板の反射面になるが、窓枠の両側面もミラー板の反射面にするため、Ｌ型ミラー窓板押さえ４００ＭｂＬに埋め込みナットを埋め込んでおき、埋め込みナットにミラー側板固定ボルト４００ＭｍＳｂを用いて、取手付ミラー側板を取り付けるようにしている。
【０４３１】
接続ボルト４００Ｂｇ、ミラー側板固定ボルト４００ＭｍＳｂなどは、締付け後にミラーキャップ４００Ｍｍｃを被せ、窓枠の内面全体がミラー板の反射面になるようにしている。
【０４３２】
窓の手前には、カーテンの代わりとなる、化粧板扉４００Ｂ２Ｃ２４が開閉可能に設けてある。
【０４３３】
このようにすることで、斜めからの入射光でも、ミラー板の部分で反射させて、シールド機能のある厚い窓でも、光を効率良く部屋の中へ取り込めるようになる。
【０４３４】
左上から斜めの入射光の代表的な反射状態を二点鎖線で図示しているが、木製のスペーサ４００Ｍｓの表面を鏡面仕上げにすれば、スペーサ４００Ｍｓの溝に入射した光も、溝の中で反射して、減衰することなく、厚い窓枠の部分を通過できる。また、透明のスペーサ４００Ｍｓにすれば、多少の屈折は生じても、窓板の外側に設けてある、ミラー板で反射し、多くの光は、減衰することなく、厚い窓枠の部分を通過できる。
【０４３５】
また、窓の下側とシールド付床ユニット４００Ｂ３Ｇ（１）の上板を接続する接続ボルト４００Ｂｇは、シールド付床ユニット４００Ｂ３Ｇ（１）側にナット付箱型金具４００Ｂ３Ｇ１１Ｎを嵌め込み、図１６の埋め込みナット構造よりも頑強に、ナット側にアクセスしないで、接続ボルト４００Ｂｇの着脱が容易にできる構造としている。仕切板４００Ｂ３Ｇ１１も、ナット付箱型金具４００Ｂ３Ｇ１１Ｎに押し当てて位置決めする、嵌め込み構造としている。
【０４３６】
次の図１８は、図１５の建築構造物（部屋）の断熱内扉のＦ−Ｆ断面図を示す。スライドアシスト駆動装置を用い、所定の軌道に沿って、軽い力で開閉可能にした一例である。
【０４３７】
断熱内扉４００Ｄｃの内部には、部屋と同じシールド性能の断熱材が充填されているが、必要な強度を得るために補強板も組み込まれ、両側には開閉するときに握る取手が設けてある。
【０４３８】
断熱内扉４００Ｄｃの上部には、スライドアシスト駆動装置４００ＤｃＭの可動部が、扉の外板に埋め込みされたナットを利用して、ボルトで取り付けられている。
【０４３９】
スライドアシスト駆動装置４００ＤｃＭの固定部は、部屋側上部の外板に埋め込みされたナットを利用して、ボルトで取り付けられている。
【０４４０】
スライドアシスト駆動装置４００ＤｃＭは、断熱内扉４００Ｄｃが部屋から離れるようにリンク機構で開くようにして、断熱内扉４００Ｄｃの取手が、部屋の外壁に当らない位置まで離れたら、リンク機構の取り付けてあるスライドする台座が、スライドアシスト駆動装置４００ＤｃＭの内部に、扉を移動させる方向へ設置されたレールに沿って、スライド移動するようになっている。リンク機構の開閉と扉を移動させる方向へのスライド移動は、機械的に連続してスムーズに行われるが、スライドアシスト駆動装置４００ＤｃＭの内部には、駆動源として電動モータも組み込まれている。
【０４４１】
スライドアシスト駆動装置４００ＤｃＭは、電動モータによる自動開閉式にしてもよいが、取手などに作用する力とその方向を検出して、断熱内扉４００Ｄｃが動かされようとしている方向へアシスト駆動させるようにして、不用意な開閉動作を防止している。
【０４４２】
取手などに作用する力とその方向の検出は、スライドアシスト駆動装置４００ＤｃＭ内部の駆動系の動力伝達部材の一部に貼り付けた歪ゲージなどのセンサからの信号を利用して、判別するようにしてもよいし、扉の取手の見えない部分に直接歪ゲージを貼り付け、感度良く、取手に作用する力とその方向を検出するようにしてもよい。
【０４４３】
取手などに作用する力とその方向の検出は、電動モータをサーボモータにして、常時、扉の位置決め制御を行うようにして、モータに流れる電流を検出し、負荷の変化を検出して、判別するようにしてもよい。
【０４４４】
取手などに作用する力とその方向の検出は、地震の揺れとか、生活振動で誤動作のしないように適切な感度に調整するとか、地震とか、振動などを検出するセンサを別に設けて、地震とか、振動などによって、取手などに生じている力を除いて、開閉動作に伴う力のみを判別するようにしてもよい。
【０４４５】
スライドアシスト駆動装置４００ＤｃＭの動力源の電動モータと動力伝達機構は、バックドライバビリティの小さなものとして、停電や故障時にも、手動で容易に開閉可能なものとするのがよい。
【０４４６】
スライドアシスト駆動装置４００ＤｃＭのリンク機構によって、部屋側への必要な押付力を発生させて、通常時は、部屋と断熱内扉４００Ｄｃを適切に密着させして閉めるようにするが、停電や故障時にも、手動で容易に密着させられるように、通常は使用しなくとも、断熱内扉４００Ｄｃの取手と部屋側に設けた取手に、Ｓフックで容易に着脱可能なシールばね４００Ｄｃ１も設けておくのがよい。
【０４４７】
スライドアシスト駆動装置４００ＤｃＭの動力源の電動モータとか、駆動制御装置などに、電流や電圧、温度などの各種センサを設けて、スライドアシスト駆動装置４００ＤｃＭの正常状態か、異常状態かを判別する自己診断機能付けて、異常時には音声ガイダンスなどで必要な修理を促すようにしてもよい。
【０４４８】
また、シールばね４００Ｄｃ１が誤って付いている時には、電動モータには通常時と違う過電流が流れるので、それを検出して自動停止し、音声ガイダンスで、シールばねを確認するように注意を喚起するようにしてもよい。
【０４４９】
スライドアシスト駆動装置４００ＤｃＭのリンク機構は、通常時は所定の圧力で断熱内扉４００Ｄｃを部屋の外壁に押し付けるが、断熱内扉４００Ｄｃの底面と床面とのシール性を自重量よりも増す必要のある場合には、下方へも同時に押し付けるようにしてもよい。
【０４５０】
また、スライドアシスト駆動装置４００ＤｃＭの動力源の電動モータの代わりに、ばねを用いて、断熱内扉４００Ｄｃの移動する軌道は、リンク機構とレールに沿った軌道にするが、断熱内扉４００Ｄｃを開ける時の動力は手動にして、閉まる時の動力は、開ける時にばねに蓄積されるエネルギを利用して、ばねの力で閉まる半自動式扉としてもよい。
【０４５１】
所定の圧力で断熱内扉４００Ｄｃを部屋の外壁に押し付ける力も、ばねの力で所定の圧力で押し付けるようにしてもよいし、着脱可能なシールばね４００Ｄｃ１を併用して、必要なシール性能を得るようにしてもよい。
【０４５２】
本実施例では、断熱内扉４００Ｄｃが開閉してできる通路には、段差のないバリアフリーの同じ高さの床面にしているが、部屋の外側の床面を低くして段差を設けて、所定の圧力で断熱内扉４００Ｄｃを部屋の外壁に押し付けるのみで、断熱内扉４００Ｄｃの上下左右の全周のシールが確保できるようにしてもよい。
【０４５３】
また、段差は、部屋の外側の床面を低くして設けてもよいが、部屋の内側の壁厚の部分を高くして堰のように段差を設けるようにしてもよい。段差を設けた場合に、床が上下して扉が開いたときにバリアフリーになるようにしてもよい。段差の部分に昇降機構を設けて、断熱内扉の開動作に合わせて、昇降機構が連動して、段差がなくなるようにしてもよい。
【０４５４】
また、開閉する断熱内扉あるいはシールド付壁ユニット等が、堰のような段差の上に通常取り付けられている場合、可動式あるいは可搬式のスライドベースを、開閉する断熱内扉あるいはシールド付壁ユニットなどの引き出す方向の下に段差がなくなるように設置して、堰のような段差の上と、スライドベースの上をスムーズに挿入や引き出しができるようにしてもよい。
【０４５５】
さらに、開閉する断熱内扉あるいはシールド付壁ユニットなどを分割構造にして、１つのユニットを小さく軽くして、挿入や引き出しが、人手でも、自動でも、容易にできるようにしてもよい。また、堰のような段差の高さを高くするとか、上方に、挿入や引き出しの可能なユニットを設けて、床面から高い位置の途中の部位を開閉するようにしてもよい。そして、スライドベースは、自重量による摩擦抵抗を低減する以外にも、接触抵抗、圧着状態による摩擦抵抗の低減にも、有効なので、開閉する部位は、床面ユニットでも、天井ユニットでも、かまうものではない。
【０４５６】
また、スライドアシスト駆動装置４００ＤｃＭの代わりに、断熱内扉４００Ｄｃの外側の外板に、テフロン（登録商標）製プレート４００ＢＴＰ以外の床面とか、部屋の外壁などに駆動輪を所定の力で押し当てて、駆動輪を回転制御させる走行駆動装置を取り付けて、断熱内扉自身の位置と姿勢を検出する各種センサも取り付けて、自律的に移動可能な扉にしてもよい。
【０４５７】
断熱内扉４００Ｄｃの出入り口の部屋の内側には、部屋内部と同様に化粧板扉４００Ｂ２Ｃ２４を設けて、部屋全体の景観の統一が容易にできるようにしてある。
【０４５８】
断熱内扉４００Ｄｃの底には、重い扉でも軽い力で移動できるように、テフロン（登録商標）製プレート４００ＢＴＰが、テフロン（登録商標）製プレート押さえ４００ＢＴＰａで所定の場所に嵌め込み可能な構造で設けられている。
【０４５９】
既設躯体１０５ａの床に設置されるシールド付床ユニット４００Ｂ３Ｇの部屋の外側は、シールド無し床ユニット４００Ｂ３Ｇｎと接続ボルト４００Ｂｇで接続されて、部屋の外の床上にも、化粧床板４００Ｂ２Ｃ２４が嵌め込み式で被せるようになっている。
【０４６０】
シールド付床ユニット４００Ｂ３Ｇは、接続ボルトを接続した後、通気スペースの部分は仕切板で仕切り、部屋の内側も、化粧床板４００Ｂ２Ｃ２４が嵌め込み式で被せるようになっているが、テフロン（登録商標）製プレート４００ＢＴＰの押さえ部材は、嵌め込みする寸法精度が必要なので、一体物として、工場等で精度良く組み立てる構造としている。
【０４６１】
嵌め込むテフロン（登録商標）製プレート４００ＢＴＰの着脱は、吸盤の工具を利用して、取り外して、新しいテフロン（登録商標）製プレート４００ＢＴＰを嵌め込むことで容易に交換できるが、浮き上がりを防止するため、嵌め込む前に剥がすことが容易な接着力の弱い接着剤を塗って嵌め込むようにしてもよい。
【０４６２】
また、シールド付床ユニット４００Ｂ３Ｇの断熱内扉４００Ｄｃの閉まる位置の床の下の部分にも断熱材を充填しておくことによって、段差のないバリアフリーの床面でも、同等のシールド（断熱）性能を容易に得ることができる。
【０４６３】
このようにすることで、２枚のテフロン（登録商標）製プレート４００ＢＴＰが、薄いスライドベースとなるため、シールド（断熱）性を確保できて、重い扉でも、軽い力で容易に開閉できる扉とすることができる。
【０４６４】
また、断熱内扉４００Ｄｃが移動する時に、部屋の壁側と接触する可能性のある部位には、部屋の外壁側とか、断熱内扉４００Ｄｃの前面とか、側面などにも、テフロン（登録商標）製プレートを取付けるようにしてもよい。
【０４６５】
また、床面などの広い範囲に敷くテフロン（登録商標）製プレート４００ＢＴＰは、できるだけ、大きな１枚物で製作するのがよいが、複数枚を並べて敷く場合には、隣り合うテフロン（登録商標）製プレートの端面の角は、スライドさせた時に角が互いに傷を付けないように、面取り等を施して、多少の面取りによる、くぼみが生じても、滑らかに仕上げておくのがよい。
【０４６６】
次の図１９は、本発明の第１１の手段を適用した部屋（書棚）の一実施例の側面断面図を示す。図６で説明した書棚に接続した補助シールドに、さらに、給排気ファンユニットを接続して、延長ダクトの部分で給気と排気の熱交換を行うようにした一実施例である。
【０４６７】
本発明のシールド付書棚ユニット４００Ｂ２Ｃ（１）の背板４００Ｂ２Ｃ４には、給気口と排気口を兼ねた開口部があり、補助シールド４００ＢｒＡが接続されているが、その先に、排気ファン４００Ｂ２Ｃ１４と吸気ファン４００Ｂ２Ｃ１５、それぞれのファン制御ユニット４００Ｂ２Ｃ１６が内蔵された、給排気ファンユニット４００Ｂ２Ｃ２０が接続されている。
【０４６８】
給排気ファンユニット４００Ｂ２Ｃ２０には、キャスタが設けられていて、体育館などに仮設の本発明の部屋を設置するような場合でも、移動させて容易に接続できるようにするとともに、内蔵されたそれぞれのファン制御ユニット４００Ｂ２Ｃ１６への給電は、１本のプラグ付き電源用コードで、延長ドラム等のコンセントから、容易に受電できるようにしてある。
【０４６９】
給排気ファンユニット４００Ｂ２Ｃ２０には、キャスタの他に、高さ調整と固定を兼ねたレベル調整具を設けてもよい。
【０４７０】
また、本発明の部屋を屋外に設置する場合は、給排気ファンユニット４００Ｂ２Ｃ２０を防水構造にするとともに、吸排気口は、雨水などが入らない構造にするのがよい。
【０４７１】
給排気ファンユニット４００Ｂ２Ｃ２０の内部は、給気系統と排気系統とは、混ざらないように仕切りが設けられていて、給気系統は主にフレキシブルダクト４００Ｂ２Ｃ１８の中に給気６ｆを通して、その外側に排気６ｅを通す流路が設けられている。
【０４７２】
給排気ファンユニット４００Ｂ２Ｃ２０からの排気の放出口には、断熱ホース４００Ｂ２Ｃ１９が接続されて、排気６ｅは、この断熱ホースの中を通して排出される。
【０４７３】
断熱ホース４００Ｂ２Ｃ１９の中には、フレキシブルダクト４００Ｂ２Ｃ１８が配設され、給気６ｆは、その中を通して吸引される。
【０４７４】
給気と排気の熱交換は、主に、フレキシブルダクト４００Ｂ２Ｃ１８が配設された、断熱ホース４００Ｂ２Ｃ１９の中で行われる。また、湿気の交換もされるように、断熱ホース４００Ｂ２Ｃ１９の中のフレキシブルダクト４００Ｂ２Ｃ１８には、途中、紙管４００Ｂ２Ｃ１２が接続されている。
【０４７５】
また、給気系統のフレキシブルダクト４００Ｂ２Ｃ１８の長さは、排気系統の断熱ホース４００Ｂ２Ｃ１９の長さより長くして、排気６ｅを放出する場所と、給気６ｆを吸引する場所を離れた場所にできるようにしている。
【０４７６】
また、給気系統のフレキシブルダクト４００Ｂ２Ｃ１８の先端部には、フィルタユニット４００Ｂ２Ｃ２２を設けて、埃などが吸引されないようにしている。
【０４７７】
このようにすることで、給排気ファンが部屋の外になるので、部屋は静かな空間となり、また、長いダクトで十分な熱交換も可能になり、より一層、熱効率の良い、最適な換気を、容易に構成できるようになる。
【０４７８】
図２０は、本発明の第１２の手段を適用した部屋の一実施例を示す。部屋の外側に非常用発電装置を、部屋の中に人力発電装置を設けた一実施例である。
【０４７９】
本発明のシールド付きの羽目板、収納庫あるいは家具を用いて設置した部屋（生活空間）４３０Ｋの中には、人力発電装置３５Ｆ、ファン電源装置３０Ｆｉ、電源コンセント等が、ラビリンス貫通スリーブ４００Ｂ２Ｃ１３を通して、引き込まれている。
【０４８０】
部屋（生活空間）４３０Ｋは、新築でも、既設マンションなどをリフォームした部屋でも、体育館などの大型施設の中に組み立てた仮設部屋でも、屋外に組み立てた仮設の住宅でもよい。短期間でも、長期間でも、人が生活する空間である。
【０４８１】
また、断熱は十分ではないが、頑強に作られた躯体の古民家などの部屋の中に設置して、快適な部屋（生活空間）４３０Ｋを得るようにしてもよい。
【０４８２】
部屋（生活空間）４３０Ｋの外には、外部からの商用電源３６と太陽光発電パネルなどの発電装置３５から電力を電源装置（バッテリ内蔵）３０へ供給可能に接続してある。電源装置（バッテリ内蔵）３０からの電力は、部屋４３０Ｋの中と部屋の外のコンセントから利用可能にしてあり、部屋４３０Ｋの中のファン電源装置３０Ｆｉと、部屋の外のファン電源装置３０Ｆｏの電源となる。
【０４８３】
また、電源装置（バッテリ内蔵）３０には、部屋４３０Ｋの中の人力発電装置３５Ｆと、部屋の外に設けた非常用発電装置３５Ｅが接続され、内蔵バッテリへの充電とコンセントへの給電が可能となっている。
【０４８４】
非常用発電装置３５Ｅは、電源装置（バッテリ内蔵）３０と制御用信号ケーブルでも接続しておき、電源装置（バッテリ内蔵）３０にて、外部電源３６の停電とか、内蔵バッテリの電圧低下を検出して、必要な時に、非常用発電装置３５Ｅを自動起動可能にしている。
【０４８５】
このようにすることで、電源装置（バッテリ内蔵）３０は、商用電源３６の停電時にも、内蔵バッテリにて一定の時間は給電できるようになっているが、一定時間以上停電が続く場合でも、部屋の換気を継続させることが可能となる。
【０４８６】
また、部屋の中に、人力発電装置３５Ｆを設けることで、非常用発電装置３５Ｅの燃料が無くなり、部屋の外へ出られない場合でも、部屋の換気を継続させることが可能となる。
【０４８７】
また、部屋の中から制御用信号ケーブルを、ラビリンス貫通スリーブ４００Ｂ２Ｃ１３を通して、配線しておき、部屋の中から、電源装置（バッテリ内蔵）３０、発電装置３５、非常用発電装置３５Ｅなどの制御や操作などができるようにしてもよい。
【０４８８】
また、人力駆動の可能な駆動手段として、部屋の中の換気用のファンのシャフトを機械的に人力で増速機を介して回すようにしてもよいし、部屋の壁などの部分にシャフトを貫通させて、部屋の外のファンのシャフトを回すようにしてもよいし、直線状でなく、トルクチューブを利用して、クランク状に貫通させるようにしてもよいし、ファンのシャフトの代わりに、発電機のシャフトを人力で回すようにしてもよい。
【０４８９】
次の図２１は、本発明の第１３の手段を適用した部屋の一実施例を示す。
【０４９０】
本発明のシールド付きの羽目板、収納庫あるいは家具を用いて設置した部屋（生活空間）４３０Ｋの中には、計算機２（２２）、Ｉ／Ｆボックス（インタフェースボックス）２２ＩＦ、各種センサ４０Ｓ１、無線装置４１、センサユニット４０ＵＳ１などが設置されて、Ｉ／Ｆボックス（インタフェースボックス）２２ＩＦには、ラビリンス貫通スリーブ４００Ｂ２Ｃ１３を通して配線された部屋の外の各種センサ４０Ｓ３と各種出力装置４０Ｄが接続されている。
【０４９１】
このようにすることで、シールド性能が高く、部屋の中と外が隔離されている状態でも、部屋の中と部屋の外の各種センサ情報は、計算機２（２２）で取り込むことができ、部屋の中と部屋の外の状況を計算機２（２２）のモニタ表示装置とか、各種の出力装置４０Ｄなどに表示するとか、各種センサの検出結果の正常／異常な状況判別も計算機２（２２）で行い、異常な状況、あるいはその兆候を検知した場合には、計算機２（２２）のモニタ表示装置とか、各種出力装置４０Ｄなどで知らせることが容易にできるようになる。
【０４９２】
また、部屋の外にもセンサユニット４０ＵＳ２を設置して、部屋の中の無線装置４１との無線通信で、各種センサの情報を取り込めるようにすることで、部屋の外も、各種センサの追加とか、設置位置の変更が容易にできるようになる。
【０４９３】
また、無線装置４１から、部屋の外のスマートフォンなどの携帯端末２３へ、各種センサの検出結果とか、正常／異常の判別結果を知らせるようにしてもよい。
【０４９４】
また、無線装置４１から、無線基地局１２を経由して、インターネット１０と接続できるようにして、インターネット１０に接続された部屋の外の計算機１（２１）へ各種センサの検出結果とか、正常／異常の判別結果を知らせるようにしてもよい。計算機２（２２）のインターネットへの接続は、有線回線を利用して接続してもよい。
【０４９５】
また、携帯無線とか、インターネット回線などを使用して、部屋の外の離れた場所の状況も、移動カメラ１５などのロボットから、得られるようにしてもよい。
【０４９６】
また、部屋の内外の各種センサの情報を利用して、部屋（生活空間）４３０Ｋの換気用のファンの制御とか、冷暖房機器の制御を行うようにしてもよい。
【０４９７】
また、計算機１（２１）、計算機２（２２）、携帯端末２３から、部屋４３０Ｋのファンの制御、冷暖房機器の制御、その他の家電機器の制御、移動カメラ１５などのロボットの制御に必要となる操作指令などを計算機２（２２）経由で入力できるようにして、部屋の中でも、外でも、どこからでも、操作できるようにしてもよい。
【０４９８】
複数の個所からいろいろな操作指令が入力される場合もあるので、制御対象の機器に近い場所にある計算機２（２２）で、操作内容の優先順、矛盾のチェックと排除などを行って、全体を統括制御するようにするのがよい。
【０４９９】
また、部屋４３０Ｋのファン、冷暖房機器、その他の家電機器の電力消費状態と発電装置３５などの発電量も検出して、ファン、冷暖房機器、その他の家電機器の最適な運転制御を行うようにしてもよい。
【０５００】
また、部屋（生活空間）４３０Ｋの床下には、検出しやすい大きさに区分した区分け毎に、床下パイプ４００Ｂ３Ｇ２５を設置して、各床下パイプ４００Ｂ３Ｇ２５には、歪ゲージ４００Ｂ３Ｇ２６が貼付してあり、各歪ゲージ４００Ｂ３Ｇ２６の検出に必要なアンプ等の回路を経由して、各歪ゲージの信号は、各種センサと同様に、Ｉ／Ｆボックス（インタフェースボックス）２２ＩＦから、計算機２（２２）へ取り込めるようになっている。
【０５０１】
このようにすることで、収納スペースが多く、たくさんの物品を収納した場合も、現在の収納物品の重量を検知することができるので、床の耐荷重をオーバーする場合には、事前にアラームなどを出力して、知らせることも容易にできる。
【０５０２】
収納物品の重量計測は、定期的に行うようにしてもよいし、連続的に常時行うようにしてもよいし、計測したい場合に、操作をして計測するようにしてもよい。
【０５０３】
また、重量計は、シールド付書棚ユニットなどの各ユニットの棚毎とか、ユニットごとに設けて、各ユニットに表示装置を設けて、各ユニットの計測の結果を計算機２（２２）へ取り込んで集計するようにしてもよいし、計算機２（２２）と接続しないで、各ユニットの表示装置を見ながら、個別に管理するようにしてもよい。
【０５０４】
また、部屋（生活空間）４３０Ｋの化粧板扉、化粧天井板、化粧床板などに、モニタ装置を組み込むとか、シート状のモニタを貼付して、床、壁、天井の部屋全体をモニタと音響設備にして、狭い部屋でも、大きな部屋、豪華絢爛な部屋、大自然の中の壮大なる空間をエコ（環境問題対策に係わるエコロジーの略）に容易に体感できるようにしてもよい。
【０５０５】
体感する時には、湿度や風速なども制御して、臨場感を高めるようにしてもよい。さらに、香料などを給気に混合して臨場感を高めて、排出する時には、排気前に香料を回収して、リサイクルするようにしてもかまうものではない。
【０５０６】
また、本発明のシールド付きの羽目板、収納庫あるいは家具の背板側に、モニタ装置とか、電子ペーパーなどの表示内容を保持するのに電力を必要としない表示装置を組み込むとか、シート状のモニタを貼付して、壁や天井などの部屋外側の全体をモニタと音響設備にして、屋外とか、古民家の部屋の中に設置した場合でも、周囲の環境と調和する景観に、容易に合わせられ、必要に応じて変更も容易にできるようにしてもよい。
【０５０７】
そして、香料などを排気に混合して、部屋外側の環境と調和した雰囲気を演出するようにしてもかまうものではない。
【符号の説明】
【０５０８】
６ｅ  排気
６ｆ  給気
６Ｓｅ  排気系統
６Ｓｆ  給気系統
１０  インターネット
３０Ｆ  ファン電源装置
３５Ｆ  人力発電装置
４０Ｄ  各種出力装置
４０Ｓ１〜２  各種センサ
１００  地盤  
１０５ａ  既設躯体
３００  杭
４００Ｂ１Ｃ  シールド付天井ユニット
４００Ｂ１Ｃ７  通気スペース
４００Ｂ２Ｃ  シールド付書棚ユニット
４００Ｂ２Ｃ７  通気スペース
４００Ｂ２Ｃ１２  紙管
４００Ｂ２Ｃ２４  化粧板扉
４００Ｂ２Ａｖ  シールド無し視聴覚ユニット
４００Ｂ３Ｂ  シールド付バスユニット
４００Ｂ３Ｇ  シールド付床ユニット
４００Ｂｇ  接続ボルト
４００ｄＦ  ステンレス側板
４００Ｄｃ  断熱内扉
４００ＤｃＭ  スライドアシスト駆動装置
４００Ｍａ  窓板
４００Ｍｂ  窓板固定フランジ
４００Ｍｍ  ミラー板
４０８  サンルーム
４３０Ｋ  部屋（生活空間）
【図１】
0006528018.tif 000002
【図２】
0006528018.tif 000003
【図３】
0006528018.tif 000004
【図４】
0006528018.tif 000005
【図５】
0006528018.tif 000006
【図６】
0006528018.tif 000007
【図７】
0006528018.tif 000008
【図８】
0006528018.tif 000009
【図９】
0006528018.tif 000010
【図１０】
0006528018.tif 000011
【図１１】
0006528018.tif 000012
【図１２】
0006528018.tif 000013
【図１３】
0006528018.tif 000014
【図１４】
0006528018.tif 000015
【図１５】
0006528018.tif 000016
【図１６】
0006528018.tif 000017
【図１７】
0006528018.tif 000018
【図１８】
0006528018.tif 000019
【図１９】
0006528018.tif 000020
【図２０】
0006528018.tif 000021
【図２１】
0006528018.tif 000022